(57)【要約】本発明の実施形態は、全二重システムにおけるユーザ機器間における干渉を低減するために、構成方法および装置を提供し、通信技術の分野に関する。本発明の実施形態において提供されている構成方法は、全二重システムに適用され、基地局によって、第１のセル内のユーザ機器をＮ個のユーザグループへと分割するステップであって、Ｎは２以上の正の整数である、ステップと、基地局によって、Ｎ個のユーザグループのそれぞれにおけるユーザ機器に関して、アップリンク送信のために使用されるアップリンク周波数帯域、およびダウンリンク受信のために使用されるダウンリンク周波数帯域を構成するステップであって、アップリンク周波数帯域は、同じユーザグループにおけるダウンリンク周波数帯域とは異なり、アップリンク周波数帯域およびダウンリンク周波数帯域は、全二重システムの動作周波数帯域の周波数サブ帯域である、ステップとを含む。本発明の実施形態によれば、ユーザ機器間における干渉が低減される。
2019503128.tif 000002
【特許請求の範囲】
【請求項１】
全二重システムに適用される構成方法であって、
基地局によって、第１のセル内のユーザ機器をＮ個のユーザグループへと分割するステップであって、Ｎは２以上の正の整数であり、前記Ｎ個のユーザグループのそれぞれにおけるユーザ機器間に干渉が存在し、前記干渉の存在は、ユーザ機器がアップリンク送信を実行するときに、別のユーザ機器によって同時および同周波数の様式で実行されるダウンリンク受信が干渉されるということを示す、ステップと、
前記基地局によって、前記Ｎ個のユーザグループのそれぞれにおけるユーザ機器に関して、アップリンク送信のために使用されるアップリンク周波数帯域、およびダウンリンク受信のために使用されるダウンリンク周波数帯域を構成するステップであって、同じユーザグループにおいて、前記アップリンク周波数帯域は、前記ダウンリンク周波数帯域とは異なり、前記アップリンク周波数帯域および前記ダウンリンク周波数帯域は、前記全二重システムの動作周波数帯域の周波数サブ帯域である、ステップとを含む
構成方法。
【請求項２】
前記Ｎ個のユーザグループは第１のユーザグループおよび第２のユーザグループを含み、前記第１のユーザグループにおけるユーザ機器と前記第２のユーザグループにおけるユーザ機器との間に干渉が存在し、
前記基地局が、前記第１のユーザグループおよび前記第２のユーザグループにおけるユーザ機器に関して、アップリンク送信のために使用されるアップリンク周波数帯域、およびダウンリンク受信のために使用されるダウンリンク周波数帯域を構成することは、
前記第１のユーザグループの前記アップリンク周波数帯域、および前記第２のユーザグループの前記ダウンリンク周波数帯域を別々の周波数帯域として構成し、前記第１のユーザグループの前記ダウンリンク周波数帯域、および前記第２のユーザグループの前記アップリンク周波数帯域を別々の周波数帯域として構成するステップを含む
請求項１に記載の構成方法。
【請求項３】
前記Ｎ個のユーザグループは第３のユーザグループおよび第４のユーザグループを含み、前記第３のユーザグループにおけるユーザ機器と前記第４のユーザグループにおけるユーザ機器との間に干渉が存在せず、
前記基地局が、前記第３のユーザグループおよび前記第４のユーザグループにおけるユーザ機器に関して、アップリンク送信のために使用されるアップリンク周波数帯域、およびダウンリンク受信のために使用されるダウンリンク周波数帯域を構成することは、
前記第３のユーザグループの前記アップリンク周波数帯域、および前記第４のユーザグループの前記ダウンリンク周波数帯域を同じ周波数帯域として構成し、前記第３のユーザグループの前記ダウンリンク周波数帯域、および前記第４のユーザグループの前記アップリンク周波数帯域を同じ周波数帯域として構成するステップを含む
請求項１または２に記載の構成方法。
【請求項４】
基地局によって、第１のセル内のユーザ機器をＮ個のユーザグループへと分割する前記ステップは、
前記基地局によって、前記第１のセル内の前記ユーザ機器の地理的ロケーション情報を入手するステップと、
前記基地局によって、前記ユーザ機器の前記地理的ロケーション情報に従って前記第１のセル内の前記ユーザ機器を前記Ｎ個のユーザグループへと分割するステップとを含む
請求項１乃至３のいずれか一項に記載の構成方法。
【請求項５】
前記第１のユーザグループが前記第２のユーザグループに隣り合っている場合には、前記基地局は、前記第１のユーザグループにおける前記ユーザ機器と前記第２のユーザグループにおける前記ユーザ機器との間に干渉が存在するということを決定し、または
前記第３のユーザグループが前記第４のユーザグループに隣り合っていない場合には、前記基地局は、前記第３のユーザグループと前記第４のユーザグループとの間に干渉が存在しないということを決定する
請求項４に記載の構成方法。
【請求項６】
基地局によって、第１のセル内のユーザ機器をＮ個のユーザグループへと分割する前記ステップは、
前記基地局によって、前記第１のセル内の前記ユーザ機器間における干渉情報に従って前記ユーザ機器を前記Ｎ個のユーザグループへと分割するステップであって、ユーザグループにおけるユーザ機器のうちのいずれか１つと、同じユーザグループにおける少なくとも１つのユーザ機器との間に干渉が存在する、ステップを含む
請求項３に記載の構成方法。
【請求項７】
前記第１のユーザグループにおける少なくとも１つのユーザ機器と前記第２のユーザグループにおける少なくとも１つのユーザ機器との間に干渉が存在する場合には、前記基地局は、前記第１のユーザグループにおける前記ユーザ機器と前記第２のユーザグループにおける前記ユーザ機器との間に干渉が存在するということを決定し、
前記第３のユーザグループにおけるいずれかのユーザ機器と前記第４のユーザグループにおけるいずれかのユーザ機器との間に干渉が存在しない場合には、前記基地局は、前記第３のユーザグループにおける前記ユーザ機器と前記第４のユーザグループにおける前記ユーザ機器との間に干渉が存在しないということを決定する
請求項６に記載の構成方法。
【請求項８】
前記基地局によって、第２のセルの構成情報を入手するステップであって、前記第２のセルの前記構成情報は、前記第２のセル内にあって前記第１のセルに干渉するユーザグループの少なくともアップリンク周波数帯域およびダウンリンク周波数帯域を含み、前記第２のセルは、前記第１のセルに隣り合っているセルである、ステップ、
第５のユーザグループが、前記第２のセル内にあって前記第１のセルに干渉するユーザグループであり、前記第５のユーザグループのアップリンク周波数帯域が、前記第１のセル内にあって前記第２のセルに干渉するユーザグループのうちの第６のユーザグループのダウンリンク周波数帯域と同じである場合には、前記第６のユーザグループの前記ダウンリンク周波数帯域が前記第５のユーザグループの前記アップリンク周波数帯域とは異なるように前記第６のユーザグループの前記ダウンリンク周波数帯域を調整するステップ、または
第７のユーザグループが、前記第２のセル内にあって前記第１のセルに干渉するユーザグループであり、前記第７のユーザグループのダウンリンク周波数帯域が、前記第１のセル内にあって前記第２のセルに干渉するユーザグループのうちの第８のユーザグループのアップリンク周波数帯域と同じである場合には、前記第８のユーザグループの前記アップリンク周波数帯域が前記第７のユーザグループの前記ダウンリンク周波数帯域とは異なるように前記第８のユーザグループの前記アップリンク周波数帯域を調整するステップをさらに含む
請求項１乃至７のいずれか一項に記載の構成方法。
【請求項９】
前記基地局によって、第３のセルの構成情報を入手するステップであって、前記第３のセルの前記構成情報は、前記第３のセル内にあって前記第１のセルに干渉するユーザグループの少なくともアップリンク周波数帯域、ダウンリンク周波数帯域、および時間スケジューリング情報を含み、前記第３のセルは、前記第１のセルに隣り合っているセルである、ステップ、
第９のユーザグループが、前記第３のセル内にあって前記第１のセルに干渉するユーザグループであり、前記第９のユーザグループのアップリンク周波数帯域が、前記第１のセル内の第１０のユーザグループのダウンリンク周波数帯域と同じである場合には、前記第１０のユーザグループのスケジューリング時間を、前記第９のユーザグループのスケジューリング時間とは異なるスケジューリング時間へ調整するステップであって、前記第９のユーザグループは、前記第３のセルに属しており、前記第１０のユーザグループは、前記第１のセルに属している、ステップ、または
第１１のユーザグループが、前記第３のセル内にあって前記第１のセルに干渉するユーザグループであり、前記第１１のユーザグループのダウンリンク周波数帯域が、前記第１のセル内の第１２のユーザグループのアップリンク周波数帯域と同じである場合には、前記第１２のユーザグループのスケジューリング時間を、前記第１１のユーザグループのスケジューリング時間とは異なるスケジューリング時間へ調整するステップであって、前記第１２のユーザグループは、前記第１のセルに属しており、前記第１１のユーザグループは、前記第３のセルに属している、ステップをさらに含む
請求項１乃至７のいずれか一項に記載の構成方法。
【請求項１０】
前記基地局によって、前記第１のセルの構成情報を第４のセルの基地局へ送信するステップであって、前記第１のセルの前記構成情報は、前記第１のセル内にあって前記第４のセルに干渉するユーザグループの少なくともアップリンク周波数帯域、ダウンリンク周波数帯域、および時間スケジューリング情報を含む、ステップをさらに含む
請求項１乃至７のいずれか一項に記載の構成方法。
【請求項１１】
全二重システムに適用される構成装置であって、
第１のセル内のユーザ機器をＮ個のユーザグループへと分割するステップであって、Ｎは２以上の正の整数であり、前記Ｎ個のユーザグループのそれぞれにおけるユーザ機器間に干渉が存在し、前記干渉の存在は、ユーザ機器がアップリンク送信を実行するときに、別のユーザ機器によって同時および同周波数の様式で実行されるダウンリンク受信が干渉されるということを示す、ステップを行うように構成されているグループ化ユニットと、
前記Ｎ個のユーザグループのそれぞれにおけるユーザ機器に関して、アップリンク送信のために使用されるアップリンク周波数帯域、およびダウンリンク受信のために使用されるダウンリンク周波数帯域を構成するステップであって、同じユーザグループにおいて、前記アップリンク周波数帯域は、前記ダウンリンク周波数帯域とは異なり、前記アップリンク周波数帯域および前記ダウンリンク周波数帯域は、前記全二重システムの動作周波数帯域の周波数サブ帯域である、ステップを行うように構成されている構成ユニットとを含む
構成装置。
【請求項１２】
前記Ｎ個のユーザグループは第１のユーザグループおよび第２のユーザグループを含み、前記第１のユーザグループにおけるユーザ機器と前記第２のユーザグループにおけるユーザ機器との間に干渉が存在し、
前記構成ユニットは、
前記第１のユーザグループのアップリンク周波数帯域、および前記第２のユーザグループのダウンリンク周波数帯域を別々の周波数帯域として構成し、前記第１のユーザグループのダウンリンク周波数帯域、および前記第２のユーザグループのアップリンク周波数帯域を別々の周波数帯域として構成するステップを行うように特に構成されている
請求項１１に記載の構成装置。
【請求項１３】
前記Ｎ個のユーザグループは第３のユーザグループおよび第４のユーザグループを含み、前記第３のユーザグループにおけるユーザ機器と前記第４のユーザグループにおけるユーザ機器との間に干渉が存在せず、
前記構成ユニットは、
前記第３のユーザグループのアップリンク周波数帯域、および前記第４のユーザグループのダウンリンク周波数帯域を同じ周波数帯域として構成し、前記第３のユーザグループのダウンリンク周波数帯域、および前記第４のユーザグループのアップリンク周波数帯域を同じ周波数帯域として構成するステップを行うようにさらに構成されている
請求項１１または１２に記載の構成装置。
【請求項１４】
前記グループ化ユニットは、
前記第１のセル内の前記ユーザ機器の地理的ロケーション情報を入手するステップを行うように構成されている第１の入手モジュールと、
前記ユーザ機器の前記地理的ロケーション情報に従って前記第１のセル内の前記ユーザ機器を前記Ｎ個のユーザグループへと分割するステップを行うように構成されている第１の分割モジュールとを含む
請求項１１乃至１３のいずれか一項に記載の構成装置。
【請求項１５】
前記第１のユーザグループが前記第２のユーザグループに隣り合っているかどうかを決定するように構成されている第１の判断ユニットと、
前記第１のユーザグループが前記第２のユーザグループに隣り合っているということを前記第１の判断ユニットが決定した場合には、前記第１のユーザグループにおける前記ユーザ機器と前記第２のユーザグループにおける前記ユーザ機器との間に干渉が存在するということを決定するように構成されている第１の決定ユニットと、
前記第３のユーザグループが前記第４のユーザグループに隣り合っていないということを前記第１の判断ユニットが決定した場合には、前記第３のユーザグループと前記第４のユーザグループとの間に干渉が存在しないということを前記基地局によって決定するように構成されている第２の決定ユニットとをさらに含む
請求項１４に記載の構成装置。
【請求項１６】
前記グループ化ユニットは、
前記第１のセル内の前記ユーザ機器間における干渉情報に従って前記ユーザ機器を前記Ｎ個のユーザグループへと分割するステップであって、ユーザグループにおけるユーザ機器のうちのいずれか１つと、同じユーザグループにおける少なくとも１つのユーザ機器との間に干渉が存在する、ステップを行うように構成されている第２の分割モジュールを含む
請求項１３に記載の構成装置。
【請求項１７】
前記第２のユーザグループにおける少なくとも１つのユーザ機器に干渉する少なくとも１つのユーザ機器を前記第１のユーザグループが含んでいるかどうかを決定するように構成されている第２の判断ユニットと、
前記第１のユーザグループにおける前記少なくとも１つのユーザ機器と前記第２のユーザグループにおける前記少なくとも１つのユーザ機器との間に干渉が存在するということを前記第２の判断ユニットが決定した場合には、前記第１のユーザグループにおける前記ユーザ機器と前記第２のユーザグループにおける前記ユーザ機器との間に干渉が存在するということを前記基地局によって決定するように構成されている第３の決定ユニットと、
前記第３のユーザグループにおけるいずれかのユーザ機器と前記第４のユーザグループにおけるいずれかのユーザ機器との間に干渉が存在しないかどうかを決定するように構成されている第３の判断ユニットと、
前記第３のユーザグループにおけるいずれかのユーザ機器と前記第４のユーザグループにおけるいずれかのユーザ機器との間に干渉が存在しないということを前記第３の判断ユニットが決定した場合には、前記第３のユーザグループにおける前記ユーザ機器と前記第４のユーザグループにおける前記ユーザ機器との間に干渉が存在しないということを決定するように構成されている第４の決定ユニットとをさらに含む
請求項１６に記載の構成装置。
【請求項１８】
前記基地局によって、第２のセルの構成情報を入手するステップであって、前記第２のセルの前記構成情報は、前記第２のセル内にあって前記第１のセルに干渉するユーザグループの少なくともアップリンク周波数帯域およびダウンリンク周波数帯域を含み、前記第２のセルは、前記第１のセルに隣り合っているセルである、ステップを行うように構成されている第１の入手ユニットと、
第５のユーザグループが、前記第２のセル内にあって前記第１のセルに干渉するユーザグループであり、前記第５のユーザグループのアップリンク周波数帯域が、前記第１のセル内にあって前記第２のセルに干渉するユーザグループのうちの第６のユーザグループのダウンリンク周波数帯域と同じである場合には、前記第６のユーザグループの前記ダウンリンク周波数帯域が前記第５のユーザグループの前記アップリンク周波数帯域とは異なるように前記第６のユーザグループの前記ダウンリンク周波数帯域を調整するステップ、または
第７のユーザグループが、前記第２のセル内にあって前記第１のセルに干渉するユーザグループであり、前記第７のユーザグループのダウンリンク周波数帯域が、前記第１のセル内にあって前記第２のセルに干渉するユーザグループのうちの第８のユーザグループのアップリンク周波数帯域と同じである場合には、前記第８のユーザグループの前記アップリンク周波数帯域が前記第７のユーザグループの前記ダウンリンク周波数帯域とは異なるように前記第８のユーザグループの前記アップリンク周波数帯域を調整するステップ
を行うように構成されている第１の調整ユニットとをさらに含む
請求項１１乃至１７のいずれか一項に記載の構成装置。
【請求項１９】
第３のセルの構成情報を入手するステップであって、前記第３のセルの前記構成情報は、前記第３のセル内にあって前記第１のセルに干渉するユーザグループの少なくともアップリンク周波数帯域、ダウンリンク周波数帯域、および時間スケジューリング情報を含み、前記第３のセルは、前記第１のセルに隣り合っているセルである、ステップを行うように構成されている第２の入手ユニットと、
第９のユーザグループが、前記第３のセル内にあって前記第１のセルに干渉するユーザグループであり、前記第９のユーザグループのアップリンク周波数帯域が、前記第１のセル内の第１０のユーザグループのダウンリンク周波数帯域と同じである場合には、前記第１０のユーザグループのスケジューリング時間を、前記第９のユーザグループのスケジューリング時間とは異なるスケジューリング時間へ調整するステップであって、前記第９のユーザグループは、前記第３のセルに属しており、前記第１０のユーザグループは、前記第１のセルに属している、ステップ、または
第１１のユーザグループが、前記第３のセル内にあって前記第１のセルに干渉するユーザグループであり、前記第１１のユーザグループのダウンリンク周波数帯域が、前記第１のセル内の第１２のユーザグループのアップリンク周波数帯域と同じである場合には、前記第１２のユーザグループのスケジューリング時間を、前記第１１のユーザグループのスケジューリング時間とは異なるスケジューリング時間へ調整するステップであって、前記第１２のユーザグループは、前記第１のセルに属しており、前記第１１のユーザグループは、前記第３のセルに属している、ステップ
を行うように構成されている第２の調整ユニットとをさらに含む
請求項１１乃至１７のいずれか一項に記載の構成装置。
【請求項２０】
前記基地局によって、前記第１のセルの構成情報を第４のセルの基地局へ送信するステップであって、前記第１のセルの前記構成情報は、前記第１のセル内にあって前記第４のセルに干渉するユーザグループの少なくともアップリンク周波数帯域、ダウンリンク周波数帯域、および時間スケジューリング情報を含む、ステップを行うように構成されている送信ユニットをさらに含む
請求項１１乃至１７のいずれか一項に記載の構成装置。
【発明の詳細な説明】
【技術分野】
【０００１】
本発明の実施形態は、通信技術の分野に関し、詳細には、構成方法および装置に関する。
【０００２】
本出願は、２０１５年１２月１１日に中国特許庁に出願された「ＣＯＮＦＩＧＵＲＡＴＩＯＮ  ＭＥＴＨＯＤ  ＡＮＤ  ＡＰＰＡＲＡＴＵＳ」と題されている中国特許出願第２０１５１０９２５９２６．６号に対する優先権を主張するものであり、その中国特許出願第２０１５１０９２５９２６．６号は、その全体が参照によって本明細書に組み込まれている。
【背景技術】
【０００３】
全二重ワイヤレス通信技術は、新たな通信技術である。この技術を使用することによって、同時および同周波数での通信が実施され得る。
【０００４】
しかしながら、連続したネットワーキングのケースにおいて、すなわちローカルセルが複数のユーザ機器を有しているときに、それらの複数のユーザ機器が、同時および同周波数の様式で互いに通信して、かつアップリンク送信を実行するユーザ機器が、ダウンリンク受信を実行するユーザ機器に比較的近い場合には、同周波数の様式でダウンリンク受信を実行するユーザ機器は、アップリンク送信のユーザ機器がアップリンク送信を実行するときに大幅に干渉される。
【発明の概要】
【発明が解決しようとする課題】
【０００５】
本発明の実施形態は、全二重システムにおけるユーザ機器間における干渉を低減するための、構成方法および装置を提供する。
【課題を解決するための手段】
【０００６】
前述の目的を達成するために、本発明の実施形態においては下記の技術的なソリューションが使用される。
【０００７】
第１の態様によれば、本発明の実施形態は、全二重システムに適用される構成方法を提供し、この方法は、
基地局によって、第１のセル内のユーザ機器をＮ個のユーザグループへと分割するステップであって、Ｎは２以上の正の整数であり、Ｎ個のユーザグループのそれぞれにおけるユーザ機器間に干渉が存在し、干渉の存在は、ユーザ機器がアップリンク送信を実行するときに、別のユーザ機器によって同時および同周波数の様式で実行されるダウンリンク受信が干渉されるということを示す、ステップと、
基地局によって、Ｎ個のユーザグループのそれぞれにおけるユーザ機器に関して、アップリンク送信のために使用されるアップリンク周波数帯域、およびダウンリンク受信のために使用されるダウンリンク周波数帯域を構成するステップであって、同じユーザグループ内においてアップリンク周波数帯域はダウンリンク周波数帯域とは異なり、アップリンク周波数帯域およびダウンリンク周波数帯域は、全二重システムの動作周波数帯域の周波数サブ帯域である、ステップとを含む。
【０００８】
第１の態様に関連して、第１の態様の第１の可能な実施態様においては、Ｎ個のユーザグループは第１のユーザグループおよび第２のユーザグループを含み、第１のユーザグループにおけるユーザ機器と第２のユーザグループにおけるユーザ機器との間に干渉が存在し、
基地局が、第１のユーザグループおよび第２のユーザグループにおけるユーザ機器に関して、アップリンク送信のために使用されるアップリンク周波数帯域、およびダウンリンク受信のために使用されるダウンリンク周波数帯域を構成することは、
第１のユーザグループのアップリンク周波数帯域、および第２のユーザグループのダウンリンク周波数帯域を別々の周波数帯域として構成し、第１のユーザグループのダウンリンク周波数帯域、および第２のユーザグループのアップリンク周波数帯域を別々の周波数帯域として構成するステップを含む。
【０００９】
第１の態様、または第１の態様の第１の可能な実施態様に関連して、第１の態様の第２の可能な実施態様においては、Ｎ個のユーザグループは第３のユーザグループおよび第４のユーザグループを含み、第３のユーザグループにおけるユーザ機器と第４のユーザグループにおけるユーザ機器との間に干渉が存在せず、
基地局が、第３のユーザグループおよび第４のユーザグループにおけるユーザ機器に関して、アップリンク送信のために使用されるアップリンク周波数帯域、およびダウンリンク受信のために使用されるダウンリンク周波数帯域を構成することは、
第３のユーザグループのアップリンク周波数帯域、および第４のユーザグループのダウンリンク周波数帯域を同じ周波数帯域として構成し、第３のユーザグループのダウンリンク周波数帯域、および第４のユーザグループのアップリンク周波数帯域を同じ周波数帯域として構成するステップを含む。
【００１０】
第１の態様、第１の態様の第１の可能な実施態様、または第１の態様の第２の可能な実施態様に関連して、第１の態様の第３の可能な実施態様においては、基地局によって、第１のセル内のユーザ機器をＮ個のユーザグループへと分割するステップは、
基地局によって、第１のセル内のユーザ機器の地理的ロケーション情報を入手するステップと、
基地局によって、ユーザ機器の地理的ロケーション情報に従って第１のセル内のユーザ機器をＮ個のユーザグループへと分割するステップとを含む。
【００１１】
第１の態様の第３の可能な実施態様に関連して、第１の態様の第４の可能な実施態様においては、第１のユーザグループが第２のユーザグループに隣り合っている場合には、基地局は、第１のユーザグループにおけるユーザ機器と第２のユーザグループにおけるユーザ機器との間に干渉が存在するということを決定し、または
第３のユーザグループが第４のユーザグループに隣り合っていない場合には、基地局は、第３のユーザグループと第４のユーザグループとの間に干渉が存在しないということを決定する。
【００１２】
第１の態様の第２の可能な実施態様に関連して、第１の態様の第５の可能な実施態様においては、基地局によって、第１のセル内のユーザ機器をＮ個のユーザグループへと分割するステップは、
基地局によって、第１のセル内のユーザ機器間における干渉情報に従ってユーザ機器をＮ個のユーザグループへと分割するステップであって、ユーザグループにおけるユーザ機器のうちのいずれか１つと同じユーザグループにおける少なくとも１つのユーザ機器との間に干渉が存在する、ステップを含む。
【００１３】
第１の態様の第５の可能な実施態様に関連して、第１の態様の第６の可能な実施態様においては、第１のユーザグループにおける少なくとも１つのユーザ機器と第２のユーザグループにおける少なくとも１つのユーザ機器との間に干渉が存在する場合には、基地局は、第１のユーザグループにおけるユーザ機器と第２のユーザグループにおけるユーザ機器との間に干渉が存在するということを決定し、
第３のユーザグループにおけるいずれかのユーザ機器と第４のユーザグループにおけるいずれかのユーザ機器との間に干渉が存在しない場合には、基地局は、第３のユーザグループにおけるユーザ機器と第４のユーザグループにおけるユーザ機器との間に干渉が存在しないということを決定する。
【００１４】
第１の態様から第１の態様の第６の可能な実施態様のうちのいずれか１つに関連して、第１の態様の第７の可能な実施態様においては、この方法は、
基地局によって、第２のセルの構成情報を入手するステップであって、第２のセルの構成情報は、第２のセル内にあって第１のセルに干渉するユーザグループの少なくともアップリンク周波数帯域およびダウンリンク周波数帯域を含み、第２のセルは、第１のセルに隣り合っているセルである、ステップ、
第５のユーザグループが、第２のセル内にあって第１のセルに干渉するユーザグループであり、第５のユーザグループのアップリンク周波数帯域が、第１のセル内にあって第２のセルに干渉するユーザグループのうちの第６のユーザグループのダウンリンク周波数帯域と同じである場合には、第６のユーザグループのダウンリンク周波数帯域が第５のユーザグループのアップリンク周波数帯域とは異なるように第６のユーザグループのダウンリンク周波数帯域を調整するステップ、または
第７のユーザグループが、第２のセル内にあって第１のセルに干渉するユーザグループであり、第７のユーザグループのダウンリンク周波数帯域が、第１のセル内にあって第２のセルに干渉するユーザグループのうちの第８のユーザグループのアップリンク周波数帯域と同じである場合には、第８のユーザグループのアップリンク周波数帯域が第７のユーザグループのダウンリンク周波数帯域とは異なるように第８のユーザグループのアップリンク周波数帯域を調整するステップをさらに含む。
【００１５】
第１の態様から第１の態様の第６の可能な実施態様のうちのいずれか１つに関連して、第１の態様の第８の可能な実施態様においては、この方法は、
基地局によって、第３のセルの構成情報を入手するステップであって、第３のセルの構成情報は、第３のセル内にあって第１のセルに干渉するユーザグループの少なくともアップリンク周波数帯域、ダウンリンク周波数帯域、および時間スケジューリング情報を含み、第３のセルは、第１のセルに隣り合っているセルである、ステップ、
第９のユーザグループが、第３のセル内にあって第１のセルに干渉するユーザグループであり、第９のユーザグループのアップリンク周波数帯域が、第１のセル内の第１０のユーザグループのダウンリンク周波数帯域と同じである場合には、第１０のユーザグループのスケジューリング時間を、第９のユーザグループのスケジューリング時間とは異なるスケジューリング時間へ調整するステップであって、第９のユーザグループは、第３のセルに属しており、第１０のユーザグループは、第１のセルに属している、ステップ、または
第１１のユーザグループが、第３のセル内にあって第１のセルに干渉するユーザグループであり、第１１のユーザグループのダウンリンク周波数帯域が、第１のセル内の第１２のユーザグループのアップリンク周波数帯域と同じである場合には、第１２のユーザグループのスケジューリング時間を、第１１のユーザグループのスケジューリング時間とは異なるスケジューリング時間へ調整するステップであって、第１２のユーザグループは、第１のセルに属しており、第１１のユーザグループは、第３のセルに属している、ステップをさらに含む。
【００１６】
第２の態様によれば、本発明の実施形態は、全二重システムに適用される構成装置を提供し、この装置は、
第１のセル内のユーザ機器をＮ個のユーザグループへと分割するステップであって、Ｎは２以上の正の整数であり、Ｎ個のユーザグループのそれぞれにおけるユーザ機器間に干渉が存在し、干渉の存在は、ユーザ機器がアップリンク送信を実行するときに、別のユーザ機器によって同時および同周波数の様式で実行されるダウンリンク受信が干渉されるということを示す、ステップを行うように構成されているグループ化ユニットと、
Ｎ個のユーザグループのそれぞれにおけるユーザ機器に関して、アップリンク送信のために使用されるアップリンク周波数帯域、およびダウンリンク受信のために使用されるダウンリンク周波数帯域を構成するステップであって、同じユーザグループ内においてアップリンク周波数帯域はダウンリンク周波数帯域とは異なり、アップリンク周波数帯域およびダウンリンク周波数帯域は、全二重システムの動作周波数帯域の周波数サブ帯域である、ステップを行うように構成されている構成ユニットとを含む。
【００１７】
第２の態様に関連して、第２の態様の第１の可能な実施態様においては、Ｎ個のユーザグループは第１のユーザグループおよび第２のユーザグループを含み、第１のユーザグループにおけるユーザ機器と第２のユーザグループにおけるユーザ機器との間に干渉が存在し、
構成ユニットは、
第１のユーザグループのアップリンク周波数帯域、および第２のユーザグループのダウンリンク周波数帯域を別々の周波数帯域として構成し、第１のユーザグループのダウンリンク周波数帯域、および第２のユーザグループのアップリンク周波数帯域を別々の周波数帯域として構成するステップを行うように特に構成されている。
【００１８】
第２の態様、または第２の態様の第１の可能な実施態様に関連して、第２の態様の第２の可能な実施態様においては、Ｎ個のユーザグループは第３のユーザグループおよび第４のユーザグループを含み、第３のユーザグループにおけるユーザ機器と第４のユーザグループにおけるユーザ機器との間に干渉が存在せず、
構成ユニットは、
第３のユーザグループのアップリンク周波数帯域、および第４のユーザグループのダウンリンク周波数帯域を同じ周波数帯域として構成し、第３のユーザグループのダウンリンク周波数帯域、および第４のユーザグループのアップリンク周波数帯域を同じ周波数帯域として構成するステップを行うようにさらに構成されている。
【００１９】
第２の態様から第２の態様の第２の可能な実施態様のうちのいずれか１つに関連して、第２の態様の第３の可能な実施態様においては、グループ化ユニットは、
第１のセル内のユーザ機器の地理的ロケーション情報を入手するステップを行うように構成されている第１の入手モジュールと、
ユーザ機器の地理的ロケーション情報に従って第１のセル内のユーザ機器をＮ個のユーザグループへと分割するステップを行うように構成されている第１の分割モジュールとを含む。
【００２０】
第２の態様の第３の可能な実施態様に関連して、第２の態様の第４の可能な実施態様においては、この装置は、
第１のユーザグループが第２のユーザグループに隣り合っているかどうかを決定するように構成されている第１の判断ユニットと、
第１のユーザグループが第２のユーザグループに隣り合っているということを第１の判断ユニットが決定した場合には、第１のユーザグループにおけるユーザ機器と第２のユーザグループにおけるユーザ機器との間に干渉が存在するということを決定するように構成されている第１の決定ユニットと、
第３のユーザグループが第４のユーザグループに隣り合っていないということを第１の判断ユニットが決定した場合には、第３のユーザグループと第４のユーザグループとの間に干渉が存在しないということを基地局によって決定するように構成されている第２の決定ユニットとをさらに含む。
【００２１】
第２の態様の第２の可能な実施態様に関連して、第２の態様の第５の可能な実施態様においては、グループ化ユニットは、
第１のセル内のユーザ機器間における干渉情報に従ってユーザ機器をＮ個のユーザグループへと分割するステップであって、ユーザグループにおけるユーザ機器のうちのいずれか１つと、同じユーザグループにおける少なくとも１つのユーザ機器との間に干渉が存在する、ステップを行うように構成されている第２の分割モジュールを含む。
【００２２】
第２の態様の第５の可能な実施態様に関連して、第２の態様の第６の可能な実施態様においては、この装置は、
第２のユーザグループにおける少なくとも１つのユーザ機器に干渉する少なくとも１つのユーザ機器を第１のユーザグループが含んでいるかどうかを決定するように構成されている第２の判断ユニットと、
第１のユーザグループにおける少なくとも１つのユーザ機器と第２のユーザグループにおける少なくとも１つのユーザ機器との間に干渉が存在するということを第２の判断ユニットが決定した場合には、第１のユーザグループにおけるユーザ機器と第２のユーザグループにおけるユーザ機器との間に干渉が存在するということを基地局によって決定するように構成されている第３の決定ユニットと、
第３のユーザグループにおけるいずれかのユーザ機器と第４のユーザグループにおけるいずれかのユーザ機器との間に干渉が存在しないかどうかを決定するように構成されている第３の判断ユニットと、
第３のユーザグループにおけるいずれかのユーザ機器と第４のユーザグループにおけるいずれかのユーザ機器との間に干渉が存在しないということを第３の判断ユニットが決定した場合には、第３のユーザグループにおけるユーザ機器と第４のユーザグループにおけるユーザ機器との間に干渉が存在しないということを決定するように構成されている第４の決定ユニットとをさらに含む。
【００２３】
第２の態様から第２の態様の第６の可能な実施態様のうちのいずれか１つに関連して、第２の態様の第７の可能な実施態様においては、この装置は、
基地局によって、第２のセルの構成情報を入手するステップであって、第２のセルの構成情報は、第２のセル内にあって第１のセルに干渉するユーザグループの少なくともアップリンク周波数帯域およびダウンリンク周波数帯域を含み、第２のセルは、第１のセルに隣り合っているセルである、ステップを行うように構成されている第１の入手ユニットと、
第５のユーザグループが、第２のセル内にあって第１のセルに干渉するユーザグループであり、第５のユーザグループのアップリンク周波数帯域が、第１のセル内にあって第２のセルに干渉するユーザグループのうちの第６のユーザグループのダウンリンク周波数帯域と同じである場合には、第６のユーザグループのダウンリンク周波数帯域が第５のユーザグループのアップリンク周波数帯域とは異なるように第６のユーザグループのダウンリンク周波数帯域を調整するステップ、または
第７のユーザグループが、第２のセル内にあって第１のセルに干渉するユーザグループであり、第７のユーザグループのダウンリンク周波数帯域が、第１のセル内にあって第２のセルに干渉するユーザグループのうちの第８のユーザグループのアップリンク周波数帯域と同じである場合には、第８のユーザグループのアップリンク周波数帯域が第７のユーザグループのダウンリンク周波数帯域とは異なるように第８のユーザグループのアップリンク周波数帯域を調整するステップ
を行うように構成されている第１の調整ユニットとをさらに含む。
【００２４】
第２の態様から第２の態様の第６の可能な実施態様のうちのいずれか１つに関連して、第２の態様の第８の可能な実施態様においては、この装置は、
第３のセルの構成情報を入手するステップであって、第３のセルの構成情報は、第３のセル内にあって第１のセルに干渉するユーザグループの少なくともアップリンク周波数帯域、ダウンリンク周波数帯域、および時間スケジューリング情報を含み、第３のセルは、第１のセルに隣り合っているセルである、ステップを行うように構成されている第２の入手ユニットと、
第９のユーザグループが、第３のセル内にあって第１のセルに干渉するユーザグループであり、第９のユーザグループのアップリンク周波数帯域が、第１のセル内の第１０のユーザグループのダウンリンク周波数帯域と同じである場合には、第１０のユーザグループのスケジューリング時間を、第９のユーザグループのスケジューリング時間とは異なるスケジューリング時間へ調整するステップであって、第９のユーザグループは、第３のセルに属しており、第１０のユーザグループは、第１のセルに属している、ステップ、または
第１１のユーザグループが、第３のセル内にあって第１のセルに干渉するユーザグループであり、第１１のユーザグループのダウンリンク周波数帯域が、第１のセル内の第１２のユーザグループのアップリンク周波数帯域と同じである場合には、第１２のユーザグループのスケジューリング時間を、第１１のユーザグループのスケジューリング時間とは異なるスケジューリング時間へ調整するステップであって、第１２のユーザグループは、第１のセルに属しており、第１１のユーザグループは、第３のセルに属している、ステップ
を行うように構成されている第２の調整ユニットとをさらに含む。
【００２５】
第２の態様から第２の態様の第６の可能な実施態様のうちのいずれか１つに関連して、第２の態様の第９の可能な実施態様においては、この装置は、
基地局によって、第１のセルの構成情報を第４のセルの基地局へ送信するステップであって、第１のセルの構成情報は、第１のセル内にあって第４のセルに干渉するユーザグループの少なくともアップリンク周波数帯域、ダウンリンク周波数帯域、および時間スケジューリング情報を含む、ステップを行うように構成されている送信ユニットをさらに含む。
【発明の効果】
【００２６】
本発明の実施形態において提供されている構成方法によれば、基地局は、第１のセル内のユーザ機器をＮ個のユーザグループへと分割するステップであって、Ｎは２以上の正の整数であり、Ｎ個のユーザグループのそれぞれにおけるユーザ機器間に干渉が存在し、干渉の存在は、ユーザ機器がアップリンク送信を実行するときに、別のユーザ機器によって同時および同周波数の様式で実行されるダウンリンク受信が干渉されるということを示す、ステップと、Ｎ個のユーザグループのそれぞれにおけるユーザ機器に関して、アップリンク送信のために使用されるアップリンク周波数帯域、およびダウンリンク受信のために使用されるダウンリンク周波数帯域を構成するステップであって、アップリンク周波数帯域は、同じユーザグループにおけるダウンリンク周波数帯域とは異なり、アップリンク周波数帯域およびダウンリンク周波数帯域は、全二重システムの動作周波数帯域の周波数サブ帯域である、ステップとを行う。それぞれのユーザグループにおけるユーザ機器間に干渉が存在するので、同じユーザグループにおけるユーザ機器に関して別々の周波数帯域におけるアップリンク周波数帯域およびダウンリンク周波数帯域が構成されている場合には、そのユーザグループにおけるユーザ機器のアップリンク送信によってそのユーザグループにおける別のユーザ機器のダウンリンク受信に対してもたらされる干渉が回避されることが可能である。加えて、アップリンク周波数帯域およびダウンリンク周波数帯域は、全二重システムの動作周波数帯域の周波数サブ帯域であり、それによって基地局は、同じ動作周波数帯域の別々の周波数サブ帯域上で全二重システムにおける第１のセル内の別々のユーザ機器にアップリンク送信サービスおよびダウンリンク受信サービスを提供することができる。
【図面の簡単な説明】
【００２７】
本発明の実施形態における、または従来技術における技術的なソリューションについてより明確に記述するために、以降では、それらの実施形態または従来技術について記述するために必要とされる添付の図面について簡単に記述する。明らかに、以降の説明における添付の図面は、本発明のいくつかの実施形態を示しているにすぎず、当技術分野における標準的な技術者なら、それでもなお、創造的な取り組みを伴わずにこれらの添付の図面からその他の図面を導き出し得る。
【００２８】
【図１Ａ】本発明の実施形態による、全二重システムにおける通信ネットワークの概略図である。
【図１Ｂ】本発明の実施形態による、全二重システムにおいて互いに隣り合っているユーザ機器間およびセル間に干渉が存在している通信ネットワークの概略図である。
【図２Ａ】本発明の実施形態による構成方法における基地局の概略構造図である。
【図２Ｂ】本発明の実施形態による構成方法における基地局のベースバンドサブシステムの概略構造図である。
【図３】本発明の実施形態による構成方法の概略フローチャート１である。
【図４】本発明の実施形態による構成方法において第１のセル内で同じユーザグループに関して別々の周波数帯域におけるアップリンク周波数帯域およびダウンリンク周波数帯域を構成することについての通信ネットワークの概略図である。
【図５】本発明の実施形態による構成方法において第１のセル内で互いに干渉しているユーザグループに関して別々の周波数帯域におけるアップリンク周波数帯域およびダウンリンク周波数帯域を構成することについての通信ネットワークの概略図である。
【図６】本発明の実施形態による構成方法の概略フローチャート２である。
【図７】本発明の実施形態による構成方法においてユーザ機器の地理的ロケーションに従ってユーザグループを形成することの概略図である。
【図８】本発明の実施形態による構成方法においてユーザ機器間における干渉に従ってユーザグループを形成することの概略図である。
【図９】本発明の実施形態による構成方法の適用シナリオ１である。
【図１０Ａ】本発明の実施形態による構成方法における適用シナリオ１に基づく第１の適用シナリオの概略図である。
【図１０Ｂ】本発明の実施形態による構成方法における図１０Ａにおいて示されている第１の適用シナリオにおける構成を実行することの概略図である。
【図１０Ｃ】本発明の実施形態による構成方法における適用シナリオ１に基づく第２の適用シナリオの概略図である。
【図１０Ｄ】本発明の実施形態による構成方法における図１０Ｂにおいて示されている第１の適用シナリオにおける構成を実行することの概略図である。
【図１１】本発明の実施形態による図９において示されているシナリオに基づいて地理的ロケーション情報に従って入手されたユーザグループの概略図である。
【図１２】本発明の実施形態による構成方法の適用シナリオ２である。
【図１３】本発明の実施形態による構成方法の適用シナリオ３である。
【図１４】本発明の実施形態による構成方法の概略構造図１である。
【図１５】本発明の実施形態による構成方法の概略構造図２である。
【図１６】本発明の実施形態による基地局の概略構造図である。
【図１７】本発明の実施形態による基地局のハードウェアの概略図である。
【発明を実施するための形態】
【００２９】
以降では、本発明の実施形態における添付の図面を参照しながら、本発明の実施形態における技術的なソリューションについて明確にかつ完全に記述する。明らかに、記述されている実施形態は、本発明の実施形態のうちのいくつかにすぎず、すべてではない。
【００３０】
本発明の実施形態の作動原理は、
全二重ワイヤレス通信技術である。
【００３１】
この技術を使用することによって、同時および同周波数の通信が実施され得る。図１Ａにおいて示されているように、２つの通信デバイス、たとえば、基地局ｅＮＢ（ｅｖｏｌｖｅｄ  ＮｏｄｅＢ、エボルブドＮｏｄｅＢ）１およびｅＮＢ２が、同時および同周波数の様式で互いに通信する場合には、受信アンテナが、ピアエンドの望まれている信号を受信するだけでなく、その受信アンテナによって送信された信号、すなわち自己干渉信号も受信する。加えて、送信アンテナが受信アンテナに比較的近いので、自己干渉信号の強度は一般に、ピアエンドからの望まれている信号の強度よりもはるかに高い。
【００３２】
スペクトル効率を改善するために、ｅＮＢ（ｅｖｏｌｖｅｄ  ＮｏｄｅＢ、エボルブドＮｏｄｅＢ）が、通信のために全二重モードを使用し得る。搬送波ｆ１上でＵＥ（Ｕｓｅｒ  Ｅｑｕｉｐｍｅｎｔ、ユーザ機器）１への送信を実行しているときに、ｅＮＢは、ＵＥ３によって送信されたアップリンク信号を、同じ搬送波ｆ１上で受信する（ここでのＵＥは、半二重モデルを保持することによって、全二重ｅＮＢとさらに通信し得る）。連続したネットワーキングのケースにおいて、ローカルセルが複数のユーザ機器を有しているときに、アップリンク送信のためのＵＥが、ダウンリンク受信のためのＵＥに比較的近い場合には、図１Ａにおいて示されているＵＥ１およびＵＥ３のように、アップリンク送信を実行するＵＥ１が、ダウンリンク受信を実行するＵＥ３に対して比較的大きな干渉をもたらす。
【００３３】
従来のｅＮＢは、ＦＤＤ（Ｆｒｅｑｕｅｎｃｙ  Ｄｉｖｉｓｉｏｎ  Ｄｕｐｌｅｘｉｎｇ、周波数分割複信）またはＴＤＤ（Ｔｉｍｅ  Ｄｉｖｉｓｉｏｎ  Ｄｕｐｌｅｘｉｎｇ、時分割複信）に従って送信を実行する。このｅＮＢは、アップリンク周波数帯域およびダウンリンク周波数帯域を同時に使用することによって送信を実行することはない。したがって、ＵＥ間に小さな干渉が存在する。主に、ｅＮＢのセル内のＵＥのダウンリンク送信は、別のセル内のＵＥのアップリンク受信に干渉し、またはセル内のＵＥのダウンリンク送信は、別のｅＮＢのＵＥのアップリンク受信に干渉する。
【００３４】
しかしながら、図１Ｂにおいて示されているように、全ネットワーク二重モードにおいて、同じセル内のユーザ機器に関して、それらのユーザ機器が互いに比較的近い場合には、ユーザ機器がアップリンク周波数帯域ｆ１上でアップリンク送信を実行したときに、ダウンリンク周波数帯域ｆ１上で別のユーザ機器によって実行されるダウンリンク受信が大幅に干渉される。たとえば、ｅＮＢ１によってカバーされているＵＥ１およびＵＥ３に関して、ＵＥ１はＵＥ３に比較的近いので、ＵＥ１がアップリンク周波数帯域ｆ１上でアップリンク送信を実行して、ＵＥ３が同時にダウンリンク周波数帯域ｆ１上でダウンリンク受信を実行した場合には、ＵＥ１は、ＵＥ３のダウンリンク受信に大幅に干渉する。同じケースは、ｅＮＢ２のＵＥ４およびＵＥ５上でも生じる。
【００３５】
本発明の実施形態において提供されている構成方法によれば、基地局は、第１のセル内のユーザ機器をＮ個のユーザグループへと分割するステップであって、Ｎは２以上の正の整数であり、Ｎ個のユーザグループのそれぞれにおけるユーザ機器間に干渉が存在し、干渉の存在は、ユーザ機器がアップリンク送信を実行するときに、別のユーザ機器によって同時および同周波数の様式で実行されるダウンリンク受信が干渉されるということを示す、ステップと、Ｎ個のユーザグループのそれぞれにおけるユーザ機器に関して、アップリンク送信のために使用されるアップリンク周波数帯域、およびダウンリンク受信のために使用されるダウンリンク周波数帯域を構成するステップであって、アップリンク周波数帯域は、同じユーザグループにおけるダウンリンク周波数帯域とは異なり、アップリンク周波数帯域およびダウンリンク周波数帯域は、全二重システムの動作周波数帯域の周波数サブ帯域である、ステップとを行う。それぞれのユーザグループにおけるユーザ機器間に干渉が存在するので、同じユーザグループにおけるユーザ機器に関して別々の周波数帯域におけるアップリンク周波数帯域およびダウンリンク周波数帯域が構成されている場合には、そのユーザグループにおけるユーザ機器のアップリンク送信によってそのユーザグループにおける別のユーザ機器のダウンリンク受信に対してもたらされる干渉が回避されることが可能である。加えて、アップリンク周波数帯域およびダウンリンク周波数帯域は、全二重システムの動作周波数帯域の周波数サブ帯域であり、それによって基地局は、同じ動作周波数帯域の別々の周波数サブ帯域上で全二重システムにおける第１のセル内の別々のユーザ機器にアップリンク送信サービスおよびダウンリンク受信サービスを提供することができる。
【００３６】
本発明の実施形態における技術的なソリューションの明確な説明を容易にする目的で、基本的に同じ機能または目的を提供する同じアイテムまたは同様のアイテム間を区別するために、本発明の実施形態においては「第１の」および「第２の」などの言葉が使用されている。「第１の」および「第２の」などの言葉は、数および実施順序を限定するものではないということを当業者なら理解し得る。
【００３７】
本発明の実施形態において提供されている技術的なソリューションは、グローバルシステムフォーモバイルコミュニケーションズ（ｇｌｏｂａｌ  ｓｙｓｔｅｍ  ｆｏｒ  ｍｏｂｉｌｅ  ｃｏｍｍｕｎｉｃａｔｉｏｎ、略してＧＳＭ）、符号分割多元接続（ｃｏｄｅ  ｄｉｖｉｓｉｏｎ  ｍｕｌｔｉｐｌｅ  ａｃｃｅｓｓ、略してＣＤＭＡ）システム、ワイドバンド符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、略してＷＣＤＭＡ）システム、ユニバーサルモバイルテレコミュニケーションズシステム（ｕｎｉｖｅｒｓａｌ  ｍｏｂｉｌｅ  ｔｅｌｅｃｏｍｍｕｎｉｃａｔｉｏｎ  ｓｙｓｔｅｍ、略してＵＭＴＳ）、ジェネラルパケットラジオサービス（ｇｅｎｅｒａｌ  ｐａｃｋｅｔ  ｒａｄｉｏ  ｓｅｒｖｉｃｅ、略してＧＰＲＳ）システム、ロングタームエボリューション（ｌｏｎｇ  ｔｅｒｍ  ｅｖｏｌｕｔｉｏｎ、略してＬＴＥ）システム、ロングタームエボリューションアドバンスト（ｌｏｎｇ  ｔｅｒｍ  ｅｖｏｌｕｔｉｏｎ  ａｄｖａｎｃｅｄ、略してＬＴＥ−Ａ）システム、およびワールドワイドインターオペラビリティーフォーマイクロウェーブアクセス（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ、略してＷｉＭＡＸ）システムなどのさまざまなワイヤレス通信ネットワークに適用され得る。「ネットワーク」および「システム」という用語は、互いに置き換えられることが可能である。
【００３８】
本発明の実施形態においては、基地局（ｂａｓｅ  ｓｔａｔｉｏｎ、略してＢＳ）は、ＵＥ（ユーザ機器、Ｕｓｅｒ  Ｅｑｕｉｐｍｅｎｔ）または別の通信局、たとえば中継局と通信するデバイスであり得、基地局は、特定の物理的なエリアにおける通信カバレッジを提供し得る。たとえば、基地局は具体的には、ＧＳＭもしくはＣＤＭＡにおけるベーストランシーバステーション（Ｂａｓｅ  Ｔｒａｎｓｃｅｉｖｅｒ  Ｓｔａｔｉｏｎ、略してＢＴＳ）もしくは基地局コントローラ（Ｂａｓｅ  Ｓｔａｔｉｏｎ  Ｃｏｎｔｒｏｌｌｅｒ、略してＢＳＣ）であり得、またはＵＭＴＳにおけるノードＢ（Ｎｏｄｅ  Ｂ、略してＮＢ）もしくはＵＭＴＳにおける無線ネットワークコントローラ（Ｒａｄｉｏ  Ｎｅｔｗｏｒｋ  Ｃｏｎｔｒｏｌｌｅｒ、略してＲＮＣ）であり得、またはＬＴＥにおけるエボルブドＮｏｄｅＢ（ｅｖｏｌｖｅｄ  ＮｏｄｅＢ、略してｅＮＢもしくはｅＮｏｄｅＢ）であり得、またはワイヤレス通信ネットワークにおけるアクセスサービスを提供する別のアクセスネットワークデバイスであり得る。これは、本発明の実施形態においては限定されない。
【００３９】
本発明の実施形態においては、ＵＥは、ワイヤレスネットワーク全体において分散され得、それぞれのＵＥは、静止していることがあり、または動いていることがある。
【００４０】
ＵＥは、端末（ｔｅｒｍｉｎａｌ）、移動局（ｍｏｂｉｌｅ  ｓｔａｔｉｏｎ）、サブスクライバーユニット（ｓｕｂｓｃｒｉｂｅｒ  ｕｎｉｔ）、局（ｓｔａｔｉｏｎ）などと呼ばれることがある。ＵＥは、セルラー電話（ｃｅｌｌｕｌａｒ  ｐｈｏｎｅ）、携帯情報端末（ｐｅｒｓｏｎａｌ  ｄｉｇｉｔａｌ  ａｓｓｉｓｔａｎｔ、略してＰＤＡ）、ワイヤレスモデム（ｍｏｄｅｍ）、ワイヤレス通信デバイス、ハンドヘルド（ｈａｎｄｈｅｌｄ）デバイス、ラップトップコンピュータ（ｌａｐｔｏｐ  ｃｏｍｐｕｔｅｒ）、コードレス電話（ｃｏｒｄｌｅｓｓ  ｐｈｏｎｅ）、ワイヤレスローカルループ（ｗｉｒｅｌｅｓｓ  ｌｏｃａｌ  ｌｏｏｐ、略してＷＬＬ）局などであり得る。ＵＥがＭ２Ｍ様式の通信に適用される場合には、そのＵＥは、Ｍ２Ｍ端末と呼ばれることがあり、具体的には、Ｍ２Ｍ通信をサポートするスマートメータ、スマートアプライアンスなどであり得る。
【００４１】
本発明の実施形態において提供されている構成方法および構成装置は、基地局ｅＮＢによって実行され得る。図２Ａにおいて示されているように、基地局ｅＮｏｄｅＢは、ベースバンドサブシステム、中間無線周波数サブシステム、アンテナサブシステム、およびいくつかのサポート構造（たとえば、サブシステム全体）を含む。ベースバンドサブシステムは、基地局全体のオペレーションおよびメンテナンス、シグナリング処理、無線リソース管理、およびＥＰＣ（Ｅｖｏｌｖｅｄ  Ｐａｃｋｅｔ  Ｃｏｒｅ、エボルブドパケットコア）への送信インターフェースを実施するために、ならびにＬＴＥ物理レイヤ、ＭＡＣ（Ｍｅｄｉｕｍ  Ａｃｃｅｓｓ  Ｃｏｎｔｒｏｌ、メディアアクセスコントロール）レイヤ、およびＬ３シグナリングのオペレーションおよびメンテナンスの主要なコントロール機能を実施するために使用される。中間無線周波数サブシステムは、ベースバンド信号、中間周波数信号、および無線周波数信号の間における変換を実施し、ＬＴＥワイヤレス受信信号の復調、送信信号の変調、および電力増幅を実施する。アンテナサブシステムは、ワイヤレスエアインターフェース信号の受信および送信を実施するために、基地局の無線周波数モジュールに接続されているアンテナおよびフィーダと、ＧＲＳ受信カードのアンテナおよびフィーダとを含む。サブシステム全体は、ベースバンドサブシステムおよび中間無線周波数サブシステムのサポート部分であり、構造、電源、および環境モニタリング機能を提供する。
【００４２】
ベースバンドサブシステムは、図２Ｂにおいて示され得る。たとえば、モバイル電話がインターネットにアクセスするということは、次のとおりであり得る。モバイル電話は、基地局を使用することによってコアネットワーク（ＭＭＥ／Ｓ−ＧＷ）にアクセスし、次いでコアネットワークを使用することによってインターネットにアクセスする。ここでは、インターネットのデータは、コアネットワークと基地局との間におけるインターフェースを使用することによってベースバンド部分へ送信され、ベースバンド部分は、ＰＤＣＰレイヤ、ＲＬＣレイヤ、およびＭＡＣレイヤにおけるエンコーディングおよび変調などの処理を実行し、処理されたデータを無線周波数部分へ送信し、無線周波数部分は、処理されたデータを端末へ送信する。ベースバンド部分は、ＣＰＲＩインターフェースを使用することによって無線周波数部分へ接続され得る。加えて、無線周波数部分、たとえばリモートＲＲＵを延長するために、光ファイバが現在使用されている。本発明の実施形態における構成方法のそれぞれのステップにおけるベースバンドは、無線周波数を使用することによって実施される。加えて、受信ステップおよび送信ステップは、アンテナ（たとえば、エアインターフェース）を使用することによって実施される。
【００４３】
ユーザ機器と、本発明の実施形態において関連した基地局との間におけるインターフェースは、ユーザ機器と基地局との間における通信のためのエアインターフェースとして理解され得、またはそのインターフェースは、Ｕｕインターフェースと呼ばれることがある。
【００４４】
図３において示されているように、本発明の実施形態は、構成方法を提供する。この方法は、全二重システムに適用され、下記のステップを含む。
【００４５】
Ｓ１０１．  基地局が、第１のセル内のユーザ機器をＮ個のユーザグループへと分割し、Ｎは２以上の正の整数であり、Ｎ個のユーザグループのそれぞれにおけるユーザ機器間に干渉が存在し、干渉の存在は、ユーザ機器がアップリンク送信を実行するときに、別のユーザ機器によって同時および同周波数の様式で実行されるダウンリンク受信が干渉されるということを示す。
【００４６】
Ｓ１０２．  基地局は、Ｎ個のユーザグループのそれぞれにおけるユーザ機器に関して、アップリンク送信のために使用されるアップリンク周波数帯域、およびダウンリンク受信のために使用されるダウンリンク周波数帯域を構成し、アップリンク周波数帯域は、同じユーザグループにおけるダウンリンク周波数帯域とは異なり、アップリンク周波数帯域およびダウンリンク周波数帯域は、全二重システムの動作周波数帯域の周波数サブ帯域である。
【００４７】
本発明のこの実施形態において提供されている構成方法によれば、基地局は、第１のセル内のユーザ機器をＮ個のユーザグループへと分割するステップであって、Ｎは２以上の正の整数であり、Ｎ個のユーザグループのそれぞれにおけるユーザ機器間に干渉が存在し、干渉の存在は、ユーザ機器がアップリンク送信を実行するときに、別のユーザ機器によって同時および同周波数の様式で実行されるダウンリンク受信が干渉されるということを示す、ステップと、Ｎ個のユーザグループのそれぞれにおけるユーザ機器に関して、アップリンク送信のために使用されるアップリンク周波数帯域、およびダウンリンク受信のために使用されるダウンリンク周波数帯域を構成するステップであって、アップリンク周波数帯域は、同じユーザグループにおけるダウンリンク周波数帯域とは異なり、アップリンク周波数帯域およびダウンリンク周波数帯域は、全二重システムの動作周波数帯域の周波数サブ帯域である、ステップとを行う。それぞれのユーザグループにおけるユーザ機器間に干渉が存在するので、同じユーザグループにおけるユーザ機器に関して別々の周波数帯域におけるアップリンク周波数帯域およびダウンリンク周波数帯域が構成されている場合には、そのユーザグループにおけるユーザ機器のアップリンク送信によってそのユーザグループにおける別のユーザ機器のダウンリンク受信に対してもたらされる干渉が回避されることが可能である。加えて、アップリンク周波数帯域およびダウンリンク周波数帯域は、全二重システムの動作周波数帯域の周波数サブ帯域であり、それによって基地局は、同じ動作周波数帯域の別々の周波数サブ帯域上で全二重システムにおける第１のセル内の別々のユーザ機器にアップリンク送信サービスおよびダウンリンク受信サービスを提供することができる。
【００４８】
たとえば、図４において示されているように、図４は、本発明の実施形態における構成方法を使用することによって実際の用途において第１のセル内のユーザ機器間における干渉を低減するシナリオである（図４においては、２つのユーザグループ、すなわちユーザグループ１およびユーザグループＮが、単に例として使用されている）。基地局は、第１のセル内のユーザグループ１におけるユーザ機器ＵＥ１１およびＵＥ１２に関してアップリンク周波数帯域ｆ１およびダウンリンク周波数帯域ｆ２を構成する。基地局は、ユーザグループＮにおけるユーザ機器ＵＥ  Ｎ１およびＵＥ  Ｎ２に関してアップリンク周波数帯域ｆ３およびダウンリンク周波数帯域ｆ４を構成する。
【００４９】
ＵＥ１１がダウンリンク周波数帯域ｆ２を使用してダウンリンク受信を実行し、ＵＥ１２がアップリンク周波数帯域ｆ１を使用してアップリンク送信を実行するので、ＵＥ１２がアップリンク周波数帯域ｆ１上でアップリンク送信を実行する場合には、ダウンリンク周波数帯域ｆ２上でＵＥ１１によって実行されるダウンリンク受信は干渉されない。同様に、ＵＥ１１がアップリンク周波数帯域ｆ１上でアップリンク送信を実行する場合には、ダウンリンク周波数帯域上でＵＥ１２によって実行されるダウンリンク受信は干渉されないということが知られ得る。したがって、第１のセル内のいずれかのユーザグループにおけるユーザ機器によってアップリンク周波数帯域上で実行される信号送信によって、同じユーザグループにおける残りのユーザ機器によってダウンリンク周波数帯域上で実行されるダウンリンク受信に対してもたらされる干渉が低減され得る。
【００５０】
本発明においては、ｆ１＋ｆ２＋ｆ３＋．．．＋ｆＮ＝ｆであり、ｆは、全二重システムの動作周波数帯域であるということに留意されたい。たとえば、ｆが１０ＭＨｚである場合には、ｆは、ｆ１からｆ５に個別に対応している５つの周波数サブ帯域へと分割される。全二重システムの動作周波数帯域は、等しく分割され、次いでそれぞれのユーザグループに関して構成され得る。それぞれのユーザグループのアップリンク周波数帯域の帯域幅は、ユーザグループのダウンリンク周波数帯域の帯域幅と同じである。すなわち、それぞれのユーザグループの帯域幅は、２．０ＭＨｚである。ここでは、ｆ１は、０ＭＨｚから２．０ＭＨｚまで（０ＭＨｚおよび２．０ＭＨｚを含む）であり、ｆ２は、２．０ＭＨｚから４．０ＭＨｚまで（２．０ＭＨｚおよび４．０ＭＨｚを含む）であり、ｆ３は、４．０ＭＨｚから６．０ＭＨｚまで（４．０ＭＨｚおよび６．０ＭＨｚを含む）であり、ｆ４は、６．０ＭＨｚから８．０ＭＨｚまで（６．０ＭＨｚおよび８．０ＭＨｚを含む）であり、ｆ５は、８．０ＭＨｚから１０．０ＭＨｚまで（８．０ＭＨｚおよび１０．０ＭＨｚを含む）である。別々の帯域幅を伴うアップリンク周波数帯域およびダウンリンク周波数帯域が、実際の要件に従ってそれぞれのユーザグループにさらに割り当てられ得る。
【００５１】
たとえば、より多くのユーザ機器に与えられるユーザグループのアップリンク周波数帯域およびダウンリンク周波数帯域は、比較的大きく設定され得、より少ないユーザ機器に与えられるユーザグループのアップリンク周波数帯域およびダウンリンク周波数帯域は、比較的小さく設定され得る。これは、本発明のこの実施形態においては限定されない。
【００５２】
さらに、Ｎが２以上である場合には、下記の第１のケースが存在し得、すなわち、第１のセル内のＮ個のユーザグループにおけるいずれかの２つのユーザグループの間に干渉が存在する。または、下記の第２のケースが存在し得、すなわち、第１のセル内のＮ個のユーザグループにおけるいずれの２つのユーザグループの間にも干渉が存在しない。
【００５３】
好ましくは、１．として、第１のセル内のＮ個のユーザグループにおけるいずれかの２つのユーザグループが、上記第１のケースにある場合には、基地局は、Ｎ個のユーザグループにおけるいずれの２つのユーザグループにも同じ構成様式および原理を適用するので、第１のユーザグループおよび第２のユーザグループは、本発明のこの実施形態においては、説明のための例として使用されているにすぎない。第１のユーザグループおよび第２のユーザグループは、Ｎ個のユーザグループにおける任意の２つのユーザグループである。
【００５４】
第１のセル内のユーザグループ間における干渉を低減するために、そしてさらにユーザ機器間における干渉を低減するために、たとえばステップＳ１０２は、特に下記の様式で実施され得る。
【００５５】
Ｓ１０２１Ａ．  第１のユーザグループのアップリンク周波数帯域、および第２のユーザグループのダウンリンク周波数帯域を別々の周波数帯域として構成し、第１のユーザグループのダウンリンク周波数帯域、および第２のユーザグループのアップリンク周波数帯域を別々の周波数帯域として構成する。
【００５６】
第１のユーザグループおよび第２のユーザグループは、Ｎ個のユーザグループにおける任意の２つのユーザグループである。
【００５７】
たとえば、図５において示されているように、図５は、本発明の実施形態における構成方法を使用することによって実際の用途において第１のセル内のユーザグループ間における干渉を低減するシナリオである。第１のユーザグループと第２のユーザグループとの間に干渉が存在する例を使用することによって、説明が提供される。
【００５８】
基地局ｅＮＢ１が、第１のセル内の第１のユーザグループにおけるユーザ機器ＵＥ１に関して、アップリンク送信のために使用されるアップリンク周波数帯域ｆ１、およびダウンリンク受信のために使用されるダウンリンク周波数帯域ｆ２を構成する。基地局ｅＮＢ１は、第２のユーザグループに関して、アップリンク周波数帯域ｆ３、およびダウンリンク受信のために使用されるダウンリンク周波数帯域ｆ４を構成する。ｆ１、ｆ２、ｆ３、およびｆ４は、個々に異なる周波数帯域であるので、第１のユーザグループにおけるユーザ機器ＵＥ１が、アップリンク周波数帯域ｆ１上でｅＮＢ１へアップリンク信号を送信する場合には、ダウンリンク周波数帯域ｆ４上で第２のユーザグループにおけるユーザ機器ＵＥ２によって実行されるダウンリンク受信は干渉されない。したがって、第１のセル内のいずれかの２つのユーザグループの間に干渉が存在する場合には、第１のセル内のいずれかのユーザグループにおけるユーザ機器によってアップリンク周波数帯域上で実行される信号送信によって、別のユーザグループにおけるユーザ機器によってダウンリンク周波数帯域上で実行される受信に対してもたらされる干渉が低減され得る。
【００５９】
好ましくは、２．として、第１のセル内のＮ個のユーザグループにおけるいずれかの２つのユーザグループが、上記第２のケースにある場合には、第１のセルの基地局は、Ｎ個のユーザグループにおけるいずれの２つのユーザグループにも同じ構成様式および原理を適用するので、第３のユーザグループおよび第４のユーザグループは、本発明のこの実施形態においては、説明のための例として使用されているにすぎない。第３のユーザグループおよび第４のユーザグループは、Ｎ個のユーザグループにおける任意の２つのユーザグループである。
【００６０】
いずれの２つのユーザグループの間にも干渉が存在しない場合に、それぞれのユーザグループにおけるユーザ機器が、比較的大きな周波数サブ帯域を使用することを可能にするために、たとえばステップＳ１０２は、特に下記の様式で実施され得る。
【００６１】
Ｓ１０２１Ｂ．  第３のユーザグループのアップリンク周波数帯域、および第４のユーザグループのダウンリンク周波数帯域を同じ周波数帯域として構成し、第３のユーザグループのダウンリンク周波数帯域、および第４のユーザグループのアップリンク周波数帯域を同じ周波数帯域として構成する。
【００６２】
第３のユーザグループおよび第４のユーザグループは、Ｎ個のユーザグループにおける任意の２つのユーザグループである。
【００６３】
図５において示されているように、第１のユーザグループおよび第２のユーザグループとは異なり、第３のユーザグループと第４のユーザグループとの間に干渉が存在しない場合には、基地局ｅＮＢ１は、第１のセル内の第３のユーザグループにおけるユーザ機器に関して、アップリンク送信のために使用されるアップリンク周波数帯域ｆn、およびダウンリンク受信のために使用されるダウンリンク周波数帯域ｆn+1を構成する。基地局ｅＮＢ１は、第４のユーザグループにおけるユーザ機器に関して、アップリンク周波数帯域ｆn+1、およびダウンリンク受信のために使用されるダウンリンク周波数帯域ｆnを構成する。第３のユーザグループと第４のユーザグループとの間に干渉が存在しないので、第３のユーザグループにおけるユーザ機器のアップリンク周波数帯域は、第４のユーザグループのダウンリンク周波数帯域として構成され、第３のユーザグループにおけるユーザ機器のダウンリンク周波数帯域は、第４のユーザグループにおけるユーザ機器のアップリンク周波数帯域として構成される。この方法においては、全二重システムでのそれぞれのユーザグループにおけるユーザ機器のリソースが増大し得る。
【００６４】
さらに、基地局が第１のセル内のユーザ機器をＮ個のユーザグループへと分割する具体的な様式は、本発明のこの実施形態においては限定されない。
【００６５】
たとえば、ある態様においては、基地局は、第１のセル内のユーザ機器の地理的ロケーション情報を入手することによって、第１のセル内のユーザ機器をグループ化し得る。図６において示されているように、下記のステップが、特定の実施態様に関して使用され得る。
【００６６】
Ｓ１０１１Ａ．  基地局は、第１のセル内のユーザ機器の地理的ロケーション情報を入手する。
【００６７】
Ｓ１０１２Ａ．  基地局は、ユーザ機器の地理的ロケーション情報に従って第１のセル内のユーザ機器をＮ個のユーザグループへと分割する。
【００６８】
本発明のこの実施形態における第１のセル内のユーザ機器の地理的ロケーション情報に関して、基地局は、ＤＯＡ（Ｄｉｒｅｃｔｉｏｎ  ｏｆ  Ａｒｒｉｖａｌ、到来方向）方法および電力測定方法を使用することによって、第１のセル内のユーザ機器ＵＥの位置を突き止めて、第１のセル内のそれぞれのユーザ機器の地理的ロケーション情報を入手し得る。あるいは基地局は、位置特定パイロット信号を第１のセル内のユーザ機器へ送信する。次いで基地局は、位置特定パイロット信号に従って第１のセル内のユーザ機器によって報告されたユーザ機器ロケーションを受信して、第１のセル内のそれぞれのユーザ機器の地理的ロケーション情報を入手する。
【００６９】
本発明のこの実施形態においては、Ｎ個のユーザグループは基地局のカバレッジエリアに従った事前の分割を用いて入手され得、またはエリア分割は、特定のセルカバレッジを参照して実行される。次いで、ユーザ機器が属するユーザグループが、ユーザ機器の地理的ロケーション情報に従って決定される。図７において示されているように、第１のセルは、第１のセルの実際の状況に従ってＡ１からＡ８という８つのユーザグループへと分割され得、同じユーザグループ内に収まる地理的ロケーション情報を有するユーザ機器が、そのユーザグループ内にあると決定される。
【００７０】
さらに基地局が、地理的ロケーション情報、すなわち、図７において示されている様式を使用することによってユーザ機器をグループ化する場合には、第１のセル内で第１のユーザグループと第２のユーザグループとの間に干渉が存在するかどうか、および第３のユーザグループと第４のユーザグループとの間に干渉が存在しないかどうかを決定するために、下記の様式が使用され得る。
【００７１】
Ａ１．  第１のユーザグループが第２のユーザグループに隣り合っている場合には、基地局は、第１のユーザグループにおけるユーザ機器と第２のユーザグループにおけるユーザ機器との間に干渉が存在するということを決定する。
【００７２】
２つのユーザグループが互いに隣り合っているということは、２つのユーザグループの間に少なくとも１つの共有されている境界があるということを示しており、たとえば、ユーザグループＡ１およびユーザグループＡ２、ユーザグループＡ１およびユーザグループＡ３、ユーザグループＡ１およびユーザグループＡ４、ならびにユーザグループＡ１およびユーザグループＡ８は、互いに隣り合っているユーザグループである。
【００７３】
Ａ２．  第３のユーザグループが第４のユーザグループに隣り合っていない場合には、基地局は、第３のユーザグループと第４のユーザグループとの間に干渉が存在しないということを決定する。
【００７４】
２つのユーザグループが互いに隣り合っていないということは、２つのユーザグループ、たとえば、図７において示されているユーザグループＡ１およびユーザグループＡ６、ユーザグループＡ６およびユーザグループＡ８、ならびにユーザグループＡ１およびユーザグループＡ５の間に共有されている境界がないということを示している。
【００７５】
表１は、図７において示されているグループ化に従って得られた、第１のセルの周波数帯域構成表である。
【００７６】
【表１】
2019503128.tif 000003
【００７７】
表１において示されているように、第１のセルがグループ化された後に、互いに隣り合っているユーザグループ間に干渉が存在しないということを確実にするために、互いに隣り合っているユーザグループが、前述の構成様式で構成され得る。詳細が本発明のこの実施形態において再び記述されることはない。構成結果が表１において示されており、たとえば、ユーザグループＡ１およびユーザグループＡ２、ユーザグループＡ１およびユーザグループＡ４、ならびにユーザグループＡ１およびユーザグループＡ８である。
【００７８】
本発明のこの実施形態においては、第１のセルをグループ化した後に、第１のセルの基地局は、第３のユーザグループのアップリンク周波数帯域、および第４のユーザグループのダウンリンク周波数帯域を同じ周波数帯域に設定し、第３のユーザグループのダウンリンク周波数帯域、および第４のユーザグループのアップリンク周波数帯域を同じ周波数帯域に設定し得る。表１において示されているユーザグループＡ１およびユーザグループＡ６がその例であり、ここで第３のユーザグループおよび第４のユーザグループは、互いに干渉しない２つのユーザグループである。
【００７９】
図７および表１を参照すると、第１のセル内で互いに隣り合っているいずれの２つのユーザグループのアップリンク周波数帯域およびダウンリンク周波数帯域にも同じ構成および同じ原理が適用されるということが知られ得る。ユーザグループＡ１およびユーザグループＡ２は、本発明のこの実施形態においては、説明のための例として使用されているにすぎず、これは、いかなる暗示的な意味も有していない。
【００８０】
たとえば、ユーザグループＡ１におけるユーザ機器のアップリンク周波数帯域およびダウンリンク周波数帯域は、ｆ１およびｆ６にそれぞれ設定され得、ユーザグループＡ２におけるユーザ機器のアップリンク周波数帯域およびダウンリンク周波数帯域は、ｆ２およびｆ５にそれぞれ設定され得る。ｆ１およびｆ５は別々の周波数帯域であるので、ユーザグループＡ１におけるユーザ機器のアップリンク周波数帯域は、ユーザグループＡ２におけるユーザ機器のダウンリンク周波数帯域に干渉しないで、ユーザグループＡ１とユーザグループＡ２との間における干渉を低減する。同様に、ユーザグループＡ２のアップリンク周波数帯域は、ユーザグループＡ１のダウンリンク周波数帯域に干渉しないということが知られ得る。
【００８１】
第１のセル内で互いに干渉しないいずれの２つのユーザグループのアップリンク周波数帯域およびダウンリンク周波数帯域にも同じ構成様式および原理が適用されるので、ユーザグループＡ１、およびユーザグループＡ１に隣り合っていないユーザグループＡ６は、本発明のこの実施形態においては、説明のための例として使用されているにすぎず、これは、いかなる暗示的な意味も有していない。たとえば、ユーザグループＡ１におけるユーザ機器のアップリンク周波数帯域ｆ１はユーザグループＡ６におけるユーザ機器のダウンリンク周波数帯域として構成され得、ユーザグループＡ１におけるユーザ機器のダウンリンク周波数帯域ｆ６は、ユーザグループＡ６におけるユーザ機器のアップリンク周波数帯域として構成され得る。すなわち、ユーザグループＡ６の構成される周波数帯域は、アップリンク周波数帯域ｆ６およびダウンリンク周波数帯域ｆ１である。表１において示されているように、ユーザグループＡ１およびユーザグループＡ６は、互いに隣り合っていないユーザグループであり、かつユーザグループＡ１は、ユーザグループＡ６から比較的遠く離れているので、ユーザグループＡ１とユーザグループＡ６との間には干渉が存在しない。この方法においては、第１のセル内のそれぞれのユーザグループの動作周波数帯域の帯域幅が増大し得る。
【００８２】
別の態様においては、第１のセル内のユーザ機器は、第１のセル内のユーザ機器間における干渉に従ってグループ化され得、下記の様式が、特定の実施態様に関して使用され得る。
【００８３】
Ｓ１０１１Ｂ．  基地局は、第１のセル内のユーザ機器間における干渉情報に従ってユーザ機器をＮ個のユーザグループへと分割する。ここで、ユーザグループ内のユーザ機器のうちのいずれか１つと、同じユーザグループ内の少なくとも１つのユーザ機器との間に干渉が存在する。
【００８４】
干渉情報は、ユーザ機器間における干渉電力である。
【００８５】
ユーザ機器間における干渉情報を決定する様式は、本発明のこの実施形態においては限定されない。干渉情報は、第１のセル内の第１のユーザ機器を使用することによって決定され得る。第１のユーザ機器は、第１のセル内の任意のユーザ機器である。基地局は、第１のセル内のすべてのユーザ機器をコントロールして、パイロットシンボルを順次送信させる（シーケンスは基地局によって決定される）。第１のセル内の第１のユーザ機器は、別のユーザ機器によって第１のユーザ機器にもたらされる干渉電力を評価し、測定された干渉電力を基地局へ報告する。基地局は、第１のユーザ機器に関してすべてのユーザ機器によってもたらされる干渉電力に従って、第１のユーザ機器に関する干渉値がプリセット干渉しきい値未満であるユーザ機器を、別々のユーザグループへとグループ化する。
【００８６】
プリセット干渉しきい値の具体的な値は、本発明のこの実施形態においては限定されず、実際の要件に従って設定され得る。
【００８７】
たとえば、可能な実施態様においては、図８において示されているように、ユーザ機器ＵＥ１１とユーザ機器ＵＥ１２との間における干渉値がプリセット干渉しきい値以上である場合には、ユーザ機器ＵＥ１１とユーザ機器ＵＥ１２との間に干渉が存在するということが決定され、ユーザ機器ＵＥ１１およびユーザ機器ＵＥ１２は、同じユーザグループ、すなわち、図８における第１のユーザグループに割り当てられる。ユーザ機器ＵＥ１１およびユーザ機器ＵＥ１２は個々に、第１のセル内の任意のユーザ機器である。別のユーザ機器のグループ化は、ユーザ機器ＵＥ１１およびユーザ機器ＵＥ１２のグループ化と同じである。詳細が本発明のこの実施形態において再び記述されることはない。
リソース利用度を最大化するために、別の態様においては、第１のセルの基地局はさらに、第１のセル内のそれぞれのユーザ機器の地理的ロケーションを入手し得る。第１のセルの基地局は、第１のセル内のユーザ機器の地理的ロケーションと、ユーザ機器間における干渉電力とに従って、プリセット距離を超える距離と、プリセット干渉しきい値未満である干渉電力とが間にあるユーザ機器を別々のユーザグループに割り当てる。もちろん、決定することは、地理的ロケーションのみを参照して実行され得、プリセット地理的ロケーションを超える地理的ロケーションを有するユーザ機器が、別々のユーザグループに割り当てられる。これは、本発明のこの実施形態においては限定されない。
【００８８】
互いに比較的近いユーザ機器に関しては、アップリンク送信が、同じ周波数帯域上での別のユーザ機器のダウンリンク送信に大幅に干渉する。しかしながら、互いから比較的遠く離れているユーザ機器に関しては、アップリンク周波数帯域ｆ１上でユーザ機器によって実行される送信は、ダウンリンク周波数帯域ｆ１上で別のユーザ機器によって実行される受信にわずかに干渉する。したがって、プリセット距離しきい値未満である距離と、プリセット品質強度未満である信号品質強度とが間にあるユーザ機器が、同じユーザグループに割り当てられて、ユーザ機器間における干渉をよりよく除去する。
【００８９】
さらに基地局が、ユーザ機器の干渉情報、たとえば、図８において示されている様式を使用することによってユーザ機器をグループ化する場合には、第１のセル内で第１のユーザグループと第２のユーザグループとの間に干渉が存在するかどうか、および第３のユーザグループと第４のユーザグループとの間に干渉が存在しないかどうかを決定するために、下記の様式が使用され得る。
【００９０】
Ｂ１．  第１のユーザグループにおける少なくとも１つのユーザ機器と第２のユーザグループにおける少なくとも１つのユーザ機器との間に干渉が存在する場合には、基地局は、第１のユーザグループにおけるユーザ機器と第２のユーザグループにおけるユーザ機器との間に干渉が存在するということを決定する。
【００９１】
たとえば、第１のユーザグループにおける少なくとも１つのユーザ機器と第２のユーザグループにおけるユーザ機器のうちの少なくとも１つとの間における干渉電力が、プリセット干渉しきい値を超えている場合には、第１のユーザグループにおけるユーザ機器と第２のユーザグループにおけるユーザ機器との間に干渉が存在する。すなわち、第１のユーザグループと第２のユーザグループとの間に干渉が存在する。
【００９２】
Ｂ２．  第３のユーザグループにおけるいずれのユーザ機器と第４のユーザグループにおけるいずれのユーザ機器との間にも干渉が存在しない場合には、基地局は、第３のユーザグループにおけるユーザ機器と第４のユーザグループにおけるユーザ機器との間に干渉が存在しないということを決定する。
【００９３】
たとえば、第３のユーザグループにおけるいずれのユーザ機器と、第４のユーザグループにおけるユーザ機器のうちのいずれの１つとの間における干渉電力も、プリセット干渉しきい値未満である場合には、第３のユーザグループにおけるユーザ機器と第４のユーザグループにおけるユーザ機器との間に干渉が存在しない。すなわち、第３のユーザグループと第４のユーザグループとの間に干渉が存在しない。
【００９４】
図９において示されているように、実際の適用シナリオにおいては、可能なシナリオは次のとおりである。すなわち、互いに隣り合っていて同じ基地局ｅＮＢ１によってカバーされているセル間に干渉が存在する。加えて、同じ干渉がセルエッジユーザ上でも生じる。すべてのセルが、同じ周波数帯域を使用する。したがって、互いに比較的近い２つのセル内にいる２人のエッジユーザに関して、たとえば、第１のセルおよび第２のセルは、互いに隣り合っていて基地局ｅＮＢ１によってカバーされているセルであり、第１のセルおよび第２のセルは、同じ動作周波数帯域ｆ１を使用しているので、第１のセル内のエッジユーザ機器ＵＥ１のアップリンク周波数帯域ｆ１は、第２のセル内のエッジユーザ機器ＵＥ２のダウンリンク周波数帯域ｆ１に干渉する。第１のセル内のユーザ機器と、第２のセル内のユーザ機器との間における干渉は、前述の様式に準拠して除去され得る。詳細が本発明のこの実施形態において再び記述されることはない。
【００９５】
第１のセル内のエッジユーザ機器ＵＥ１のアップリンク周波数帯域ｆ１によって第２のセル内のエッジユーザ機器ＵＥ２のダウンリンク周波数帯域ｆ１に対してもたらされる干渉を低減するために、本発明のこの実施形態における実施に関しては下記の様式が使用され得る。
【００９６】
Ｓ１０２１Ａ．  基地局は、第２のセルの構成情報を入手し、第２のセルの構成情報は、第２のセル内にあって第１のセルに干渉するユーザグループの少なくともアップリンク周波数帯域およびダウンリンク周波数帯域を含み、第２のセルは、第１のセルに隣り合っているセルである。
【００９７】
本発明のこの実施形態においては、基地局が第２のセルの構成情報を入手することは、基地局が、第２のセル内にあって第１のセルに干渉するユーザグループのアップリンク周波数帯域およびダウンリンク周波数帯域を入手すること、または基地局が、第２のセル内のそれぞれのユーザグループのアップリンク周波数帯域およびダウンリンク周波数帯域を入手し得ることを含み得る。これは、本発明のこの実施形態においては限定されない。
【００９８】
第２のセル内にあって第１のセルに干渉するユーザグループは、第２のセル内のいずれかのユーザグループが、第１のセル内のいずれかのユーザグループに隣り合っているか、または第２のセル内のいずれかのユーザグループにおけるユーザ機器と、第１のセル内のいずれかのユーザグループにおける少なくとも１つのユーザ機器との間に干渉が存在し得るということを示し得る。
【００９９】
Ｓ１０２２Ｂ．  第５のユーザグループが、第２のセル内にあって第１のセルに干渉するユーザグループであり、第５のユーザグループのアップリンク周波数帯域が、第１のセル内にあって第２のセルに干渉するユーザグループのうちの第６のユーザグループのダウンリンク周波数帯域と同じである場合には、第６のユーザグループのダウンリンク周波数帯域が第５のユーザグループのアップリンク周波数帯域とは異なるように第６のユーザグループのダウンリンク周波数帯域を調整する、または
【０１００】
たとえば、図１０Ａにおいて示されているように、第２のセル内の第５のユーザグループにおけるユーザ機器ＵＥ２は、アップリンク送信のためにアップリンク周波数帯域ｆ４を使用し、第１のセル内の第６のユーザグループにおけるユーザ機器ＵＥ１は、ダウンリンク受信のためにダウンリンク周波数帯域ｆ４を使用する。互いに隣り合っている２つのセルの間における干渉を低減するために、第１のセル内の第６のユーザグループにおけるユーザ機器ＵＥ１のものであってアップリンク送信のために使用されるアップリンク周波数帯域が、図１０Ｂにおいて示されているように、ｆ３へ調整され得る。
【０１０１】
Ｓ１０２２Ｃ．  第７のユーザグループが、第２のセル内にあって第１のセルに干渉するユーザグループであり、第７のユーザグループのダウンリンク周波数帯域が、第１のセル内にあって第２のセルに干渉するユーザグループのうちの第８のユーザグループのアップリンク周波数帯域と同じである場合には、第８のユーザグループのアップリンク周波数帯域が第７のユーザグループのダウンリンク周波数帯域とは異なるように第８のユーザグループのアップリンク周波数帯域を調整する。
【０１０２】
たとえば、図１０Ｃにおいて示されているように、第２のセル内の第７のユーザグループにおけるユーザ機器ＵＥ２は、ダウンリンク受信のためにダウンリンク周波数帯域ｆ１を使用し、第１のセル内の第８のユーザグループにおけるユーザ機器ＵＥ１は、アップリンク送信のためにアップリンク周波数帯域ｆ１を使用する。互いに隣り合っている２つのセルの間における干渉を低減するために、第１のセル内の第８のユーザグループにおけるユーザ機器ＵＥ２のものであってアップリンク送信のために使用されるアップリンク周波数帯域ｆ１が、図１０Ｄにおいて示されているように、ｆ２へ調整され得る。
【０１０３】
加えて、第１３のユーザグループが、第２のセル内にあって第１のセルに干渉するユーザグループであり、第１３のユーザグループのダウンリンク周波数帯域が、第１のセル内にあって第２のセルに干渉するユーザグループのうちの第１４のユーザグループのアップリンク周波数帯域と同じであり、第１３のユーザグループにおけるユーザ機器のダウンリンク周波数帯域が、第１４のユーザグループにおけるユーザ機器のアップリンク周波数帯域と同じである場合には、第１４のユーザグループのアップリンク周波数帯域が第１３のユーザグループのダウンリンク周波数帯域とは異なるように、および第１４のユーザグループのダウンリンク周波数帯域が第１３のユーザグループのアップリンク周波数帯域とは異なるように第１４のユーザグループのアップリンク周波数帯域およびダウンリンク周波数帯域が調整される。具体的な調整様式に関しては、前述の様式を参照されたい。詳細が本発明のこの実施形態において再び記述されることはない。
【０１０４】
たとえば、第２のセル内の第１３のユーザグループにおけるユーザ機器は、ダウンリンク受信のためにダウンリンク周波数帯域ｆ１を使用し、第１のセル内の第１４のユーザグループにおけるユーザ機器は、アップリンク送信のためにアップリンク周波数帯域ｆ１を使用し、第２のセル内の第１３のユーザグループにおけるユーザ機器は、アップリンク送信のためにアップリンク周波数帯域ｆ３を使用し、第１のセル内の第１４のユーザグループにおけるユーザ機器は、ダウンリンク受信のためにダウンリンク周波数帯域ｆ３を使用する。互いに隣り合っている２つのセルの間における干渉を低減するために、第１のセル内の第１４のユーザグループにおけるユーザ機器のものであってアップリンク送信のために使用されるアップリンク周波数帯域ｆ１が、ｆ２へ調整され得、第１のセル内の第１４のユーザグループにおけるユーザ機器のものであってダウンリンク受信のために使用されるダウンリンク周波数帯域ｆ３が、ｆ４へ調整され得る。
【０１０５】
実際の適用プロセスにおいては、第２のセルのアップリンク周波数帯域およびダウンリンク周波数帯域は、第１のセルの構成情報に従って調整され得るということに留意されたい。したがって、第１のセルおよび第２のセル内にあって互いに干渉するユーザグループに関しては、ユーザグループのアップリンク周波数帯域は、別のユーザグループのダウンリンク周波数帯域とは異なり、そのユーザグループのダウンリンク周波数帯域は、その別のユーザグループのアップリンク周波数帯域とは異なる。具体的な調整様式および原理は、第２のセルに従って第１のセルを調整する様式および原理と同じである。詳細が本発明のこの実施形態において再び記述されることはない。
【０１０６】
たとえば、図１１において示されているように、図１１は、図１０Ａおよび図１０Ｄにおいて入手された第１のセルおよび第２のセル内のユーザ機器の地理的ロケーション情報に従ってユーザグループを入手することの概略図である。第１のセル内のユーザグループＡ８と、第２のセル内のユーザグループＢ６との間における距離がプリセット距離未満であるということが図１１から知られ得る。第１のセル内のユーザグループＡ８のアップリンク周波数帯域が、第２のセル内のユーザグループＢ６のダウンリンク周波数帯域と同じであり、または第１のセル内のユーザグループＡ８のダウンリンク周波数帯域が、第２のセル内のユーザグループＢ６のアップリンク周波数帯域と同じであり、または第１のセル内のユーザグループＡ８のアップリンク周波数帯域が、第２のセル内のユーザグループＢ６のダウンリンク周波数帯域と同じであり、第１のセル内のユーザグループＡ８のダウンリンク周波数帯域が、第２のセル内のユーザグループＢ６のアップリンク周波数帯域と同じである場合には、第１のセル内のユーザグループＡ８におけるユーザ機器は、第２のセル内のユーザグループＢ６におけるユーザ機器に干渉し得る。干渉を回避するために、第１のセル内のそれぞれのユーザグループのアップリンク周波数帯域およびダウンリンク周波数帯域が、第２のセル内にあって第１のユーザグループに干渉するユーザグループのダウンリンク周波数帯域およびアップリンク周波数帯域に従って調整されて、互いに隣り合っているセル内にあって、プリセット距離未満である距離が間にあるユーザグループ間における干渉を回避し得る。たとえば、第２のセルの周波数帯域割り当てが表２において示されている場合に、第１のセル内のすべてのユーザグループの周波数帯域が、表３において示されている周波数帯域へ調整され得る。
【０１０７】
【表２】
2019503128.tif 000004
【０１０８】
【表３】
2019503128.tif 000005
【０１０９】
表２および表３を参照すると、第２のセル内のユーザグループＢ６のアップリンク周波数帯域およびダウンリンク周波数帯域が、それぞれｆ６およびｆ１である場合には、第１のセル内のユーザグループＡ８のアップリンク周波数帯域が、ｆ１からｆ５またはｆ７およびｆ８のうちのいずれか１つへ調整され得、第１のセル内のユーザグループＡ８のダウンリンク周波数帯域が、ｆ２からｆ８のうちのいずれか１つへ調整され得るということが知られ得る。たとえば、本発明のこの実施形態においては、アップリンク周波数帯域がｆ７であってダウンリンク周波数帯域がｆ６である例を使用することによって説明が提供されている。ユーザグループＡ８の周波数帯域構成が入手されている場合には、第１のセル内の別のユーザグループのアップリンク周波数帯域およびダウンリンク周波数帯域が、ユーザグループＡ８のアップリンク周波数帯域およびダウンリンク周波数帯域とは異なるその他の周波数帯域として構成され得る。具体的な構成様式に関しては、第１のセル内のユーザグループの前述の構成様式を参照されたい。詳細が本発明のこの実施形態において再び記述されることはない。
【０１１０】
別の可能なシナリオにおいては、図１２において示されているように、さらに、同じ干渉がセルエッジユーザ上でも生じる。すべてのセルが、同じ周波数帯域を使用する。互いに比較的近い２つのセル内にいる２人のエッジユーザに関して、たとえば、第１のセルおよび第２のセルは、互いに隣り合っていて別々の基地局によって別々にカバーされているセルであり、第１のセル内の第１のユーザグループと第２のセル内の第２のユーザグループとの間に干渉が存在する。第１のセル内の第１のユーザグループと第２のセル内の第２のユーザグループとの間における干渉を低減するために、第１のセルの基地局ｅＮＢ１は、第２のセル内にあって第１のセルに干渉するユーザグループのアップリンク周波数帯域およびダウンリンク周波数帯域を第２のセルの基地局ｅＮＢ２から入手するか、または第２のセル内のそれぞれのユーザグループのアップリンク周波数帯域およびダウンリンク周波数帯域を入手し得る。第２のセルのアップリンク周波数帯域およびダウンリンク周波数帯域が入手された後に、第１のセル内のそれぞれのユーザグループのアップリンク周波数帯域およびダウンリンク周波数帯域が調整される。この方法においては、第１のセル内にあって第２のセルに干渉するユーザグループのアップリンク周波数帯域が、第２のセル内にあって第１のセルに干渉するユーザグループのダウンリンク周波数帯域とは異なり、第１のセル内にあって第２のセルに干渉するユーザグループのダウンリンク周波数帯域が、第２のセル内にあって第１のセルに干渉するユーザグループのアップリンク周波数帯域とは異なる。具体的な調整様式に関しては、前述のシナリオにおける調整様式を参照されたい。詳細が本発明のこの実施形態において再び記述されることはない。
【０１１１】
第１のセルの基地局ｅＮＢ１が第２のセルの基地局ｅＮＢ２から第２のセルのアップリンク周波数帯域およびダウンリンク周波数帯域を入手する様式は、本発明のこの実施形態においては限定されない。
【０１１２】
たとえば、第１の可能な実施態様は、下記のとおりである。
【０１１３】
ａ１．  第１のセルの基地局は、ネットワークインターフェースシグナリングを使用することによって第１の要求メッセージを第２のセルの基地局ｅＮＢ２へ送信し、第１の要求メッセージは、第２のセル内のそれぞれのユーザグループのアップリンク周波数帯域およびダウンリンク周波数帯域を基地局ｅＮＢ１へ送信するよう基地局ｅＮＢ２に指示し、または第２のセル内にあって第１のセルに干渉するそれぞれのユーザグループのアップリンク周波数帯域およびダウンリンク周波数帯域を基地局ｅＮＢ１へ送信するよう基地局ｅＮＢ２に指示する。
【０１１４】
ａ２．  第１のセルの基地局ｅＮＢ１は、第１の要求メッセージのものであって第２のセルの基地局ｅＮＢ２によって送信されるフィードバックメッセージを受信し、そのフィードバックメッセージは、第２のセル内のそれぞれのユーザグループのアップリンク周波数帯域およびダウンリンク周波数帯域、または第２のセル内にあって第１のセルに干渉するユーザグループのアップリンク周波数帯域およびダウンリンク周波数帯域を搬送する。
【０１１５】
たとえば、第２の可能な実施態様は、下記のとおりである。
【０１１６】
基地局ｅＮＢ１は、基地局ｅＮＢ２によって送信された第２の要求メッセージを受信し、その第２の要求メッセージは、第２のセル内のそれぞれのユーザグループのアップリンク周波数帯域およびダウンリンク周波数帯域、または第２のセル内にあって第１のセルに干渉するユーザグループのアップリンク周波数帯域およびダウンリンク周波数帯域を搬送する。
【０１１７】
第２の可能な実施態様は、それらの基地局によってデフォルトで知られている。基地局が、その基地局によってカバーされるそれぞれのセルの構成を完了した後に、その基地局は、別の近隣の基地局との間でデータを直接やり取りする。
【０１１８】
図１３において示されているように、図１３は、本発明のこの実施形態による第３の可能なシナリオである。第１のセルおよび第３のセルは、互いに隣り合っていて別々の基地局によってカバーされているセルである。第１のセル内の第１のユーザグループにおけるＵＥ１のアップリンク周波数帯域は、第３のセル内の第２のユーザグループにおけるＵＥ２のダウンリンク周波数帯域と同じである。加えて、第１のセル内の第１のユーザグループにおけるＵＥ１のダウンリンク周波数帯域は、第３のセル内の第２のユーザグループにおけるＵＥ３のアップリンク周波数帯域と同じである。
【０１１９】
第１のセルおよび第３のセルの両方によってカバーされているエリア内の第１のユーザグループにおけるＵＥ１のアップリンク周波数帯域によって第３のセル内の第２のユーザグループにおけるＵＥ２のダウンリンク周波数帯域に対してもたらされる干渉を低減するために、
たとえば、下記のステップｂ１およびｂ２を使用することによって、可能な実施態様が示されている。
【０１２０】
ｂ１．  基地局は、第３のセルの構成情報を入手し、第３のセルの構成情報は、第３のセル内にあって第１のセルに干渉するユーザグループの少なくともアップリンク周波数帯域、ダウンリンク周波数帯域、および時間スケジューリング情報を含み、第３のセルは、第１のセルに隣り合っているセルである。
【０１２１】
基地局が、第３のセルによって送信される構成情報を入手する様式は、本発明のこの実施形態においては限定されない。第３のセルおよび第１のセルが、別々の基地局によってカバーされているセル、たとえば、図１３において示されているｅＮＢ１およびｅＮＢ２である場合には、
たとえば、可能な実施態様は、下記のとおりである。
【０１２２】
この実施態様が基地局によってデフォルトで知られているケースにおいては、基地局は、近隣の基地局のセルＩＤを入手し得る。第３のセルの基地局ｅＮＢ２が、第３のセル内のそれぞれのユーザグループ上での情報構成を完了した後に、第３のセルの基地局ｅＮＢ２は、第３のセル内のそれぞれのユーザグループのアップリンク周波数帯域、ダウンリンク周波数帯域、および時間スケジューリング情報を第１のセルの基地局ｅＮＢ１へ直接送信するか、または第３のセル内にあって第１のセルに干渉するユーザグループのアップリンク周波数帯域、ダウンリンク周波数帯域、および時間スケジューリング情報を第１のセルの基地局ｅＮＢ１へ送信する。
【０１２３】
たとえば、別の可能な実施態様は、下記のとおりである。
【０１２４】
基地局ｅＮＢ１は、第３の要求メッセージを第３のセルの基地局ｅＮＢ２へ送信する。第３の要求メッセージは、第３のセル内のそれぞれのユーザグループのアップリンク周波数帯域、ダウンリンク周波数帯域、および時間スケジューリング情報を第１のセルの基地局ｅＮＢ２へ送信するよう、または第３のセル内にあって第１のセルに干渉するユーザグループのアップリンク周波数帯域、ダウンリンク周波数帯域、および時間スケジューリング情報を第１のセルの基地局ｅＮＢ１へ送信するよう第３のセルの基地局ｅＮＢ２に指示する。次いで、第１のセルの基地局ｅＮＢ１は、第３の要求メッセージのものであって第３のセルの基地局ｅＮＢ２によって送信されるフィードバックメッセージを受信する。第３の要求メッセージのフィードバックメッセージは、第３のセル内のそれぞれのユーザグループのアップリンク周波数帯域、ダウンリンク周波数帯域、および時間スケジューリング情報、または第３のセル内にあって第１のセルに干渉するユーザグループのアップリンク周波数帯域、ダウンリンク周波数帯域、および時間スケジューリング情報を搬送する。
【０１２５】
ｂ２．  第９のユーザグループが、第３のセル内にあって第１のセルに干渉するユーザグループであり、第９のユーザグループのアップリンク周波数帯域が、第１のセル内の第１０のユーザグループのダウンリンク周波数帯域と同じである場合には、第１０のユーザグループのスケジューリング時間を、第９のユーザグループのスケジューリング時間とは異なるスケジューリング時間へ調整し、第９のユーザグループは、第３のセルに属しており、第１０のユーザグループは、第１のセルに属している、または
【０１２６】
たとえば、第３のセル内の第９のユーザグループのスケジューリング時間がＴ１である場合には、第１のセル内の第１０のユーザグループのスケジューリング時間は、Ｔ２へ調整され得、Ｔ１およびＴ２は、別々の瞬間である。
【０１２７】
ｂ３．  第１１のユーザグループが、第３のセル内にあって第１のセルに干渉するユーザグループであり、第１１のユーザグループのダウンリンク周波数帯域が、第１のセル内の第１２のユーザグループのアップリンク周波数帯域と同じである場合には、第１２のユーザグループのスケジューリング時間を、第１１のユーザグループのスケジューリング時間とは異なるスケジューリング時間へ調整し、第１２のユーザグループは、第１のセルに属しており、第１１のユーザグループは、第３のセルに属している。
【０１２８】
たとえば、第３のセル内の第１１のユーザグループのスケジューリング時間がＴ３である場合には、第１のセル内の第１２のユーザグループのスケジューリング時間は、Ｔ４へ調整され得、Ｔ３およびＴ４は、別々の瞬間である。
【０１２９】
ｂ４．  第１５のユーザグループが、第３のセル内にあって第１のセルに干渉するユーザグループであり、第１５のユーザグループのダウンリンク周波数帯域が、第１のセル内の第１６のユーザグループのアップリンク周波数帯域と同じであり、第１５のユーザグループのアップリンク周波数帯域が、第１のセル内の第１６のユーザグループのダウンリンク周波数帯域と同じである場合には、第１６のユーザグループのスケジューリング時間を、第１５のユーザグループのスケジューリング時間とは異なるスケジューリング時間へ調整し、第１６のユーザグループは、第１のセルに属しており、第１５のユーザグループは、第３のセルに属している。
【０１３０】
たとえば、第３のセル内の第１５のユーザグループのスケジューリング時間がＴ５である場合には、第１のセル内の第１６のユーザグループのスケジューリング時間は、Ｔ６へ調整され得、Ｔ５およびＴ６は、別々の瞬間である。
【０１３１】
この実施形態における前述の様式は、第９のユーザグループ、第１１のユーザグループ、または第１５のユーザグループと、第１のセル内の任意のユーザグループとの間に干渉が存在するかどうかを決定するために使用され得る。詳細が本発明のこの実施形態において再び記述されることはない。
【０１３２】
図１３において示されている本発明のこの実施形態における第３の可能なシナリオがさらに、下記の様式で実施され得る。
【０１３３】
ｃ１．  基地局は、第１のセルの構成情報を第４のセルの基地局へ送信し、第１のセルの構成情報は、第１のセル内にあって第４のセルに干渉するユーザグループの少なくともアップリンク周波数帯域、ダウンリンク周波数帯域、および時間スケジューリング情報を含む。
【０１３４】
第１のセルの構成情報を受信しているときに、第４のセルの基地局は、第１のセルの構成情報に従って構成を実行し得る。第１７のユーザグループが、第４のセル内にあって第１のセルに干渉するユーザグループであり、第１７のユーザグループのアップリンク周波数帯域が、第１のセル内の第１８のユーザグループのダウンリンク周波数帯域と同じである場合には、第４のセルの基地局は、第１７のユーザグループのスケジューリング時間を、第１８のユーザグループのスケジューリング時間とは異なるスケジューリング時間へ調整する、または
【０１３５】
第１９のユーザグループが、第４のセル内にあって第１のセルに干渉するユーザグループであり、第１９のユーザグループのダウンリンク周波数帯域が、第１のセル内の第２０のユーザグループのアップリンク周波数帯域と同じである場合には、第４のセルの基地局は、第１９のユーザグループのスケジューリング時間を、第２０のユーザグループのスケジューリング時間とは異なるスケジューリング時間へ調整する、または
【０１３６】
第２１のユーザグループが、第４のセル内にあって第１のセルに干渉するユーザグループであり、第２１のユーザグループのダウンリンク周波数帯域が、第１のセル内の第２２のユーザグループのアップリンク周波数帯域と同じであるならば、第２１のユーザグループのアップリンク周波数帯域が、第１のセル内の第２２のユーザグループのダウンリンク周波数帯域と同じである場合に、第４のセルの基地局は、第２１のユーザグループのスケジューリング時間を、第２２のユーザグループのスケジューリング時間とは異なるスケジューリング時間へ調整する。
【０１３７】
第１のセルの構成情報は、第１のセル内のそれぞれのユーザグループのアップリンク周波数帯域、ダウンリンク周波数帯域、および時間スケジューリング情報を含み得、または第１のセル内にあって第４のセルに干渉するユーザグループのアップリンク周波数帯域、ダウンリンク周波数帯域、および時間スケジューリング情報のみを含み得る。これは、本発明のこの実施形態においては限定されない。
【０１３８】
第４のセルは、第１のセルに隣り合っているセルであって、かつ第１のセルをカバーしている基地局とは異なる基地局によってカバーされているセルである。
【０１３９】
第１のセルの構成情報が第４のセルへ送信されるということは、次のとおりであり得る。すなわち、第４のセルの基地局によって送信された第４の要求メッセージを受信した後に、第１のセルの基地局は、第１のセルの構成情報を第４のセルへ送信する。第４の要求メッセージは、第１のセル内にあって第４のセルに干渉するユーザグループの少なくともアップリンク周波数帯域、ダウンリンク周波数帯域、および時間スケジューリング情報を第４のセルの基地局へ送信するよう第１のセルの基地局に指示する。あるいは、第４の要求メッセージは、第１のセル内のそれぞれのユーザグループのアップリンク周波数帯域、ダウンリンク周波数帯域、および時間スケジューリング情報を第４のセルの基地局へ送信するよう第１のセルの基地局に指示する。
【０１４０】
あるいは、第１のセル内のそれぞれのユーザグループのアップリンク周波数帯域、ダウンリンク周波数帯域、および時間スケジューリング情報、アップリンク周波数帯域、ダウンリンク周波数帯域、および時間スケジューリング情報は、第１のセル内のそれぞれのユーザグループのアップリンク周波数帯域、ダウンリンク周波数帯域、および時間スケジューリング情報の構成を第１のセルが完了した後に、第４のセルの基地局へ直接送信され得、または第１のセル内にあって第４のセルに干渉するユーザグループのアップリンク周波数帯域、ダウンリンク周波数帯域、および時間スケジューリング情報のみが、第４のセルへ送信される。これは、本発明のこの実施形態においては限定されない。
【０１４１】
本発明の実施形態はさらに、構成装置を提供する。この構成装置におけるそれぞれの機能ユニットは、本発明の前述の実施形態における構成方法に対応している。詳細に関しては、本発明の前述の実施形態における説明を参照されたい。詳細が本発明のこの実施形態において再び記述されることはない。図１４において示されているように、構成装置２０は、全二重システムに適用され、
第１のセル内のユーザ機器をＮ個のユーザグループへと分割するステップであって、Ｎは２以上の正の整数であり、Ｎ個のユーザグループのそれぞれにおけるユーザ機器間に干渉が存在し、干渉の存在は、ユーザ機器がアップリンク送信を実行するときに、別のユーザ機器によって同時および同周波数の様式で実行されるダウンリンク受信が干渉されるということを示す、ステップを行うように構成されているグループ化ユニット２０１と、
Ｎ個のユーザグループのそれぞれにおけるユーザ機器に関して、アップリンク送信のために使用されるアップリンク周波数帯域、およびダウンリンク受信のために使用されるダウンリンク周波数帯域を構成するステップであって、アップリンク周波数帯域は、同じユーザグループにおけるダウンリンク周波数帯域とは異なり、アップリンク周波数帯域およびダウンリンク周波数帯域は、全二重システムの動作周波数帯域の周波数サブ帯域である、ステップを行うように構成されている構成ユニット２０２とを含む。
【０１４２】
本発明のこの実施形態において提供されている構成装置によれば、グループ化ユニットは、第１のセル内のユーザ機器をＮ個のユーザグループへと分割し、それぞれのユーザグループにおけるユーザ機器に関して、アップリンク送信のために使用されるアップリンク周波数帯域、およびダウンリンク受信のために使用されるダウンリンク周波数帯域を別々に構成する。それぞれのユーザグループにおけるユーザ機器間に干渉が存在するので、同じユーザグループにおけるユーザ機器に関して別々の周波数帯域におけるアップリンク周波数帯域およびダウンリンク周波数帯域が構成されている場合には、そのユーザグループにおけるユーザ機器のアップリンク送信によってそのユーザグループにおける別のユーザ機器のダウンリンク受信に対してもたらされる干渉が回避されることが可能である。加えて、アップリンク周波数帯域およびダウンリンク周波数帯域は、全二重システムの動作周波数帯域の周波数サブ帯域であり、それによって基地局は、同じ動作周波数帯域の別々の周波数サブ帯域上で全二重システムにおける第１のセル内の別々のユーザ機器にアップリンク送信サービスおよびダウンリンク受信サービスを提供することができる。
【０１４３】
さらに、Ｎ個のユーザグループは第１のユーザグループおよび第２のユーザグループを含み、第１のユーザグループにおけるユーザ機器と第２のユーザグループにおけるユーザ機器との間に干渉が存在する。
構成ユニット２０２は、
第１のユーザグループのアップリンク周波数帯域、および第２のユーザグループのダウンリンク周波数帯域を別々の周波数帯域として構成し、第１のユーザグループのダウンリンク周波数帯域、および第２のユーザグループのアップリンク周波数帯域を別々の周波数帯域として構成するステップを行うように特に構成されている。
【０１４４】
さらに、Ｎ個のユーザグループは第３のユーザグループおよび第４のユーザグループを含み、第３のユーザグループにおけるユーザ機器と第４のユーザグループにおけるユーザ機器との間に干渉が存在しない。
【０１４５】
構成ユニット２０２は、
第３のユーザグループのアップリンク周波数帯域、および第４のユーザグループのダウンリンク周波数帯域を同じ周波数帯域として構成し、第３のユーザグループのダウンリンク周波数帯域、および第４のユーザグループのアップリンク周波数帯域を同じ周波数帯域として構成するステップを行うようにさらに構成されている。
【０１４６】
図１５において示されているように、グループ化ユニット２０１は、
第１のセル内のユーザ機器の地理的ロケーション情報を入手するステップを行うように構成されている第１の入手モジュール２０１１と、
ユーザ機器の地理的ロケーション情報に従って第１のセル内のユーザ機器をＮ個のユーザグループへと分割するステップを行うように構成されている第１の分割モジュール２０１２とを含む。
【０１４７】
さらに、この装置は、
第１のユーザグループが第２のユーザグループに隣り合っているかどうかを決定するように構成されている第１の判断ユニットと、
第１のユーザグループが第２のユーザグループに隣り合っているということを第１の判断ユニットが決定した場合には、第１のユーザグループにおけるユーザ機器と第２のユーザグループにおけるユーザ機器との間に干渉が存在するということを基地局によって決定するように構成されている第１の決定ユニットと、
第３のユーザグループが第４のユーザグループに隣り合っていないということを第１の判断ユニットが決定した場合には、第３のユーザグループと第４のユーザグループとの間に干渉が存在しないということを基地局によって決定するように構成されている第２の決定ユニットとをさらに含む。
【０１４８】
本発明のこの実施形態における第１の決定ユニットおよび第２の決定ユニットは、２つの独立したユニットであり得、または統合されて決定ユニットになり得る。判断ユニットは、第１の決定ユニットおよび第２の決定ユニットの機能を有する。これは、本発明のこの実施形態においては限定されない。
【０１４９】
さらに、図１５において示されているように、分割ユニット２０１は、
第１のセル内のユーザ機器間における干渉情報に従ってユーザ機器をＮ個のユーザグループへと基地局によって分割するステップであって、ユーザグループにおけるユーザ機器のうちのいずれか１つと、同じユーザグループにおける少なくとも１つのユーザ機器との間に干渉が存在する、ステップを行うように構成されている第２の分割モジュール２０１３をさらに含む。
【０１５０】
さらに、この装置は、
第２のユーザグループにおける少なくとも１つのユーザ機器に干渉する少なくとも１つのユーザ機器を第１のユーザグループが含んでいるかどうかを決定するように構成されている第２の判断ユニットと、
第１のユーザグループにおける少なくとも１つのユーザ機器と第２のユーザグループにおける少なくとも１つのユーザ機器との間に干渉が存在するということを第２の判断ユニットが決定した場合には、第１のユーザグループにおけるユーザ機器と第２のユーザグループにおけるユーザ機器との間に干渉が存在するということを基地局によって決定するように構成されている第３の決定ユニットと、
第３のユーザグループにおけるいずれかのユーザ機器と第４のユーザグループにおけるいずれかのユーザ機器との間に干渉が存在しないかどうかを決定するように構成されている第３の判断ユニットと、
第３のユーザグループにおけるいずれかのユーザ機器と第４のユーザグループにおけるいずれかのユーザ機器との間に干渉が存在しないということを第３の判断ユニットが決定した場合には、第３のユーザグループにおけるユーザ機器と第４のユーザグループにおけるユーザ機器との間に干渉が存在しないということを基地局によって決定するように構成されている第４の決定ユニットとをさらに含む。
【０１５１】
本発明のこの実施形態における第２の判断ユニットおよび第３の判断ユニットは、２つの独立したユニットであり得、または統合されて判断ユニットになり得るということに留意されたい。その判断ユニットは、第２の判断ユニットおよび第３の判断ユニットの機能を有する。
【０１５２】
本発明のこの実施形態における第３の決定ユニットおよび第４の決定ユニットは、２つの独立したユニットであり得、または統合されて決定ユニットになり得る。判断ユニットは、第３の決定ユニットおよび第４の決定ユニットの機能を有する。
【０１５３】
さらに、この装置は、
基地局によって、第２のセルの構成情報を入手するステップであって、第２のセルの構成情報は、第２のセル内にあって第１のセルに干渉するユーザグループの少なくともアップリンク周波数帯域およびダウンリンク周波数帯域を含み、第２のセルは、第１のセルに隣り合っているセルである、ステップを行うように構成されている第１の入手ユニットと、
第５のユーザグループが、第２のセル内にあって第１のセルに干渉するユーザグループであり、第５のユーザグループのアップリンク周波数帯域が、第１のセル内にあって第２のセルに干渉するユーザグループのうちの第６のユーザグループのダウンリンク周波数帯域と同じである場合には、第６のユーザグループのダウンリンク周波数帯域が第５のユーザグループのアップリンク周波数帯域とは異なるように第６のユーザグループのダウンリンク周波数帯域を調整するステップ、または
第７のユーザグループが、第２のセル内にあって第１のセルに干渉するユーザグループであり、第７のユーザグループのダウンリンク周波数帯域が、第１のセル内にあって第２のセルに干渉するユーザグループのうちの第８のユーザグループのアップリンク周波数帯域と同じである場合には、第８のユーザグループのアップリンク周波数帯域が第７のユーザグループのダウンリンク周波数帯域とは異なるように第８のユーザグループのアップリンク周波数帯域を調整するステップ、または
第１３のユーザグループが、第２のセル内にあって第１のセルに干渉するユーザグループであり、第１３のユーザグループのダウンリンク周波数帯域が、第１のセル内にあって第２のセルに干渉するユーザグループのうちの第１４のユーザグループのアップリンク周波数帯域と同じであり、第１３のユーザグループにおけるユーザ機器のダウンリンク周波数帯域が、第１４のユーザグループにおけるユーザ機器のアップリンク周波数帯域と同じである場合には、第１４のユーザグループのアップリンク周波数帯域が第１３のユーザグループのダウンリンク周波数帯域とは異なるように、および第１４のユーザグループのダウンリンク周波数帯域が第１３のユーザグループのアップリンク周波数帯域とは異なるように第１４のユーザグループのアップリンク周波数帯域およびダウンリンク周波数帯域を調整するステップ
を行うように構成されている第１の調整ユニットとをさらに含む。具体的な調整様式に関しては、前述の様式を参照されたい。詳細が本発明のこの実施形態において再び記述されることはない。
【０１５４】
さらに、この装置は、
第３のセルの構成情報を入手するステップであって、第３のセルの構成情報は、第３のセル内にあって第１のセルに干渉するユーザグループの少なくともアップリンク周波数帯域、ダウンリンク周波数帯域、および時間スケジューリング情報を含み、第３のセルは、第１のセルに隣り合っているセルである、ステップを行うように構成されている第２の入手ユニットと、
第９のユーザグループが、第３のセル内にあって第１のセルに干渉するユーザグループであり、第９のユーザグループのアップリンク周波数帯域が、第１のセル内の第１０のユーザグループのダウンリンク周波数帯域と同じである場合には、第１０のユーザグループのスケジューリング時間を、第９のユーザグループのスケジューリング時間とは異なるスケジューリング時間へ調整するステップであって、第９のユーザグループは、第３のセルに属しており、第１０のユーザグループは、第１のセルに属している、ステップ、または
第１１のユーザグループが、第３のセル内にあって第１のセルに干渉するユーザグループであり、第１１のユーザグループのダウンリンク周波数帯域が、第１のセル内の第１２のユーザグループのアップリンク周波数帯域と同じである場合には、第１２のユーザグループのスケジューリング時間を、第１１のユーザグループのスケジューリング時間とは異なるスケジューリング時間へ調整するステップであって、第１２のユーザグループは、第１のセルに属しており、第１１のユーザグループは、第３のセルに属している、ステップ、または
第１５のユーザグループが、第３のセル内にあって第１のセルに干渉するユーザグループであり、第１５のユーザグループのダウンリンク周波数帯域が、第１のセル内の第１６のユーザグループのアップリンク周波数帯域と同じであり、第１５のユーザグループのアップリンク周波数帯域が、第１のセル内の第１６のユーザグループのダウンリンク周波数帯域と同じである場合には、第１６のユーザグループのスケジューリング時間を、第１５のユーザグループのスケジューリング時間とは異なるスケジューリング時間へ調整するステップであって、第１６のユーザグループは、第１のセルに属しており、第１５のユーザグループは、第３のセルに属している、ステップ
を行うように構成されている第２の調整ユニットとをさらに含む。
【０１５５】
さらに、この装置は、
基地局によって、第１のセルの構成情報を第４のセルの基地局へ送信するステップであって、第１のセルの構成情報は、第１のセル内にあって第４のセルに干渉するユーザグループの少なくともアップリンク周波数帯域、ダウンリンク周波数帯域、および時間スケジューリング情報を含む、ステップを行うように構成されている送信ユニットをさらに含む。
【０１５６】
図１６において示されているように、本発明の実施形態はさらに、基地局を提供する。この基地局は、前述の方法において基地局によって実行されるステップを実行するように構成されている。この基地局は、対応するステップに対応するモジュールを含み得る。たとえば、この基地局は、
基地局によって、第１のセル内のユーザ機器をＮ個のユーザグループへと分割するステップであって、Ｎは２以上の正の整数であり、Ｎ個のユーザグループのそれぞれにおけるユーザ機器間に干渉が存在し、干渉の存在は、ユーザ機器がアップリンク送信を実行するときに、別のユーザ機器によって同時および同周波数の様式で実行されるダウンリンク受信が干渉されるということを示す、ステップを行うように構成されているグループ化ユニット３０１と、
基地局によって、Ｎ個のユーザグループのそれぞれにおけるユーザ機器に関して、アップリンク送信のために使用されるアップリンク周波数帯域、およびダウンリンク受信のために使用されるダウンリンク周波数帯域を構成するステップであって、アップリンク周波数帯域は、同じユーザグループにおけるダウンリンク周波数帯域とは異なり、アップリンク周波数帯域およびダウンリンク周波数帯域は、全二重システムの動作周波数帯域の周波数サブ帯域である、ステップを行うように構成されている構成ユニット３０２とを含む。
【０１５７】
本発明のこの実施形態において提供されている基地局によれば、この基地局は、グループ化ユニットを使用することによって、第１のセル内のユーザ機器をＮ個のユーザグループへと分割し、それぞれのユーザグループにおけるユーザ機器に関して、アップリンク送信のために使用されるアップリンク周波数帯域、およびダウンリンク受信のために使用されるダウンリンク周波数帯域を別々に構成する。それぞれのユーザグループにおけるユーザ機器間に干渉が存在するので、同じユーザグループにおけるユーザ機器に関して別々の周波数帯域におけるアップリンク周波数帯域およびダウンリンク周波数帯域が構成されている場合には、そのユーザグループにおけるユーザ機器のアップリンク送信によってそのユーザグループにおける別のユーザ機器のダウンリンク受信に対してもたらされる干渉が回避されることが可能である。加えて、アップリンク周波数帯域およびダウンリンク周波数帯域は、全二重システムの動作周波数帯域の周波数サブ帯域であり、それによって基地局は、同じ動作周波数帯域の別々の周波数サブ帯域上で全二重システムにおける第１のセル内の別々のユーザ機器にアップリンク送信サービスおよびダウンリンク受信サービスを提供することができる。
【０１５８】
図１７において示されているように、本発明の実施形態は、基地局を提供する。この基地局は、プロセッサ４０、メモリ４１、システムバス４２、および通信インターフェース４３を含む。
【０１５９】
メモリ４１は、コンピュータ実行可能命令を格納するように構成されている。プロセッサ４０は、システムバス４２を使用することによって、メモリ４１へ接続されている。基地局が稼働するときに、プロセッサ４０は、メモリ４１内に格納されているコンピュータ実行可能命令を実行し、それによって基地局は、図３から図１３のうちのいずれか１つにおける構成方法を実行する。具体的な構成方法に関しては、図３から図１３のうちのいずれか１つにおいて示されている実施形態における関連した説明を参照されたい。詳細がここで再び記述されることはない。
【０１６０】
本発明のこの実施形態において提供されている基地局によれば、この基地局は、グループ化ユニットを使用することによって、第１のセル内のユーザ機器をＮ個のユーザグループへと分割し、それぞれのユーザグループにおけるユーザ機器に関して、アップリンク送信のために使用されるアップリンク周波数帯域、およびダウンリンク受信のために使用されるダウンリンク周波数帯域を別々に構成する。それぞれのユーザグループにおけるユーザ機器間に干渉が存在するので、同じユーザグループにおけるユーザ機器に関して別々の周波数帯域におけるアップリンク周波数帯域およびダウンリンク周波数帯域が構成されている場合には、そのユーザグループにおけるユーザ機器のアップリンク送信によってそのユーザグループにおける別のユーザ機器のダウンリンク受信に対してもたらされる干渉が回避されることが可能である。加えて、アップリンク周波数帯域およびダウンリンク周波数帯域は、全二重システムの動作周波数帯域の周波数サブ帯域であり、それによって基地局は、同じ動作周波数帯域の別々の周波数サブ帯域上で全二重システムにおける第１のセル内の別々のユーザ機器にアップリンク送信サービスおよびダウンリンク受信サービスを提供することができる。
【０１６１】
この実施形態はさらに、ストレージメディアを提供する。このストレージメディアは、メモリ４１を含み得る。
【０１６２】
プロセッサ４０は、ＣＰＵであり得る。プロセッサ４０はさらに、別の汎用プロセッサ、ＤＳＰ、ＡＳＩＣ、ＦＰＧＡ、別のプログラマブルロジックデバイス、ディスクリートゲート、またはトランジスタロジックデバイス、ディスクリートハードウェアコンポーネントなどであり得る。汎用プロセッサは、マイクロプロセッサであり得、またはそのプロセッサは、任意の普通のプロセッサなどであり得る。
【０１６３】
プロセッサ４０は、専用プロセッサであり得る。専用プロセッサは、ベースバンド処理チップ、無線周波数処理チップなどのうちの少なくとも１つを含み得る。さらに専用プロセッサは、基地局の別の専用処理機能を伴うチップをさらに含み得る。
【０１６４】
メモリ４１は、揮発性メモリ、たとえば、ランダムアクセスメモリＲＡＭを含み得る。メモリ４１は、不揮発性メモリ、たとえば、読み取り専用メモリＲＯＭ、フラッシュメモリ、ＨＤＤ、またはＳＳＤをさらに含み得る。メモリ４１は、前述のメモリの組合せをさらに含み得る。
【０１６５】
システムバス４２は、データバス、電力バス、コントロールバス、信号ステータスバスなどを含み得る。この実施形態における説明を明確にするために、さまざまなバスは、図１７におけるシステムバス４２として示されている。
【０１６６】
通信バス４３は、具体的には基地局内のトランシーバであり得る。そのトランシーバは、ワイヤレストランシーバであり得る。たとえば、そのワイヤレストランシーバは、基地局のアンテナなどであり得る。プロセッサ４０は、通信バス４３を使用することによって、別のデバイス、たとえば端末との間でのデータ送信および受信を実行する。
【０１６７】
特定の実施プロセスにおいては、図３から図１３のうちのいずれか１つにおいて示されている方法手順におけるそれぞれのステップは、ソフトウェアの形態のメモリ４１内に格納されているコンピュータ実行可能命令をハードウェアの形態のプロセッサ４０によって実行することによって実施され得る。繰り返しを回避するために、詳細がここで再び記述されることはない。
【０１６８】
便利で簡潔な説明の目的から、前述の機能モジュールの区分は、例示のための例として採用されているということが、当業者によって明確に理解され得る。実際の適用においては、前述の機能は、別々の機能モジュールに割り当てられて要件に従って実施されることが可能であり、すなわち、上述の機能のうちのすべてまたはいくつかを実施するために装置の内部構造が別々の機能モジュールへと区分される。前述のシステム、装置、およびユニットの詳細な機能プロセスに関しては、前述の方法実施形態における対応するプロセスに対して参照が行われ得、詳細がここで再び記述されることはない。
【０１６９】
本出願において提供されているいくつかの実施形態においては、開示されているシステム、装置、および方法は、その他の様式で実施され得るということを理解されたい。たとえば、記述されている装置実施形態は、例にすぎない。たとえば、モジュールまたはユニットの区分は、論理的な機能区分にすぎず、実際の実施においては、その他の区分であってもよい。たとえば、複数のユニットもしくはコンポーネントが組み合わされてもしくは統合されて別のシステムになってもよく、またはいくつかの機能が無視されてもよく、もしくは実行されなくてもよい。加えて、表示されているまたは論じられている相互の結合または直接の結合または通信接続は、いくつかのインターフェースを通じて実施され得る。装置またはユニット間における間接的な結合または通信接続は、電子的な形態またはその他の形態で実施され得る。
【０１７０】
別々の部分として記述されているユニットは、物理的に別々であってもよく、または物理的に別々でなくてもよく、ユニットとして表示されている部分は、物理的なユニットであってもよく、または物理的なユニットでなくてもよく、１つの位置に配置されてもよく、または複数のネットワークユニット上に分散されてもよい。ユニットのうちのいくつかまたはすべては、実施形態のソリューションの目的を達成するために実際の要件に従って選択され得る。
【０１７１】
加えて、本発明の実施形態における機能ユニットが統合されて１つの処理ユニットになってもよく、またはそれらのユニットのそれぞれが物理的に単独で存在してもよく、または複数のユニットが統合されて１つのユニットになる。その統合されたユニットは、ソフトウェア機能ユニットの形態で実装され得る。
【０１７２】
統合されたユニットがソフトウェア機能ユニットの形態で実装されて、独立した製品として販売または使用される場合には、その統合されたユニットは、コンピュータ可読ストレージメディア内に格納され得る。そのような理解に基づいて、技術的なソリューションのうちのすべてまたは部分は、ソフトウェア製品の形態で実装され得る。そのコンピュータソフトウェア製品は、ストレージメディア内に格納され、本発明の実施形態において記述されている方法のステップのうちのすべてまたはいくつかを実行するようコンピュータデバイス（パーソナルコンピュータ、サーバ、もしくはネットワークデバイスであり得る）またはプロセッサに指示するためのいくつかの命令を含む。そのストレージメディアは、非一時的（英語：  ｎｏｎ−ｔｒａｎｓｉｔｏｒｙ）メディアであり、フラッシュメモリ、取り外し可能なハードディスク、読み取り専用メモリ、ランダムアクセスメモリ、磁気ディスク、または光ディスクなど、プログラムコードを格納することができる任意のメディアを含む。
【０１７３】
便利で簡潔な説明の目的から、前述の機能モジュールの区分は、例示のための例として採用されているということが、当業者によって明確に理解され得る。実際の適用においては、前述の機能は、別々の機能モジュールに割り当てられて要件に従って実施されることが可能であり、すなわち、上述の機能のうちのすべてまたはいくつかを実施するために装置の内部構造が別々の機能モジュールへと区分される。前述のシステム、装置、およびユニットの詳細な機能プロセスに関しては、前述の方法実施形態における対応するプロセスに対して参照が行われ得、詳細がここで再び記述されることはない。
【０１７４】
最後に、前述の実施形態は、本発明の技術的なソリューションについて記述することを意図されているにすぎず、本発明を限定することを意図されているものではないということに留意されたい。前述の実施形態を参照しながら本発明が詳細に記述されているが、当技術分野における標準的な技術者なら、彼らが、それでもなお、本発明の実施形態の技術的なソリューションの趣旨および範囲から逸脱することなく、前述の実施形態において記述されている技術的なソリューションに対する修正形態を作成し得る、またはそれらのいくつかの技術的な特徴に対する均等な代替形態を作成し得るということを理解するはずである。
【図１Ａ】
2019503128.tif 000006
【図１Ｂ】
2019503128.tif 000007
【図２Ａ】
2019503128.tif 000008
【図２Ｂ】
2019503128.tif 000009
【図３】
2019503128.tif 000010
【図４】
2019503128.tif 000011
【図５】
2019503128.tif 000012
【図６】
2019503128.tif 000013
【図７】
2019503128.tif 000014
【図８】
2019503128.tif 000015
【図９】
2019503128.tif 000016
【図１０Ａ】
2019503128.tif 000017
【図１０Ｂ】
2019503128.tif 000018
【図１０Ｃ】
2019503128.tif 000019
【図１０Ｄ】
2019503128.tif 000020
【図１１】
2019503128.tif 000021
【図１２】
2019503128.tif 000022
【図１３】
2019503128.tif 000023
【図１４】
2019503128.tif 000024
【図１５】
2019503128.tif 000025
【図１６】
2019503128.tif 000026
【図１７】
2019503128.tif 000027
【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
全二重システムに適用される構成方法であって、
基地局によって、第１のセル内のユーザ機器をＮ個のユーザグループへと分割するステップであって、Ｎは２以上の正の整数であり、前記Ｎ個のユーザグループのそれぞれにおけるユーザ機器間に干渉が存在し、前記干渉の存在は、ユーザ機器がアップリンク送信を実行するときに、別のユーザ機器によって同時および同周波数の様式で実行されるダウンリンク受信が干渉されるということを示す、ステップと、
前記基地局によって、前記Ｎ個のユーザグループのそれぞれにおけるユーザ機器に関して、アップリンク送信のために使用されるアップリンク周波数帯域、およびダウンリンク受信のために使用されるダウンリンク周波数帯域を構成するステップであって、同じユーザグループにおいて、前記アップリンク周波数帯域は、前記ダウンリンク周波数帯域とは異なり、前記アップリンク周波数帯域および前記ダウンリンク周波数帯域は、前記全二重システムの動作周波数帯域の周波数サブ帯域である、ステップとを含む
構成方法。
【請求項２】
前記Ｎ個のユーザグループは第１のユーザグループおよび第２のユーザグループを含み、前記第１のユーザグループにおけるユーザ機器と前記第２のユーザグループにおけるユーザ機器との間に干渉が存在し、
前記基地局が、前記第１のユーザグループおよび前記第２のユーザグループにおけるユーザ機器に関して、アップリンク送信のために使用されるアップリンク周波数帯域、およびダウンリンク受信のために使用されるダウンリンク周波数帯域を構成することは、
前記第１のユーザグループの前記アップリンク周波数帯域、および前記第２のユーザグループの前記ダウンリンク周波数帯域を別々の周波数帯域として構成し、前記第１のユーザグループの前記ダウンリンク周波数帯域、および前記第２のユーザグループの前記アップリンク周波数帯域を別々の周波数帯域として構成するステップを含む
請求項１に記載の構成方法。
【請求項３】
前記Ｎ個のユーザグループは第３のユーザグループおよび第４のユーザグループを含み、前記第３のユーザグループにおけるユーザ機器と前記第４のユーザグループにおけるユーザ機器との間に干渉が存在せず、
前記基地局が、前記第３のユーザグループおよび前記第４のユーザグループにおけるユーザ機器に関して、アップリンク送信のために使用されるアップリンク周波数帯域、およびダウンリンク受信のために使用されるダウンリンク周波数帯域を構成することは、
前記第３のユーザグループの前記アップリンク周波数帯域、および前記第４のユーザグループの前記ダウンリンク周波数帯域を同じ周波数帯域として構成し、前記第３のユーザグループの前記ダウンリンク周波数帯域、および前記第４のユーザグループの前記アップリンク周波数帯域を同じ周波数帯域として構成するステップを含む
請求項１または２に記載の構成方法。
【請求項４】
基地局によって、第１のセル内のユーザ機器をＮ個のユーザグループへと分割する前記ステップは、
前記基地局によって、前記第１のセル内の前記ユーザ機器の地理的ロケーション情報を入手するステップと、
前記基地局によって、前記ユーザ機器の前記地理的ロケーション情報に従って前記第１のセル内の前記ユーザ機器を前記Ｎ個のユーザグループへと分割するステップとを含む
請求項１乃至３のいずれか一項に記載の構成方法。
【請求項５】
前記第１のユーザグループが前記第２のユーザグループに隣り合っている場合には、前記基地局は、前記第１のユーザグループにおける前記ユーザ機器と前記第２のユーザグループにおける前記ユーザ機器との間に干渉が存在するということを決定し、または
前記第３のユーザグループが前記第４のユーザグループに隣り合っていない場合には、前記基地局は、前記第３のユーザグループと前記第４のユーザグループとの間に干渉が存在しないということを決定する
請求項４に記載の構成方法。
【請求項６】
基地局によって、第１のセル内のユーザ機器をＮ個のユーザグループへと分割する前記ステップは、
前記基地局によって、前記第１のセル内の前記ユーザ機器間における干渉情報に従って前記ユーザ機器を前記Ｎ個のユーザグループへと分割するステップであって、ユーザグループにおけるユーザ機器のうちのいずれか１つと、同じユーザグループにおける少なくとも１つのユーザ機器との間に干渉が存在する、ステップを含む
請求項３に記載の構成方法。
【請求項７】
前記第１のユーザグループにおける少なくとも１つのユーザ機器と前記第２のユーザグループにおける少なくとも１つのユーザ機器との間に干渉が存在する場合には、前記基地局は、前記第１のユーザグループにおける前記ユーザ機器と前記第２のユーザグループにおける前記ユーザ機器との間に干渉が存在するということを決定し、
前記第３のユーザグループにおけるいずれかのユーザ機器と前記第４のユーザグループにおけるいずれかのユーザ機器との間に干渉が存在しない場合には、前記基地局は、前記第３のユーザグループにおける前記ユーザ機器と前記第４のユーザグループにおける前記ユーザ機器との間に干渉が存在しないということを決定する
請求項６に記載の構成方法。
【請求項８】
前記基地局によって、第２のセルの構成情報を入手するステップであって、前記第２のセルの前記構成情報は、前記第２のセル内にあって前記第１のセルに干渉するユーザグループの少なくともアップリンク周波数帯域およびダウンリンク周波数帯域を含み、前記第２のセルは、前記第１のセルに隣り合っているセルである、ステップ、
第５のユーザグループが、前記第２のセル内にあって前記第１のセルに干渉するユーザグループであり、前記第５のユーザグループのアップリンク周波数帯域が、前記第１のセル内にあって前記第２のセルに干渉するユーザグループのうちの第６のユーザグループのダウンリンク周波数帯域と同じである場合には、前記第６のユーザグループの前記ダウンリンク周波数帯域が前記第５のユーザグループの前記アップリンク周波数帯域とは異なるように前記第６のユーザグループの前記ダウンリンク周波数帯域を調整するステップ、または
第７のユーザグループが、前記第２のセル内にあって前記第１のセルに干渉するユーザグループであり、前記第７のユーザグループのダウンリンク周波数帯域が、前記第１のセル内にあって前記第２のセルに干渉するユーザグループのうちの第８のユーザグループのアップリンク周波数帯域と同じである場合には、前記第８のユーザグループの前記アップリンク周波数帯域が前記第７のユーザグループの前記ダウンリンク周波数帯域とは異なるように前記第８のユーザグループの前記アップリンク周波数帯域を調整するステップをさらに含む
請求項１乃至７のいずれか一項に記載の構成方法。
【請求項９】
前記基地局によって、第３のセルの構成情報を入手するステップであって、前記第３のセルの前記構成情報は、前記第３のセル内にあって前記第１のセルに干渉するユーザグループの少なくともアップリンク周波数帯域、ダウンリンク周波数帯域、および時間スケジューリング情報を含み、前記第３のセルは、前記第１のセルに隣り合っているセルである、ステップ、
第９のユーザグループが、前記第３のセル内にあって前記第１のセルに干渉するユーザグループであり、前記第９のユーザグループのアップリンク周波数帯域が、前記第１のセル内の第１０のユーザグループのダウンリンク周波数帯域と同じである場合には、前記第１０のユーザグループのスケジューリング時間を、前記第９のユーザグループのスケジューリング時間とは異なるスケジューリング時間へ調整するステップであって、前記第９のユーザグループは、前記第３のセルに属しており、前記第１０のユーザグループは、前記第１のセルに属している、ステップ、または
第１１のユーザグループが、前記第３のセル内にあって前記第１のセルに干渉するユーザグループであり、前記第１１のユーザグループのダウンリンク周波数帯域が、前記第１のセル内の第１２のユーザグループのアップリンク周波数帯域と同じである場合には、前記第１２のユーザグループのスケジューリング時間を、前記第１１のユーザグループのスケジューリング時間とは異なるスケジューリング時間へ調整するステップであって、前記第１２のユーザグループは、前記第１のセルに属しており、前記第１１のユーザグループは、前記第３のセルに属している、ステップをさらに含む
請求項１乃至７のいずれか一項に記載の構成方法。
【請求項１０】
前記基地局によって、前記第１のセルの構成情報を第４のセルの基地局へ送信するステップであって、前記第１のセルの前記構成情報は、前記第１のセル内にあって前記第４のセルに干渉するユーザグループの少なくともアップリンク周波数帯域、ダウンリンク周波数帯域、および時間スケジューリング情報を含む、ステップをさらに含む
請求項１乃至７のいずれか一項に記載の構成方法。
【請求項１１】
全二重システムに適用される構成装置であって、
第１のセル内のユーザ機器をＮ個のユーザグループへと分割するステップであって、Ｎは２以上の正の整数であり、前記Ｎ個のユーザグループのそれぞれにおけるユーザ機器間に干渉が存在し、前記干渉の存在は、ユーザ機器がアップリンク送信を実行するときに、別のユーザ機器によって同時および同周波数の様式で実行されるダウンリンク受信が干渉されるということを示す、ステップを行うように構成されているグループ化ユニットと、
前記Ｎ個のユーザグループのそれぞれにおけるユーザ機器に関して、アップリンク送信のために使用されるアップリンク周波数帯域、およびダウンリンク受信のために使用されるダウンリンク周波数帯域を構成するステップであって、同じユーザグループにおいて、前記アップリンク周波数帯域は、前記ダウンリンク周波数帯域とは異なり、前記アップリンク周波数帯域および前記ダウンリンク周波数帯域は、前記全二重システムの動作周波数帯域の周波数サブ帯域である、ステップを行うように構成されている構成ユニットとを含む
構成装置。
【請求項１２】
前記Ｎ個のユーザグループは第１のユーザグループおよび第２のユーザグループを含み、前記第１のユーザグループにおけるユーザ機器と前記第２のユーザグループにおけるユーザ機器との間に干渉が存在し、
前記構成ユニットは、
前記第１のユーザグループのアップリンク周波数帯域、および前記第２のユーザグループのダウンリンク周波数帯域を別々の周波数帯域として構成し、前記第１のユーザグループのダウンリンク周波数帯域、および前記第２のユーザグループのアップリンク周波数帯域を別々の周波数帯域として構成するステップを行うように特に構成されている
請求項１１に記載の構成装置。
【請求項１３】
前記Ｎ個のユーザグループは第３のユーザグループおよび第４のユーザグループを含み、前記第３のユーザグループにおけるユーザ機器と前記第４のユーザグループにおけるユーザ機器との間に干渉が存在せず、
前記構成ユニットは、
前記第３のユーザグループのアップリンク周波数帯域、および前記第４のユーザグループのダウンリンク周波数帯域を同じ周波数帯域として構成し、前記第３のユーザグループのダウンリンク周波数帯域、および前記第４のユーザグループのアップリンク周波数帯域を同じ周波数帯域として構成するステップを行うようにさらに構成されている
請求項１１または１２に記載の構成装置。
【請求項１４】
前記グループ化ユニットは、
前記第１のセル内の前記ユーザ機器の地理的ロケーション情報を入手するステップを行うように構成されている第１の入手モジュールと、
前記ユーザ機器の前記地理的ロケーション情報に従って前記第１のセル内の前記ユーザ機器を前記Ｎ個のユーザグループへと分割するステップを行うように構成されている第１の分割モジュールとを含む
請求項１１乃至１３のいずれか一項に記載の構成装置。
【請求項１５】
前記第１のユーザグループが前記第２のユーザグループに隣り合っているかどうかを決定するように構成されている第１の判断ユニットと、
前記第１のユーザグループが前記第２のユーザグループに隣り合っているということを前記第１の判断ユニットが決定した場合には、前記第１のユーザグループにおける前記ユーザ機器と前記第２のユーザグループにおける前記ユーザ機器との間に干渉が存在するということを決定するように構成されている第１の決定ユニットと、
前記第３のユーザグループが前記第４のユーザグループに隣り合っていないということを前記第１の判断ユニットが決定した場合には、前記第３のユーザグループと前記第４のユーザグループとの間に干渉が存在しないということを決定するように構成されている第２の決定ユニットとをさらに含む
請求項１４に記載の構成装置。
【請求項１６】
前記グループ化ユニットは、
前記第１のセル内の前記ユーザ機器間における干渉情報に従って前記ユーザ機器を前記Ｎ個のユーザグループへと分割するステップであって、ユーザグループにおけるユーザ機器のうちのいずれか１つと、同じユーザグループにおける少なくとも１つのユーザ機器との間に干渉が存在する、ステップを行うように構成されている第２の分割モジュールを含む
請求項１３に記載の構成装置。
【請求項１７】
前記第２のユーザグループにおける少なくとも１つのユーザ機器に干渉する少なくとも１つのユーザ機器を前記第１のユーザグループが含んでいるかどうかを決定するように構成されている第２の判断ユニットと、
前記第１のユーザグループにおける前記少なくとも１つのユーザ機器と前記第２のユーザグループにおける前記少なくとも１つのユーザ機器との間に干渉が存在するということを前記第２の判断ユニットが決定した場合には、前記第１のユーザグループにおける前記ユーザ機器と前記第２のユーザグループにおける前記ユーザ機器との間に干渉が存在するということを決定するように構成されている第３の決定ユニットと、
前記第３のユーザグループにおけるいずれかのユーザ機器と前記第４のユーザグループにおけるいずれかのユーザ機器との間に干渉が存在しないかどうかを決定するように構成されている第３の判断ユニットと、
前記第３のユーザグループにおけるいずれかのユーザ機器と前記第４のユーザグループにおけるいずれかのユーザ機器との間に干渉が存在しないということを前記第３の判断ユニットが決定した場合には、前記第３のユーザグループにおける前記ユーザ機器と前記第４のユーザグループにおける前記ユーザ機器との間に干渉が存在しないということを決定するように構成されている第４の決定ユニットとをさらに含む
請求項１６に記載の構成装置。
【請求項１８】
第２のセルの構成情報を入手するステップであって、前記第２のセルの前記構成情報は、前記第２のセル内にあって前記第１のセルに干渉するユーザグループの少なくともアップリンク周波数帯域およびダウンリンク周波数帯域を含み、前記第２のセルは、前記第１のセルに隣り合っているセルである、ステップを行うように構成されている第１の入手ユニットと、
第５のユーザグループが、前記第２のセル内にあって前記第１のセルに干渉するユーザグループであり、前記第５のユーザグループのアップリンク周波数帯域が、前記第１のセル内にあって前記第２のセルに干渉するユーザグループのうちの第６のユーザグループのダウンリンク周波数帯域と同じである場合には、前記第６のユーザグループの前記ダウンリンク周波数帯域が前記第５のユーザグループの前記アップリンク周波数帯域とは異なるように前記第６のユーザグループの前記ダウンリンク周波数帯域を調整するステップ、または
第７のユーザグループが、前記第２のセル内にあって前記第１のセルに干渉するユーザグループであり、前記第７のユーザグループのダウンリンク周波数帯域が、前記第１のセル内にあって前記第２のセルに干渉するユーザグループのうちの第８のユーザグループのアップリンク周波数帯域と同じである場合には、前記第８のユーザグループの前記アップリンク周波数帯域が前記第７のユーザグループの前記ダウンリンク周波数帯域とは異なるように前記第８のユーザグループの前記アップリンク周波数帯域を調整するステップ
を行うように構成されている第１の調整ユニットとをさらに含む
請求項１１乃至１７のいずれか一項に記載の構成装置。
【請求項１９】
第３のセルの構成情報を入手するステップであって、前記第３のセルの前記構成情報は、前記第３のセル内にあって前記第１のセルに干渉するユーザグループの少なくともアップリンク周波数帯域、ダウンリンク周波数帯域、および時間スケジューリング情報を含み、前記第３のセルは、前記第１のセルに隣り合っているセルである、ステップを行うように構成されている第２の入手ユニットと、
第９のユーザグループが、前記第３のセル内にあって前記第１のセルに干渉するユーザグループであり、前記第９のユーザグループのアップリンク周波数帯域が、前記第１のセル内の第１０のユーザグループのダウンリンク周波数帯域と同じである場合には、前記第１０のユーザグループのスケジューリング時間を、前記第９のユーザグループのスケジューリング時間とは異なるスケジューリング時間へ調整するステップであって、前記第９のユーザグループは、前記第３のセルに属しており、前記第１０のユーザグループは、前記第１のセルに属している、ステップ、または
第１１のユーザグループが、前記第３のセル内にあって前記第１のセルに干渉するユーザグループであり、前記第１１のユーザグループのダウンリンク周波数帯域が、前記第１のセル内の第１２のユーザグループのアップリンク周波数帯域と同じである場合には、前記第１２のユーザグループのスケジューリング時間を、前記第１１のユーザグループのスケジューリング時間とは異なるスケジューリング時間へ調整するステップであって、前記第１２のユーザグループは、前記第１のセルに属しており、前記第１１のユーザグループは、前記第３のセルに属している、ステップ
を行うように構成されている第２の調整ユニットとをさらに含む
請求項１１乃至１７のいずれか一項に記載の構成装置。
【請求項２０】
前記第１のセルの構成情報を第４のセルの基地局へ送信するステップであって、前記第１のセルの前記構成情報は、前記第１のセル内にあって前記第４のセルに干渉するユーザグループの少なくともアップリンク周波数帯域、ダウンリンク周波数帯域、および時間スケジューリング情報を含む、ステップを行うように構成されている送信ユニットをさらに含む
請求項１１乃至１７のいずれか一項に記載の構成装置。
【請求項２１】
構成装置であって、
プロセッサと、
前記プロセッサに結合され、前記プロセッサによる実行のためのプログラミング命令を格納する非一時的なコンピュータ読み取り可能な記憶媒体とを備え、前記プログラミング命令は前記プロセッサに、
第１のセル内のユーザ機器をＮ個のユーザグループへと分割するステップであって、Ｎは２以上の正の整数であり、前記Ｎ個のユーザグループのそれぞれにおけるユーザ機器間に干渉が存在し、前記干渉の存在は、ユーザ機器がアップリンク送信を実行するときに、別のユーザ機器によって同時および同周波数の様式で実行されるダウンリンク受信が干渉されるということを示す、ステップと、
前記Ｎ個のユーザグループのそれぞれにおけるユーザ機器に関して、アップリンク送信のために使用されるアップリンク周波数帯域、およびダウンリンク受信のために使用されるダウンリンク周波数帯域を構成するステップであって、同じユーザグループにおいて、前記アップリンク周波数帯域は、前記ダウンリンク周波数帯域とは異なり、前記アップリンク周波数帯域および前記ダウンリンク周波数帯域は、前記全二重システムの動作周波数帯域の周波数サブ帯域である、ステップとを実行させる
構成装置。
【請求項２２】
請求項１ないし１０のいずれか１項に記載の方法をコンピュータに実行させるプログラムを記憶する、コンピュータ読み取り可能な記憶媒体。
【手続補正２】
【補正対象書類名】明細書
【補正対象項目名】全文
【補正方法】変更
【補正の内容】
【発明の詳細な説明】
【技術分野】
【０００１】
本発明の実施形態は、通信技術の分野に関し、詳細には、構成方法および装置に関する。
【０００２】
本出願は、２０１５年１２月１１日に中国特許庁に出願された「ＣＯＮＦＩＧＵＲＡＴＩＯＮ  ＭＥＴＨＯＤ  ＡＮＤ  ＡＰＰＡＲＡＴＵＳ」と題されている中国特許出願第２０１５１０９２５９２６．６号に対する優先権を主張するものであり、その中国特許出願第２０１５１０９２５９２６．６号は、その全体が参照によって本明細書に組み込まれている。
【背景技術】
【０００３】
全二重ワイヤレス通信技術は、新たな通信技術である。この技術を使用することによって、同時および同周波数での通信が実施され得る。
【０００４】
しかしながら、連続したネットワーキングのケースにおいて、すなわちローカルセルが複数のユーザ機器を有しているときに、それらの複数のユーザ機器が、同時および同周波数の様式で互いに通信して、かつアップリンク送信を実行するユーザ機器が、ダウンリンク受信を実行するユーザ機器に比較的近い場合には、同周波数の様式でダウンリンク受信を実行するユーザ機器は、アップリンク送信のユーザ機器がアップリンク送信を実行するときに大幅に干渉される。
【発明の概要】
【発明が解決しようとする課題】
【０００５】
本発明の実施形態は、全二重システムにおけるユーザ機器間における干渉を低減するための、構成方法および装置を提供する。
【課題を解決するための手段】
【０００６】
前述の目的を達成するために、本発明の実施形態においては下記の技術的なソリューションが使用される。
【０００７】
第１の態様によれば、本発明の実施形態は、全二重システムに適用される構成方法を提供し、この方法は、
基地局によって、第１のセル内のユーザ機器をＮ個のユーザグループへと分割するステップであって、Ｎは２以上の正の整数であり、Ｎ個のユーザグループのそれぞれにおけるユーザ機器間に干渉が存在し、干渉の存在は、ユーザ機器がアップリンク送信を実行するときに、別のユーザ機器によって同時および同周波数の様式で実行されるダウンリンク受信が干渉されるということを示す、ステップと、
基地局によって、Ｎ個のユーザグループのそれぞれにおけるユーザ機器に関して、アップリンク送信のために使用されるアップリンク周波数帯域、およびダウンリンク受信のために使用されるダウンリンク周波数帯域を構成するステップであって、同じユーザグループ内においてアップリンク周波数帯域はダウンリンク周波数帯域とは異なり、アップリンク周波数帯域およびダウンリンク周波数帯域は、全二重システムの動作周波数帯域の周波数サブ帯域である、ステップとを含む。
【０００８】
第１の態様に関連して、第１の態様の第１の可能な実施態様においては、Ｎ個のユーザグループは第１のユーザグループおよび第２のユーザグループを含み、第１のユーザグループにおけるユーザ機器と第２のユーザグループにおけるユーザ機器との間に干渉が存在し、
基地局が、第１のユーザグループおよび第２のユーザグループにおけるユーザ機器に関して、アップリンク送信のために使用されるアップリンク周波数帯域、およびダウンリンク受信のために使用されるダウンリンク周波数帯域を構成することは、
第１のユーザグループのアップリンク周波数帯域、および第２のユーザグループのダウンリンク周波数帯域を別々の周波数帯域として構成し、第１のユーザグループのダウンリンク周波数帯域、および第２のユーザグループのアップリンク周波数帯域を別々の周波数帯域として構成するステップを含む。
【０００９】
第１の態様、または第１の態様の第１の可能な実施態様に関連して、第１の態様の第２の可能な実施態様においては、Ｎ個のユーザグループは第３のユーザグループおよび第４のユーザグループを含み、第３のユーザグループにおけるユーザ機器と第４のユーザグループにおけるユーザ機器との間に干渉が存在せず、
基地局が、第３のユーザグループおよび第４のユーザグループにおけるユーザ機器に関して、アップリンク送信のために使用されるアップリンク周波数帯域、およびダウンリンク受信のために使用されるダウンリンク周波数帯域を構成することは、
第３のユーザグループのアップリンク周波数帯域、および第４のユーザグループのダウンリンク周波数帯域を同じ周波数帯域として構成し、第３のユーザグループのダウンリンク周波数帯域、および第４のユーザグループのアップリンク周波数帯域を同じ周波数帯域として構成するステップを含む。
【００１０】
第１の態様、第１の態様の第１の可能な実施態様、または第１の態様の第２の可能な実施態様に関連して、第１の態様の第３の可能な実施態様においては、基地局によって、第１のセル内のユーザ機器をＮ個のユーザグループへと分割するステップは、
基地局によって、第１のセル内のユーザ機器の地理的ロケーション情報を入手するステップと、
基地局によって、ユーザ機器の地理的ロケーション情報に従って第１のセル内のユーザ機器をＮ個のユーザグループへと分割するステップとを含む。
【００１１】
第１の態様の第３の可能な実施態様に関連して、第１の態様の第４の可能な実施態様においては、第１のユーザグループが第２のユーザグループに隣り合っている場合には、基地局は、第１のユーザグループにおけるユーザ機器と第２のユーザグループにおけるユーザ機器との間に干渉が存在するということを決定し、または
第３のユーザグループが第４のユーザグループに隣り合っていない場合には、基地局は、第３のユーザグループと第４のユーザグループとの間に干渉が存在しないということを決定する。
【００１２】
第１の態様の第２の可能な実施態様に関連して、第１の態様の第５の可能な実施態様においては、基地局によって、第１のセル内のユーザ機器をＮ個のユーザグループへと分割するステップは、
基地局によって、第１のセル内のユーザ機器間における干渉情報に従ってユーザ機器をＮ個のユーザグループへと分割するステップであって、ユーザグループにおけるユーザ機器のうちのいずれか１つと同じユーザグループにおける少なくとも１つのユーザ機器との間に干渉が存在する、ステップを含む。
【００１３】
第１の態様の第５の可能な実施態様に関連して、第１の態様の第６の可能な実施態様においては、第１のユーザグループにおける少なくとも１つのユーザ機器と第２のユーザグループにおける少なくとも１つのユーザ機器との間に干渉が存在する場合には、基地局は、第１のユーザグループにおけるユーザ機器と第２のユーザグループにおけるユーザ機器との間に干渉が存在するということを決定し、
第３のユーザグループにおけるいずれかのユーザ機器と第４のユーザグループにおけるいずれかのユーザ機器との間に干渉が存在しない場合には、基地局は、第３のユーザグループにおけるユーザ機器と第４のユーザグループにおけるユーザ機器との間に干渉が存在しないということを決定する。
【００１４】
第１の態様から第１の態様の第６の可能な実施態様のうちのいずれか１つに関連して、第１の態様の第７の可能な実施態様においては、この方法は、
基地局によって、第２のセルの構成情報を入手するステップであって、第２のセルの構成情報は、第２のセル内にあって第１のセルに干渉するユーザグループの少なくともアップリンク周波数帯域およびダウンリンク周波数帯域を含み、第２のセルは、第１のセルに隣り合っているセルである、ステップ、
第５のユーザグループが、第２のセル内にあって第１のセルに干渉するユーザグループであり、第５のユーザグループのアップリンク周波数帯域が、第１のセル内にあって第２のセルに干渉するユーザグループのうちの第６のユーザグループのダウンリンク周波数帯域と同じである場合には、第６のユーザグループのダウンリンク周波数帯域が第５のユーザグループのアップリンク周波数帯域とは異なるように第６のユーザグループのダウンリンク周波数帯域を調整するステップ、または
第７のユーザグループが、第２のセル内にあって第１のセルに干渉するユーザグループであり、第７のユーザグループのダウンリンク周波数帯域が、第１のセル内にあって第２のセルに干渉するユーザグループのうちの第８のユーザグループのアップリンク周波数帯域と同じである場合には、第８のユーザグループのアップリンク周波数帯域が第７のユーザグループのダウンリンク周波数帯域とは異なるように第８のユーザグループのアップリンク周波数帯域を調整するステップをさらに含む。
【００１５】
第１の態様から第１の態様の第６の可能な実施態様のうちのいずれか１つに関連して、第１の態様の第８の可能な実施態様においては、この方法は、
基地局によって、第３のセルの構成情報を入手するステップであって、第３のセルの構成情報は、第３のセル内にあって第１のセルに干渉するユーザグループの少なくともアップリンク周波数帯域、ダウンリンク周波数帯域、および時間スケジューリング情報を含み、第３のセルは、第１のセルに隣り合っているセルである、ステップ、
第９のユーザグループが、第３のセル内にあって第１のセルに干渉するユーザグループであり、第９のユーザグループのアップリンク周波数帯域が、第１のセル内の第１０のユーザグループのダウンリンク周波数帯域と同じである場合には、第１０のユーザグループのスケジューリング時間を、第９のユーザグループのスケジューリング時間とは異なるスケジューリング時間へ調整するステップであって、第９のユーザグループは、第３のセルに属しており、第１０のユーザグループは、第１のセルに属している、ステップ、または
第１１のユーザグループが、第３のセル内にあって第１のセルに干渉するユーザグループであり、第１１のユーザグループのダウンリンク周波数帯域が、第１のセル内の第１２のユーザグループのアップリンク周波数帯域と同じである場合には、第１２のユーザグループのスケジューリング時間を、第１１のユーザグループのスケジューリング時間とは異なるスケジューリング時間へ調整するステップであって、第１２のユーザグループは、第１のセルに属しており、第１１のユーザグループは、第３のセルに属している、ステップをさらに含む。
【００１６】
第２の態様によれば、本発明の実施形態は、全二重システムに適用される構成装置を提供し、この装置は、
第１のセル内のユーザ機器をＮ個のユーザグループへと分割するステップであって、Ｎは２以上の正の整数であり、Ｎ個のユーザグループのそれぞれにおけるユーザ機器間に干渉が存在し、干渉の存在は、ユーザ機器がアップリンク送信を実行するときに、別のユーザ機器によって同時および同周波数の様式で実行されるダウンリンク受信が干渉されるということを示す、ステップを行うように構成されているグループ化ユニットと、
Ｎ個のユーザグループのそれぞれにおけるユーザ機器に関して、アップリンク送信のために使用されるアップリンク周波数帯域、およびダウンリンク受信のために使用されるダウンリンク周波数帯域を構成するステップであって、同じユーザグループ内においてアップリンク周波数帯域はダウンリンク周波数帯域とは異なり、アップリンク周波数帯域およびダウンリンク周波数帯域は、全二重システムの動作周波数帯域の周波数サブ帯域である、ステップを行うように構成されている構成ユニットとを含む。
【００１７】
第２の態様に関連して、第２の態様の第１の可能な実施態様においては、Ｎ個のユーザグループは第１のユーザグループおよび第２のユーザグループを含み、第１のユーザグループにおけるユーザ機器と第２のユーザグループにおけるユーザ機器との間に干渉が存在し、
構成ユニットは、
第１のユーザグループのアップリンク周波数帯域、および第２のユーザグループのダウンリンク周波数帯域を別々の周波数帯域として構成し、第１のユーザグループのダウンリンク周波数帯域、および第２のユーザグループのアップリンク周波数帯域を別々の周波数帯域として構成するステップを行うように特に構成されている。
【００１８】
第２の態様、または第２の態様の第１の可能な実施態様に関連して、第２の態様の第２の可能な実施態様においては、Ｎ個のユーザグループは第３のユーザグループおよび第４のユーザグループを含み、第３のユーザグループにおけるユーザ機器と第４のユーザグループにおけるユーザ機器との間に干渉が存在せず、
構成ユニットは、
第３のユーザグループのアップリンク周波数帯域、および第４のユーザグループのダウンリンク周波数帯域を同じ周波数帯域として構成し、第３のユーザグループのダウンリンク周波数帯域、および第４のユーザグループのアップリンク周波数帯域を同じ周波数帯域として構成するステップを行うようにさらに構成されている。
【００１９】
第２の態様から第２の態様の第２の可能な実施態様のうちのいずれか１つに関連して、第２の態様の第３の可能な実施態様においては、グループ化ユニットは、
第１のセル内のユーザ機器の地理的ロケーション情報を入手するステップを行うように構成されている第１の入手モジュールと、
ユーザ機器の地理的ロケーション情報に従って第１のセル内のユーザ機器をＮ個のユーザグループへと分割するステップを行うように構成されている第１の分割モジュールとを含む。
【００２０】
第２の態様の第３の可能な実施態様に関連して、第２の態様の第４の可能な実施態様においては、この装置は、
第１のユーザグループが第２のユーザグループに隣り合っているかどうかを決定するように構成されている第１の判断ユニットと、
第１のユーザグループが第２のユーザグループに隣り合っているということを第１の判断ユニットが決定した場合には、第１のユーザグループにおけるユーザ機器と第２のユーザグループにおけるユーザ機器との間に干渉が存在するということを決定するように構成されている第１の決定ユニットと、
第３のユーザグループが第４のユーザグループに隣り合っていないということを第１の判断ユニットが決定した場合には、第３のユーザグループと第４のユーザグループとの間に干渉が存在しないということを基地局によって決定するように構成されている第２の決定ユニットとをさらに含む。
【００２１】
第２の態様の第２の可能な実施態様に関連して、第２の態様の第５の可能な実施態様においては、グループ化ユニットは、
第１のセル内のユーザ機器間における干渉情報に従ってユーザ機器をＮ個のユーザグループへと分割するステップであって、ユーザグループにおけるユーザ機器のうちのいずれか１つと、同じユーザグループにおける少なくとも１つのユーザ機器との間に干渉が存在する、ステップを行うように構成されている第２の分割モジュールを含む。
【００２２】
第２の態様の第５の可能な実施態様に関連して、第２の態様の第６の可能な実施態様においては、この装置は、
第２のユーザグループにおける少なくとも１つのユーザ機器に干渉する少なくとも１つのユーザ機器を第１のユーザグループが含んでいるかどうかを決定するように構成されている第２の判断ユニットと、
第１のユーザグループにおける少なくとも１つのユーザ機器と第２のユーザグループにおける少なくとも１つのユーザ機器との間に干渉が存在するということを第２の判断ユニットが決定した場合には、第１のユーザグループにおけるユーザ機器と第２のユーザグループにおけるユーザ機器との間に干渉が存在するということを基地局によって決定するように構成されている第３の決定ユニットと、
第３のユーザグループにおけるいずれかのユーザ機器と第４のユーザグループにおけるいずれかのユーザ機器との間に干渉が存在しないかどうかを決定するように構成されている第３の判断ユニットと、
第３のユーザグループにおけるいずれかのユーザ機器と第４のユーザグループにおけるいずれかのユーザ機器との間に干渉が存在しないということを第３の判断ユニットが決定した場合には、第３のユーザグループにおけるユーザ機器と第４のユーザグループにおけるユーザ機器との間に干渉が存在しないということを決定するように構成されている第４の決定ユニットとをさらに含む。
【００２３】
第２の態様から第２の態様の第６の可能な実施態様のうちのいずれか１つに関連して、第２の態様の第７の可能な実施態様においては、この装置は、
第２のセルの構成情報を入手するステップであって、第２のセルの構成情報は、第２のセル内にあって第１のセルに干渉するユーザグループの少なくともアップリンク周波数帯域およびダウンリンク周波数帯域を含み、第２のセルは、第１のセルに隣り合っているセルである、ステップを行うように構成されている第１の入手ユニットと、
第５のユーザグループが、第２のセル内にあって第１のセルに干渉するユーザグループであり、第５のユーザグループのアップリンク周波数帯域が、第１のセル内にあって第２のセルに干渉するユーザグループのうちの第６のユーザグループのダウンリンク周波数帯域と同じである場合には、第６のユーザグループのダウンリンク周波数帯域が第５のユーザグループのアップリンク周波数帯域とは異なるように第６のユーザグループのダウンリンク周波数帯域を調整するステップ、または
第７のユーザグループが、第２のセル内にあって第１のセルに干渉するユーザグループであり、第７のユーザグループのダウンリンク周波数帯域が、第１のセル内にあって第２のセルに干渉するユーザグループのうちの第８のユーザグループのアップリンク周波数帯域と同じである場合には、第８のユーザグループのアップリンク周波数帯域が第７のユーザグループのダウンリンク周波数帯域とは異なるように第８のユーザグループのアップリンク周波数帯域を調整するステップ
を行うように構成されている第１の調整ユニットとをさらに含む。
【００２４】
第２の態様から第２の態様の第６の可能な実施態様のうちのいずれか１つに関連して、第２の態様の第８の可能な実施態様においては、この装置は、
第３のセルの構成情報を入手するステップであって、第３のセルの構成情報は、第３のセル内にあって第１のセルに干渉するユーザグループの少なくともアップリンク周波数帯域、ダウンリンク周波数帯域、および時間スケジューリング情報を含み、第３のセルは、第１のセルに隣り合っているセルである、ステップを行うように構成されている第２の入手ユニットと、
第９のユーザグループが、第３のセル内にあって第１のセルに干渉するユーザグループであり、第９のユーザグループのアップリンク周波数帯域が、第１のセル内の第１０のユーザグループのダウンリンク周波数帯域と同じである場合には、第１０のユーザグループのスケジューリング時間を、第９のユーザグループのスケジューリング時間とは異なるスケジューリング時間へ調整するステップであって、第９のユーザグループは、第３のセルに属しており、第１０のユーザグループは、第１のセルに属している、ステップ、または
第１１のユーザグループが、第３のセル内にあって第１のセルに干渉するユーザグループであり、第１１のユーザグループのダウンリンク周波数帯域が、第１のセル内の第１２のユーザグループのアップリンク周波数帯域と同じである場合には、第１２のユーザグループのスケジューリング時間を、第１１のユーザグループのスケジューリング時間とは異なるスケジューリング時間へ調整するステップであって、第１２のユーザグループは、第１のセルに属しており、第１１のユーザグループは、第３のセルに属している、ステップ
を行うように構成されている第２の調整ユニットとをさらに含む。
【００２５】
第２の態様から第２の態様の第６の可能な実施態様のうちのいずれか１つに関連して、第２の態様の第９の可能な実施態様においては、この装置は、
基地局によって、第１のセルの構成情報を第４のセルの基地局へ送信するステップであって、第１のセルの構成情報は、第１のセル内にあって第４のセルに干渉するユーザグループの少なくともアップリンク周波数帯域、ダウンリンク周波数帯域、および時間スケジューリング情報を含む、ステップを行うように構成されている送信ユニットをさらに含む。
【発明の効果】
【００２６】
本発明の実施形態において提供されている構成方法によれば、基地局は、第１のセル内のユーザ機器をＮ個のユーザグループへと分割するステップであって、Ｎは２以上の正の整数であり、Ｎ個のユーザグループのそれぞれにおけるユーザ機器間に干渉が存在し、干渉の存在は、ユーザ機器がアップリンク送信を実行するときに、別のユーザ機器によって同時および同周波数の様式で実行されるダウンリンク受信が干渉されるということを示す、ステップと、Ｎ個のユーザグループのそれぞれにおけるユーザ機器に関して、アップリンク送信のために使用されるアップリンク周波数帯域、およびダウンリンク受信のために使用されるダウンリンク周波数帯域を構成するステップであって、アップリンク周波数帯域は、同じユーザグループにおけるダウンリンク周波数帯域とは異なり、アップリンク周波数帯域およびダウンリンク周波数帯域は、全二重システムの動作周波数帯域の周波数サブ帯域である、ステップとを行う。それぞれのユーザグループにおけるユーザ機器間に干渉が存在するので、同じユーザグループにおけるユーザ機器に関して別々の周波数帯域におけるアップリンク周波数帯域およびダウンリンク周波数帯域が構成されている場合には、そのユーザグループにおけるユーザ機器のアップリンク送信によってそのユーザグループにおける別のユーザ機器のダウンリンク受信に対してもたらされる干渉が回避されることが可能である。加えて、アップリンク周波数帯域およびダウンリンク周波数帯域は、全二重システムの動作周波数帯域の周波数サブ帯域であり、それによって基地局は、同じ動作周波数帯域の別々の周波数サブ帯域上で全二重システムにおける第１のセル内の別々のユーザ機器にアップリンク送信サービスおよびダウンリンク受信サービスを提供することができる。
【図面の簡単な説明】
【００２７】
本発明の実施形態における、または従来技術における技術的なソリューションについてより明確に記述するために、以降では、それらの実施形態または従来技術について記述するために必要とされる添付の図面について簡単に記述する。明らかに、以降の説明における添付の図面は、本発明のいくつかの実施形態を示しているにすぎず、当技術分野における標準的な技術者なら、それでもなお、創造的な取り組みを伴わずにこれらの添付の図面からその他の図面を導き出し得る。
【００２８】
【図１Ａ】本発明の実施形態による、全二重システムにおける通信ネットワークの概略図である。
【図１Ｂ】本発明の実施形態による、全二重システムにおいて互いに隣り合っているユーザ機器間およびセル間に干渉が存在している通信ネットワークの概略図である。
【図２Ａ】本発明の実施形態による構成方法における基地局の概略構造図である。
【図２Ｂ】本発明の実施形態による構成方法における基地局のベースバンドサブシステムの概略構造図である。
【図３】本発明の実施形態による構成方法の概略フローチャート１である。
【図４】本発明の実施形態による構成方法において第１のセル内で同じユーザグループに関して別々の周波数帯域におけるアップリンク周波数帯域およびダウンリンク周波数帯域を構成することについての通信ネットワークの概略図である。
【図５】本発明の実施形態による構成方法において第１のセル内で互いに干渉しているユーザグループに関して別々の周波数帯域におけるアップリンク周波数帯域およびダウンリンク周波数帯域を構成することについての通信ネットワークの概略図である。
【図６】本発明の実施形態による構成方法の概略フローチャート２である。
【図７】本発明の実施形態による構成方法においてユーザ機器の地理的ロケーションに従ってユーザグループを形成することの概略図である。
【図８】本発明の実施形態による構成方法においてユーザ機器間における干渉に従ってユーザグループを形成することの概略図である。
【図９】本発明の実施形態による構成方法の適用シナリオ１である。
【図１０Ａ】本発明の実施形態による構成方法における適用シナリオ１に基づく第１の適用シナリオの概略図である。
【図１０Ｂ】本発明の実施形態による構成方法における図１０Ａにおいて示されている第１の適用シナリオにおける構成を実行することの概略図である。
【図１０Ｃ】本発明の実施形態による構成方法における適用シナリオ１に基づく第２の適用シナリオの概略図である。
【図１０Ｄ】本発明の実施形態による構成方法における図１０Ｂにおいて示されている第１の適用シナリオにおける構成を実行することの概略図である。
【図１１】本発明の実施形態による図９において示されているシナリオに基づいて地理的ロケーション情報に従って入手されたユーザグループの概略図である。
【図１２】本発明の実施形態による構成方法の適用シナリオ２である。
【図１３】本発明の実施形態による構成方法の適用シナリオ３である。
【図１４】本発明の実施形態による構成方法の概略構造図１である。
【図１５】本発明の実施形態による構成方法の概略構造図２である。
【図１６】本発明の実施形態による基地局の概略構造図である。
【図１７】本発明の実施形態による基地局のハードウェアの概略図である。
【発明を実施するための形態】
【００２９】
以降では、本発明の実施形態における添付の図面を参照しながら、本発明の実施形態における技術的なソリューションについて明確にかつ完全に記述する。明らかに、記述されている実施形態は、本発明の実施形態のうちのいくつかにすぎず、すべてではない。
【００３０】
本発明の実施形態の作動原理は、
全二重ワイヤレス通信技術である。
【００３１】
この技術を使用することによって、同時および同周波数の通信が実施され得る。図１Ａにおいて示されているように、２つの通信デバイス、たとえば、基地局ｅＮＢ（ｅｖｏｌｖｅｄ  ＮｏｄｅＢ、エボルブドＮｏｄｅＢ）１およびｅＮＢ２が、同時および同周波数の様式で互いに通信する場合には、受信アンテナが、ピアエンドの望まれている信号を受信するだけでなく、その受信アンテナによって送信された信号、すなわち自己干渉信号も受信する。加えて、送信アンテナが受信アンテナに比較的近いので、自己干渉信号の強度は一般に、ピアエンドからの望まれている信号の強度よりもはるかに高い。
【００３２】
スペクトル効率を改善するために、ｅＮＢ（ｅｖｏｌｖｅｄ  ＮｏｄｅＢ、エボルブドＮｏｄｅＢ）が、通信のために全二重モードを使用し得る。搬送波ｆ１上でＵＥ（Ｕｓｅｒ  Ｅｑｕｉｐｍｅｎｔ、ユーザ機器）１への送信を実行しているときに、ｅＮＢは、ＵＥ３によって送信されたアップリンク信号を、同じ搬送波ｆ１上で受信する（ここでのＵＥは、半二重モデルを保持することによって、全二重ｅＮＢとさらに通信し得る）。連続したネットワーキングのケースにおいて、すなわちローカルセルが複数のユーザ機器を有しているときに、アップリンク送信のためのＵＥが、ダウンリンク受信のためのＵＥに比較的近い場合には、図１Ａにおいて示されているＵＥ１およびＵＥ３のように、アップリンク送信を実行するＵＥ１が、ダウンリンク受信を実行するＵＥ３に対して比較的大きな干渉をもたらす。
【００３３】
従来のｅＮＢは、ＦＤＤ（Ｆｒｅｑｕｅｎｃｙ  Ｄｉｖｉｓｉｏｎ  Ｄｕｐｌｅｘｉｎｇ、周波数分割複信）またはＴＤＤ（Ｔｉｍｅ  Ｄｉｖｉｓｉｏｎ  Ｄｕｐｌｅｘｉｎｇ、時分割複信）に従って送信を実行する。このｅＮＢは、アップリンク周波数帯域およびダウンリンク周波数帯域を同時に使用することによって送信を実行することはない。したがって、ＵＥ間に小さな干渉が存在する。主に、ｅＮＢのセル内のＵＥのダウンリンク送信は、別のセル内のＵＥのアップリンク受信に干渉し、またはセル内のＵＥのダウンリンク送信は、別のｅＮＢのＵＥのアップリンク受信に干渉する。
【００３４】
しかしながら、図１Ｂにおいて示されているように、全ネットワーク二重モードにおいて、同じセル内のユーザ機器に関して、それらのユーザ機器が互いに比較的近い場合には、ユーザ機器がアップリンク周波数帯域ｆ１上でアップリンク送信を実行したときに、ダウンリンク周波数帯域ｆ１上で別のユーザ機器によって実行されるダウンリンク受信が大幅に干渉される。たとえば、ｅＮＢ１によってカバーされているＵＥ１およびＵＥ３に関して、ＵＥ１はＵＥ３に比較的近いので、ＵＥ１がアップリンク周波数帯域ｆ１上でアップリンク送信を実行して、ＵＥ３が同時にダウンリンク周波数帯域ｆ１上でダウンリンク受信を実行した場合には、ＵＥ１は、ＵＥ３のダウンリンク受信に大幅に干渉する。同じケースは、ｅＮＢ２のＵＥ４およびＵＥ５上でも生じる。
【００３５】
本発明の実施形態において提供されている構成方法によれば、基地局は、第１のセル内のユーザ機器をＮ個のユーザグループへと分割するステップであって、Ｎは２以上の正の整数であり、Ｎ個のユーザグループのそれぞれにおけるユーザ機器間に干渉が存在し、干渉の存在は、ユーザ機器がアップリンク送信を実行するときに、別のユーザ機器によって同時および同周波数の様式で実行されるダウンリンク受信が干渉されるということを示す、ステップと、Ｎ個のユーザグループのそれぞれにおけるユーザ機器に関して、アップリンク送信のために使用されるアップリンク周波数帯域、およびダウンリンク受信のために使用されるダウンリンク周波数帯域を構成するステップであって、アップリンク周波数帯域は、同じユーザグループにおけるダウンリンク周波数帯域とは異なり、アップリンク周波数帯域およびダウンリンク周波数帯域は、全二重システムの動作周波数帯域の周波数サブ帯域である、ステップとを行う。それぞれのユーザグループにおけるユーザ機器間に干渉が存在するので、同じユーザグループにおけるユーザ機器に関して別々の周波数帯域におけるアップリンク周波数帯域およびダウンリンク周波数帯域が構成されている場合には、そのユーザグループにおけるユーザ機器のアップリンク送信によってそのユーザグループにおける別のユーザ機器のダウンリンク受信に対してもたらされる干渉が回避されることが可能である。加えて、アップリンク周波数帯域およびダウンリンク周波数帯域は、全二重システムの動作周波数帯域の周波数サブ帯域であり、それによって基地局は、同じ動作周波数帯域の別々の周波数サブ帯域上で全二重システムにおける第１のセル内の別々のユーザ機器にアップリンク送信サービスおよびダウンリンク受信サービスを提供することができる。
【００３６】
本発明の実施形態における技術的なソリューションの明確な説明を容易にする目的で、基本的に同じ機能または目的を提供する同じアイテムまたは同様のアイテム間を区別するために、本発明の実施形態においては「第１の」および「第２の」などの言葉が使用されている。「第１の」および「第２の」などの言葉は、数および実施順序を限定するものではないということを当業者なら理解し得る。
【００３７】
本発明の実施形態において提供されている技術的なソリューションは、グローバルシステムフォーモバイルコミュニケーションズ（ｇｌｏｂａｌ  ｓｙｓｔｅｍ  ｆｏｒ  ｍｏｂｉｌｅ  ｃｏｍｍｕｎｉｃａｔｉｏｎ、略してＧＳＭ）、符号分割多元接続（ｃｏｄｅ  ｄｉｖｉｓｉｏｎ  ｍｕｌｔｉｐｌｅ  ａｃｃｅｓｓ、略してＣＤＭＡ）システム、ワイドバンド符号分割多元接続（ｗｉｄｅｂａｎｄ  ｃｏｄｅ  ｄｉｖｉｓｉｏｎ  ｍｕｌｔｉｐｌｅ  ａｃｃｅｓｓ、略してＷＣＤＭＡ）システム、ユニバーサルモバイルテレコミュニケーションズシステム（ｕｎｉｖｅｒｓａｌ  ｍｏｂｉｌｅ  ｔｅｌｅｃｏｍｍｕｎｉｃａｔｉｏｎ  ｓｙｓｔｅｍ、略してＵＭＴＳ）、ジェネラルパケットラジオサービス（ｇｅｎｅｒａｌ  ｐａｃｋｅｔ  ｒａｄｉｏ  ｓｅｒｖｉｃｅ、略してＧＰＲＳ）システム、ロングタームエボリューション（ｌｏｎｇ  ｔｅｒｍ  ｅｖｏｌｕｔｉｏｎ、略してＬＴＥ）システム、ロングタームエボリューションアドバンスト（ｌｏｎｇ  ｔｅｒｍ  ｅｖｏｌｕｔｉｏｎ  ａｄｖａｎｃｅｄ、略してＬＴＥ−Ａ）システム、およびワールドワイドインターオペラビリティーフォーマイクロウェーブアクセス（ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ、略してＷｉＭＡＸ）システムなどのさまざまなワイヤレス通信ネットワークに適用され得る。「ネットワーク」および「システム」という用語は、互いに置き換えられることが可能である。
【００３８】
本発明の実施形態においては、基地局（ｂａｓｅ  ｓｔａｔｉｏｎ、略してＢＳ）は、ＵＥ（ユーザ機器、Ｕｓｅｒ  Ｅｑｕｉｐｍｅｎｔ）または別の通信局、たとえば中継局と通信するデバイスであり得、基地局は、特定の物理的なエリアにおける通信カバレッジを提供し得る。たとえば、基地局は具体的には、ＧＳＭもしくはＣＤＭＡにおけるベーストランシーバステーション（Ｂａｓｅ  Ｔｒａｎｓｃｅｉｖｅｒ  Ｓｔａｔｉｏｎ、略してＢＴＳ）もしくは基地局コントローラ（Ｂａｓｅ  Ｓｔａｔｉｏｎ  Ｃｏｎｔｒｏｌｌｅｒ、略してＢＳＣ）であり得、またはＵＭＴＳにおけるノードＢ（Ｎｏｄｅ  Ｂ、略してＮＢ）もしくはＵＭＴＳにおける無線ネットワークコントローラ（Ｒａｄｉｏ  Ｎｅｔｗｏｒｋ  Ｃｏｎｔｒｏｌｌｅｒ、略してＲＮＣ）であり得、またはＬＴＥにおけるエボルブドＮｏｄｅＢ（ｅｖｏｌｖｅｄ  ＮｏｄｅＢ、略してｅＮＢもしくはｅＮｏｄｅＢ）であり得、またはワイヤレス通信ネットワークにおけるアクセスサービスを提供する別のアクセスネットワークデバイスであり得る。これは、本発明の実施形態においては限定されない。
【００３９】
本発明の実施形態においては、ＵＥは、ワイヤレスネットワーク全体において分散され得、それぞれのＵＥは、静止していることがあり、または動いていることがある。
【００４０】
ＵＥは、端末（ｔｅｒｍｉｎａｌ）、移動局（ｍｏｂｉｌｅ  ｓｔａｔｉｏｎ）、サブスクライバーユニット（ｓｕｂｓｃｒｉｂｅｒ  ｕｎｉｔ）、局（ｓｔａｔｉｏｎ）などと呼ばれることがある。ＵＥは、セルラー電話（ｃｅｌｌｕｌａｒ  ｐｈｏｎｅ）、携帯情報端末（ｐｅｒｓｏｎａｌ  ｄｉｇｉｔａｌ  ａｓｓｉｓｔａｎｔ、略してＰＤＡ）、ワイヤレスモデム（ｍｏｄｅｍ）、ワイヤレス通信デバイス、ハンドヘルド（ｈａｎｄｈｅｌｄ）デバイス、ラップトップコンピュータ（ｌａｐｔｏｐ  ｃｏｍｐｕｔｅｒ）、コードレス電話（ｃｏｒｄｌｅｓｓ  ｐｈｏｎｅ）、ワイヤレスローカルループ（ｗｉｒｅｌｅｓｓ  ｌｏｃａｌ  ｌｏｏｐ、略してＷＬＬ）局などであり得る。ＵＥがＭ２Ｍ様式の通信に適用される場合には、そのＵＥは、Ｍ２Ｍ端末と呼ばれることがあり、具体的には、Ｍ２Ｍ通信をサポートするスマートメータ、スマートアプライアンスなどであり得る。
【００４１】
本発明の実施形態において提供されている構成方法および構成装置は、基地局ｅＮＢによって実行され得る。図２Ａにおいて示されているように、基地局ｅＮｏｄｅＢは、ベースバンドサブシステム、中間無線周波数サブシステム、アンテナサブシステム、およびいくつかのサポート構造（たとえば、サブシステム全体）を含む。ベースバンドサブシステムは、基地局全体のオペレーションおよびメンテナンス、シグナリング処理、無線リソース管理、およびＥＰＣ（Ｅｖｏｌｖｅｄ  Ｐａｃｋｅｔ  Ｃｏｒｅ、エボルブドパケットコア）への送信インターフェースを実施するために、ならびにＬＴＥ物理レイヤ、ＭＡＣ（Ｍｅｄｉｕｍ  Ａｃｃｅｓｓ  Ｃｏｎｔｒｏｌ、メディアアクセスコントロール）レイヤ、およびＬ３シグナリングのオペレーションおよびメンテナンスの主要なコントロール機能を実施するために使用される。中間無線周波数サブシステムは、ベースバンド信号、中間周波数信号、および無線周波数信号の間における変換を実施し、ＬＴＥワイヤレス受信信号の復調、送信信号の変調、および電力増幅を実施する。アンテナサブシステムは、ワイヤレスエアインターフェース信号の受信および送信を実施するために、基地局の無線周波数モジュールに接続されているアンテナおよびフィーダと、ＧＲＳ受信カードのアンテナおよびフィーダとを含む。サブシステム全体は、ベースバンドサブシステムおよび中間無線周波数サブシステムのサポート部分であり、構造、電源、および環境モニタリング機能を提供する。
【００４２】
ベースバンドサブシステムは、図２Ｂにおいて示され得る。たとえば、モバイル電話がインターネットにアクセスするということは、次のとおりであり得る。モバイル電話は、基地局を使用することによってコアネットワーク（ＭＭＥ／Ｓ−ＧＷ）にアクセスし、次いでコアネットワークを使用することによってインターネットにアクセスする。ここでは、インターネットのデータは、コアネットワークと基地局との間におけるインターフェースを使用することによってベースバンド部分へ送信され、ベースバンド部分は、ＰＤＣＰレイヤ、ＲＬＣレイヤ、およびＭＡＣレイヤにおけるエンコーディングおよび変調などの処理を実行し、処理されたデータを無線周波数部分へ送信し、無線周波数部分は、処理されたデータを端末へ送信する。ベースバンド部分は、ＣＰＲＩインターフェースを使用することによって無線周波数部分へ接続され得る。加えて、無線周波数部分、たとえばリモートＲＲＵを延長するために、光ファイバが現在使用されている。本発明の実施形態における構成方法のそれぞれのステップにおけるベースバンドは、無線周波数を使用することによって実施される。加えて、受信ステップおよび送信ステップは、アンテナ（たとえば、エアインターフェース）を使用することによって実施される。
【００４３】
ユーザ機器と、本発明の実施形態において関連した基地局との間におけるインターフェースは、ユーザ機器と基地局との間における通信のためのエアインターフェースとして理解され得、またはそのインターフェースは、Ｕｕインターフェースと呼ばれることがある。
【００４４】
図３において示されているように、本発明の実施形態は、構成方法を提供する。この方法は、全二重システムに適用され、下記のステップを含む。
【００４５】
Ｓ１０１．  基地局が、第１のセル内のユーザ機器をＮ個のユーザグループへと分割し、Ｎは２以上の正の整数であり、Ｎ個のユーザグループのそれぞれにおけるユーザ機器間に干渉が存在し、干渉の存在は、ユーザ機器がアップリンク送信を実行するときに、別のユーザ機器によって同時および同周波数の様式で実行されるダウンリンク受信が干渉されるということを示す。
【００４６】
Ｓ１０２．  基地局は、Ｎ個のユーザグループのそれぞれにおけるユーザ機器に関して、アップリンク送信のために使用されるアップリンク周波数帯域、およびダウンリンク受信のために使用されるダウンリンク周波数帯域を構成し、アップリンク周波数帯域は、同じユーザグループにおけるダウンリンク周波数帯域とは異なり、アップリンク周波数帯域およびダウンリンク周波数帯域は、全二重システムの動作周波数帯域の周波数サブ帯域である。
【００４７】
本発明のこの実施形態において提供されている構成方法によれば、基地局は、第１のセル内のユーザ機器をＮ個のユーザグループへと分割するステップであって、Ｎは２以上の正の整数であり、Ｎ個のユーザグループのそれぞれにおけるユーザ機器間に干渉が存在し、干渉の存在は、ユーザ機器がアップリンク送信を実行するときに、別のユーザ機器によって同時および同周波数の様式で実行されるダウンリンク受信が干渉されるということを示す、ステップと、Ｎ個のユーザグループのそれぞれにおけるユーザ機器に関して、アップリンク送信のために使用されるアップリンク周波数帯域、およびダウンリンク受信のために使用されるダウンリンク周波数帯域を構成するステップであって、アップリンク周波数帯域は、同じユーザグループにおけるダウンリンク周波数帯域とは異なり、アップリンク周波数帯域およびダウンリンク周波数帯域は、全二重システムの動作周波数帯域の周波数サブ帯域である、ステップとを行う。それぞれのユーザグループにおけるユーザ機器間に干渉が存在するので、同じユーザグループにおけるユーザ機器に関して別々の周波数帯域におけるアップリンク周波数帯域およびダウンリンク周波数帯域が構成されている場合には、そのユーザグループにおけるユーザ機器のアップリンク送信によってそのユーザグループにおける別のユーザ機器のダウンリンク受信に対してもたらされる干渉が回避されることが可能である。加えて、アップリンク周波数帯域およびダウンリンク周波数帯域は、全二重システムの動作周波数帯域の周波数サブ帯域であり、それによって基地局は、同じ動作周波数帯域の別々の周波数サブ帯域上で全二重システムにおける第１のセル内の別々のユーザ機器にアップリンク送信サービスおよびダウンリンク受信サービスを提供することができる。
【００４８】
たとえば、図４において示されているように、図４は、本発明の実施形態における構成方法を使用することによって実際の用途において第１のセル内のユーザ機器間における干渉を低減するシナリオである（図４においては、２つのユーザグループ、すなわちユーザグループ１およびユーザグループＮが、単に例として使用されている）。基地局は、第１のセル内のユーザグループ１におけるユーザ機器ＵＥ１１およびＵＥ１２に関してアップリンク周波数帯域ｆ１およびダウンリンク周波数帯域ｆ２を構成する。基地局は、ユーザグループＮにおけるユーザ機器ＵＥ  Ｎ１およびＵＥ  Ｎ２に関してアップリンク周波数帯域ｆ３およびダウンリンク周波数帯域ｆ４を構成する。
【００４９】
ＵＥ１１がダウンリンク周波数帯域ｆ２を使用してダウンリンク受信を実行し、ＵＥ１２がアップリンク周波数帯域ｆ１を使用してアップリンク送信を実行するので、ＵＥ１２がアップリンク周波数帯域ｆ１上でアップリンク送信を実行する場合には、ダウンリンク周波数帯域ｆ２上でＵＥ１１によって実行されるダウンリンク受信は干渉されない。同様に、ＵＥ１１がアップリンク周波数帯域ｆ１上でアップリンク送信を実行する場合には、ダウンリンク周波数帯域上でＵＥ１２によって実行されるダウンリンク受信は干渉されないということが知られ得る。したがって、第１のセル内のいずれかのユーザグループにおけるユーザ機器によってアップリンク周波数帯域上で実行される信号送信によって、同じユーザグループにおける残りのユーザ機器によってダウンリンク周波数帯域上で実行されるダウンリンク受信に対してもたらされる干渉が低減され得る。
【００５０】
本発明においては、ｆ１＋ｆ２＋ｆ３＋．．．＋ｆＮ＝ｆであり、ｆは、全二重システムの動作周波数帯域であるということに留意されたい。たとえば、ｆが１０ＭＨｚである場合には、ｆは、ｆ１からｆ５に個別に対応している５つの周波数サブ帯域へと分割される。全二重システムの動作周波数帯域は、等しく分割され、次いでそれぞれのユーザグループに関して構成され得る。それぞれのユーザグループのアップリンク周波数帯域の帯域幅は、ユーザグループのダウンリンク周波数帯域の帯域幅と同じである。すなわち、それぞれのユーザグループの帯域幅は、２．０ＭＨｚである。ここでは、ｆ１は、０ＭＨｚから２．０ＭＨｚまで（０ＭＨｚおよび２．０ＭＨｚを含む）であり、ｆ２は、２．０ＭＨｚから４．０ＭＨｚまで（２．０ＭＨｚおよび４．０ＭＨｚを含む）であり、ｆ３は、４．０ＭＨｚから６．０ＭＨｚまで（４．０ＭＨｚおよび６．０ＭＨｚを含む）であり、ｆ４は、６．０ＭＨｚから８．０ＭＨｚまで（６．０ＭＨｚおよび８．０ＭＨｚを含む）であり、ｆ５は、８．０ＭＨｚから１０．０ＭＨｚまで（８．０ＭＨｚおよび１０．０ＭＨｚを含む）である。別々の帯域幅を伴うアップリンク周波数帯域およびダウンリンク周波数帯域が、実際の要件に従ってそれぞれのユーザグループにさらに割り当てられ得る。
【００５１】
たとえば、より多くのユーザ機器に与えられるユーザグループのアップリンク周波数帯域およびダウンリンク周波数帯域は、比較的大きく設定され得、より少ないユーザ機器に与えられるユーザグループのアップリンク周波数帯域およびダウンリンク周波数帯域は、比較的小さく設定され得る。これは、本発明のこの実施形態においては限定されない。
【００５２】
さらに、Ｎが２以上である場合には、下記の第１のケースが存在し得、すなわち、第１のセル内のＮ個のユーザグループにおけるいずれかの２つのユーザグループの間に干渉が存在する。または、下記の第２のケースが存在し得、すなわち、第１のセル内のＮ個のユーザグループにおけるいずれの２つのユーザグループの間にも干渉が存在しない。
【００５３】
好ましくは、１．として、第１のセル内のＮ個のユーザグループにおけるいずれかの２つのユーザグループが、上記第１のケースにある場合には、基地局は、Ｎ個のユーザグループにおけるいずれの２つのユーザグループにも同じ構成様式および原理を適用するので、第１のユーザグループおよび第２のユーザグループは、本発明のこの実施形態においては、説明のための例として使用されているにすぎない。第１のユーザグループおよび第２のユーザグループは、Ｎ個のユーザグループにおける任意の２つのユーザグループである。
【００５４】
第１のセル内のユーザグループ間における干渉を低減するために、そしてさらにユーザ機器間における干渉を低減するために、たとえばステップＳ１０２は、特に下記の様式で実施され得る。
【００５５】
Ｓ１０２１Ａ．  第１のユーザグループのアップリンク周波数帯域、および第２のユーザグループのダウンリンク周波数帯域を別々の周波数帯域として構成し、第１のユーザグループのダウンリンク周波数帯域、および第２のユーザグループのアップリンク周波数帯域を別々の周波数帯域として構成する。
【００５６】
第１のユーザグループおよび第２のユーザグループは、Ｎ個のユーザグループにおける任意の２つのユーザグループである。
【００５７】
たとえば、図５において示されているように、図５は、本発明の実施形態における構成方法を使用することによって実際の用途において第１のセル内のユーザグループ間における干渉を低減するシナリオである。第１のユーザグループと第２のユーザグループとの間に干渉が存在する例を使用することによって、説明が提供される。
【００５８】
基地局ｅＮＢ１が、第１のセル内の第１のユーザグループにおけるユーザ機器ＵＥ１に関して、アップリンク送信のために使用されるアップリンク周波数帯域ｆ１、およびダウンリンク受信のために使用されるダウンリンク周波数帯域ｆ２を構成する。基地局ｅＮＢ１は、第２のユーザグループに関して、アップリンク周波数帯域ｆ３、およびダウンリンク受信のために使用されるダウンリンク周波数帯域ｆ４を構成する。ｆ１、ｆ２、ｆ３、およびｆ４は、個々に異なる周波数帯域であるので、第１のユーザグループにおけるユーザ機器ＵＥ１が、アップリンク周波数帯域ｆ１上でｅＮＢ１へアップリンク信号を送信する場合には、ダウンリンク周波数帯域ｆ４上で第２のユーザグループにおけるユーザ機器ＵＥ２によって実行されるダウンリンク受信は干渉されない。したがって、第１のセル内のいずれかの２つのユーザグループの間に干渉が存在する場合には、第１のセル内のいずれかのユーザグループにおけるユーザ機器によってアップリンク周波数帯域上で実行される信号送信によって、別のユーザグループにおけるユーザ機器によってダウンリンク周波数帯域上で実行される受信に対してもたらされる干渉が低減され得る。
【００５９】
好ましくは、２．として、第１のセル内のＮ個のユーザグループにおけるいずれかの２つのユーザグループが、上記第２のケースにある場合には、第１のセルの基地局は、Ｎ個のユーザグループにおけるいずれの２つのユーザグループにも同じ構成様式および原理を適用するので、第３のユーザグループおよび第４のユーザグループは、本発明のこの実施形態においては、説明のための例として使用されているにすぎない。第３のユーザグループおよび第４のユーザグループは、Ｎ個のユーザグループにおける任意の２つのユーザグループである。
【００６０】
いずれの２つのユーザグループの間にも干渉が存在しない場合に、それぞれのユーザグループにおけるユーザ機器が、比較的大きな周波数サブ帯域を使用することを可能にするために、たとえばステップＳ１０２は、特に下記の様式で実施され得る。
【００６１】
Ｓ１０２１Ｂ．  第３のユーザグループのアップリンク周波数帯域、および第４のユーザグループのダウンリンク周波数帯域を同じ周波数帯域として構成し、第３のユーザグループのダウンリンク周波数帯域、および第４のユーザグループのアップリンク周波数帯域を同じ周波数帯域として構成する。
【００６２】
第３のユーザグループおよび第４のユーザグループは、Ｎ個のユーザグループにおける任意の２つのユーザグループである。
【００６３】
図５において示されているように、第１のユーザグループおよび第２のユーザグループとは異なり、第３のユーザグループと第４のユーザグループとの間に干渉が存在しない場合には、基地局ｅＮＢ１は、第１のセル内の第３のユーザグループにおけるユーザ機器に関して、アップリンク送信のために使用されるアップリンク周波数帯域ｆn、およびダウンリンク受信のために使用されるダウンリンク周波数帯域ｆn+1を構成する。基地局ｅＮＢ１は、第４のユーザグループにおけるユーザ機器に関して、アップリンク周波数帯域ｆn+1、およびダウンリンク受信のために使用されるダウンリンク周波数帯域ｆnを構成する。第３のユーザグループと第４のユーザグループとの間に干渉が存在しないので、第３のユーザグループにおけるユーザ機器のアップリンク周波数帯域は、第４のユーザグループのダウンリンク周波数帯域として構成され、第３のユーザグループにおけるユーザ機器のダウンリンク周波数帯域は、第４のユーザグループにおけるユーザ機器のアップリンク周波数帯域として構成される。この方法においては、全二重システムでのそれぞれのユーザグループにおけるユーザ機器のリソースが増大し得る。
【００６４】
さらに、基地局が第１のセル内のユーザ機器をＮ個のユーザグループへと分割する具体的な様式は、本発明のこの実施形態においては限定されない。
【００６５】
たとえば、ある態様においては、基地局は、第１のセル内のユーザ機器の地理的ロケーション情報を入手することによって、第１のセル内のユーザ機器をグループ化し得る。図６において示されているように、下記のステップが、特定の実施態様に関して使用され得る。
【００６６】
Ｓ１０１１Ａ．  基地局は、第１のセル内のユーザ機器の地理的ロケーション情報を入手する。
【００６７】
Ｓ１０１２Ａ．  基地局は、ユーザ機器の地理的ロケーション情報に従って第１のセル内のユーザ機器をＮ個のユーザグループへと分割する。
【００６８】
本発明のこの実施形態における第１のセル内のユーザ機器の地理的ロケーション情報に関して、基地局は、ＤＯＡ（Ｄｉｒｅｃｔｉｏｎ  ｏｆ  Ａｒｒｉｖａｌ、到来方向）方法および電力測定方法を使用することによって、第１のセル内のユーザ機器ＵＥの位置を突き止めて、第１のセル内のそれぞれのユーザ機器の地理的ロケーション情報を入手し得る。あるいは基地局は、位置特定パイロット信号を第１のセル内のユーザ機器へ送信する。次いで基地局は、位置特定パイロット信号に従って第１のセル内のユーザ機器によって報告されたユーザ機器ロケーションを受信して、第１のセル内のそれぞれのユーザ機器の地理的ロケーション情報を入手する。
【００６９】
本発明のこの実施形態においては、Ｎ個のユーザグループは基地局のカバレッジエリアに従った事前の分割を用いて入手され得、またはエリア分割は、特定のセルカバレッジを参照して実行される。次いで、ユーザ機器が属するユーザグループが、ユーザ機器の地理的ロケーション情報に従って決定される。図７において示されているように、第１のセルは、第１のセルの実際の状況に従ってＡ１からＡ８という８つのユーザグループへと分割され得、同じユーザグループ内に収まる地理的ロケーション情報を有するユーザ機器が、そのユーザグループ内にあると決定される。
【００７０】
さらに基地局が、地理的ロケーション情報、すなわち、図７において示されている様式を使用することによってユーザ機器をグループ化する場合には、第１のセル内で第１のユーザグループと第２のユーザグループとの間に干渉が存在するかどうか、および第３のユーザグループと第４のユーザグループとの間に干渉が存在しないかどうかを決定するために、下記の様式が使用され得る。
【００７１】
Ａ１．  第１のユーザグループが第２のユーザグループに隣り合っている場合には、基地局は、第１のユーザグループにおけるユーザ機器と第２のユーザグループにおけるユーザ機器との間に干渉が存在するということを決定する。
【００７２】
２つのユーザグループが互いに隣り合っているということは、２つのユーザグループの間に少なくとも１つの共有されている境界があるということを示しており、たとえば、ユーザグループＡ１およびユーザグループＡ２、ユーザグループＡ１およびユーザグループＡ３、ユーザグループＡ１およびユーザグループＡ４、ならびにユーザグループＡ１およびユーザグループＡ８は、互いに隣り合っているユーザグループである。
【００７３】
Ａ２．  第３のユーザグループが第４のユーザグループに隣り合っていない場合には、基地局は、第３のユーザグループと第４のユーザグループとの間に干渉が存在しないということを決定する。
【００７４】
２つのユーザグループが互いに隣り合っていないということは、２つのユーザグループ、たとえば、図７において示されているユーザグループＡ１およびユーザグループＡ６、ユーザグループＡ６およびユーザグループＡ８、ならびにユーザグループＡ１およびユーザグループＡ５の間に共有されている境界がないということを示している。
【００７５】
表１は、図７において示されているグループ化に従って得られた、第１のセルの周波数帯域構成表である。
【００７６】
【表１】
2019503128.tif 000028
【００７７】
表１において示されているように、第１のセルがグループ化された後に、互いに隣り合っているユーザグループ間に干渉が存在しないということを確実にするために、互いに隣り合っているユーザグループが、前述の構成様式で構成され得る。詳細が本発明のこの実施形態において再び記述されることはない。構成結果が表１において示されており、たとえば、ユーザグループＡ１およびユーザグループＡ２、ユーザグループＡ１およびユーザグループＡ４、ならびにユーザグループＡ１およびユーザグループＡ８である。
【００７８】
本発明のこの実施形態においては、第１のセルをグループ化した後に、第１のセルの基地局は、第３のユーザグループのアップリンク周波数帯域、および第４のユーザグループのダウンリンク周波数帯域を同じ周波数帯域に設定し、第３のユーザグループのダウンリンク周波数帯域、および第４のユーザグループのアップリンク周波数帯域を同じ周波数帯域に設定し得る。表１において示されているユーザグループＡ１およびユーザグループＡ６がその例であり、ここで第３のユーザグループおよび第４のユーザグループは、互いに干渉しない２つのユーザグループである。
【００７９】
図７および表１を参照すると、第１のセル内で互いに隣り合っているいずれの２つのユーザグループのアップリンク周波数帯域およびダウンリンク周波数帯域にも同じ構成および同じ原理が適用されるということが知られ得る。ユーザグループＡ１およびユーザグループＡ２は、本発明のこの実施形態においては、説明のための例として使用されているにすぎず、これは、いかなる暗示的な意味も有していない。
【００８０】
たとえば、ユーザグループＡ１におけるユーザ機器のアップリンク周波数帯域およびダウンリンク周波数帯域は、ｆ１およびｆ６にそれぞれ設定され得、ユーザグループＡ２におけるユーザ機器のアップリンク周波数帯域およびダウンリンク周波数帯域は、ｆ２およびｆ５にそれぞれ設定され得る。ｆ１およびｆ５は別々の周波数帯域であるので、ユーザグループＡ１におけるユーザ機器のアップリンク周波数帯域は、ユーザグループＡ２におけるユーザ機器のダウンリンク周波数帯域に干渉しないで、ユーザグループＡ１とユーザグループＡ２との間における干渉を低減する。同様に、ユーザグループＡ２のアップリンク周波数帯域は、ユーザグループＡ１のダウンリンク周波数帯域に干渉しないということが知られ得る。
【００８１】
第１のセル内で互いに干渉しないいずれの２つのユーザグループのアップリンク周波数帯域およびダウンリンク周波数帯域にも同じ構成様式および原理が適用されるので、ユーザグループＡ１、およびユーザグループＡ１に隣り合っていないユーザグループＡ６は、本発明のこの実施形態においては、説明のための例として使用されているにすぎず、これは、いかなる暗示的な意味も有していない。たとえば、ユーザグループＡ１におけるユーザ機器のアップリンク周波数帯域ｆ１はユーザグループＡ６におけるユーザ機器のダウンリンク周波数帯域として構成され得、ユーザグループＡ１におけるユーザ機器のダウンリンク周波数帯域ｆ６は、ユーザグループＡ６におけるユーザ機器のアップリンク周波数帯域として構成され得る。すなわち、ユーザグループＡ６の構成される周波数帯域は、アップリンク周波数帯域ｆ６およびダウンリンク周波数帯域ｆ１である。表１において示されているように、ユーザグループＡ１およびユーザグループＡ６は、互いに隣り合っていないユーザグループであり、かつユーザグループＡ１は、ユーザグループＡ６から比較的遠く離れているので、ユーザグループＡ１とユーザグループＡ６との間には干渉が存在しない。この方法においては、第１のセル内のそれぞれのユーザグループの動作周波数帯域の帯域幅が増大し得る。
【００８２】
別の態様においては、第１のセル内のユーザ機器は、第１のセル内のユーザ機器間における干渉に従ってグループ化され得、下記の様式が、特定の実施態様に関して使用され得る。
【００８３】
Ｓ１０１１Ｂ．  基地局は、第１のセル内のユーザ機器間における干渉情報に従ってユーザ機器をＮ個のユーザグループへと分割する。ここで、ユーザグループ内のユーザ機器のうちのいずれか１つと、同じユーザグループ内の少なくとも１つのユーザ機器との間に干渉が存在する。
【００８４】
干渉情報は、ユーザ機器間における干渉電力である。
【００８５】
ユーザ機器間における干渉情報を決定する様式は、本発明のこの実施形態においては限定されない。干渉情報は、第１のセル内の第１のユーザ機器を使用することによって決定され得る。第１のユーザ機器は、第１のセル内の任意のユーザ機器である。基地局は、第１のセル内のすべてのユーザ機器をコントロールして、パイロットシンボルを順次送信させる（シーケンスは基地局によって決定される）。第１のセル内の第１のユーザ機器は、別のユーザ機器によって第１のユーザ機器にもたらされる干渉電力を評価し、測定された干渉電力を基地局へ報告する。基地局は、第１のユーザ機器に関してすべてのユーザ機器によってもたらされる干渉電力に従って、第１のユーザ機器に関する干渉値がプリセット干渉しきい値未満であるユーザ機器を、別々のユーザグループへとグループ化する。
【００８６】
プリセット干渉しきい値の具体的な値は、本発明のこの実施形態においては限定されず、実際の要件に従って設定され得る。
【００８７】
たとえば、可能な実施態様においては、図８において示されているように、ユーザ機器ＵＥ１１とユーザ機器ＵＥ１２との間における干渉値がプリセット干渉しきい値以上である場合には、ユーザ機器ＵＥ１１とユーザ機器ＵＥ１２との間に干渉が存在するということが決定され、ユーザ機器ＵＥ１１およびユーザ機器ＵＥ１２は、同じユーザグループ、すなわち、図８における第１のユーザグループに割り当てられる。ユーザ機器ＵＥ１１およびユーザ機器ＵＥ１２は個々に、第１のセル内の任意のユーザ機器である。別のユーザ機器のグループ化は、ユーザ機器ＵＥ１１およびユーザ機器ＵＥ１２のグループ化と同じである。詳細が本発明のこの実施形態において再び記述されることはない。
リソース利用度を最大化するために、別の態様においては、第１のセルの基地局はさらに、第１のセル内のそれぞれのユーザ機器の地理的ロケーションを入手し得る。第１のセルの基地局は、第１のセル内のユーザ機器の地理的ロケーションと、ユーザ機器間における干渉電力とに従って、プリセット距離を超える距離と、プリセット干渉しきい値未満である干渉電力とが間にあるユーザ機器を別々のユーザグループに割り当てる。もちろん、決定することは、地理的ロケーションのみを参照して実行され得、プリセット地理的ロケーションを超える地理的ロケーションを有するユーザ機器が、別々のユーザグループに割り当てられる。これは、本発明のこの実施形態においては限定されない。
【００８８】
互いに比較的近いユーザ機器に関しては、アップリンク送信が、同じ周波数帯域上での別のユーザ機器のダウンリンク受信に大幅に干渉する。しかしながら、互いから比較的遠く離れているユーザ機器に関しては、アップリンク周波数帯域ｆ１上でユーザ機器によって実行される送信は、ダウンリンク周波数帯域ｆ１上で別のユーザ機器によって実行される受信にわずかに干渉する。したがって、プリセット距離しきい値未満である距離と、プリセット品質強度未満である信号品質強度とが間にあるユーザ機器が、同じユーザグループに割り当てられて、ユーザ機器間における干渉をよりよく除去する。
【００８９】
さらに基地局が、ユーザ機器の干渉情報、たとえば、図８において示されている様式を使用することによってユーザ機器をグループ化する場合には、第１のセル内で第１のユーザグループと第２のユーザグループとの間に干渉が存在するかどうか、および第３のユーザグループと第４のユーザグループとの間に干渉が存在しないかどうかを決定するために、下記の様式が使用され得る。
【００９０】
Ｂ１．  第１のユーザグループにおける少なくとも１つのユーザ機器と第２のユーザグループにおける少なくとも１つのユーザ機器との間に干渉が存在する場合には、基地局は、第１のユーザグループにおけるユーザ機器と第２のユーザグループにおけるユーザ機器との間に干渉が存在するということを決定する。
【００９１】
たとえば、第１のユーザグループにおける少なくとも１つのユーザ機器と第２のユーザグループにおけるユーザ機器のうちの少なくとも１つとの間における干渉電力が、プリセット干渉しきい値を超えている場合には、第１のユーザグループにおけるユーザ機器と第２のユーザグループにおけるユーザ機器との間に干渉が存在する。すなわち、第１のユーザグループと第２のユーザグループとの間に干渉が存在する。
【００９２】
Ｂ２．  第３のユーザグループにおけるいずれのユーザ機器と第４のユーザグループにおけるいずれのユーザ機器との間にも干渉が存在しない場合には、基地局は、第３のユーザグループにおけるユーザ機器と第４のユーザグループにおけるユーザ機器との間に干渉が存在しないということを決定する。
【００９３】
たとえば、第３のユーザグループにおけるいずれのユーザ機器と、第４のユーザグループにおけるユーザ機器のうちのいずれの１つとの間における干渉電力も、プリセット干渉しきい値未満である場合には、第３のユーザグループにおけるユーザ機器と第４のユーザグループにおけるユーザ機器との間に干渉が存在しない。すなわち、第３のユーザグループと第４のユーザグループとの間に干渉が存在しない。
【００９４】
図９において示されているように、実際の適用シナリオにおいては、可能なシナリオは次のとおりである。すなわち、互いに隣り合っていて同じ基地局ｅＮＢ１によってカバーされているセル間に干渉が存在する。加えて、同じ干渉がセルエッジユーザ上でも生じる。すべてのセルが、同じ周波数帯域を使用する。したがって、互いに比較的近い２つのセル内にいる２人のエッジユーザに関して、たとえば、第１のセルおよび第２のセルは、互いに隣り合っていて基地局ｅＮＢ１によってカバーされているセルであり、第１のセルおよび第２のセルは、同じ動作周波数帯域ｆ１を使用しているので、第１のセル内のエッジユーザ機器ＵＥ１のアップリンク周波数帯域ｆ１は、第２のセル内のエッジユーザ機器ＵＥ２のダウンリンク周波数帯域ｆ１に干渉する。第１のセル内のユーザ機器と、第２のセル内のユーザ機器との間における干渉は、前述の様式に準拠して除去され得る。詳細が本発明のこの実施形態において再び記述されることはない。
【００９５】
第１のセル内のエッジユーザ機器ＵＥ１のアップリンク周波数帯域ｆ１によって第２のセル内のエッジユーザ機器ＵＥ２のダウンリンク周波数帯域ｆ１に対してもたらされる干渉を低減するために、本発明のこの実施形態における実施に関しては下記の様式が使用され得る。
【００９６】
Ｓ１０２１Ａ．  基地局は、第２のセルの構成情報を入手し、第２のセルの構成情報は、第２のセル内にあって第１のセルに干渉するユーザグループの少なくともアップリンク周波数帯域およびダウンリンク周波数帯域を含み、第２のセルは、第１のセルに隣り合っているセルである。
【００９７】
本発明のこの実施形態においては、基地局が第２のセルの構成情報を入手することは、基地局が、第２のセル内にあって第１のセルに干渉するユーザグループのアップリンク周波数帯域およびダウンリンク周波数帯域を入手すること、または基地局が、第２のセル内のそれぞれのユーザグループのアップリンク周波数帯域およびダウンリンク周波数帯域を入手し得ることを含み得る。これは、本発明のこの実施形態においては限定されない。
【００９８】
第２のセル内にあって第１のセルに干渉するユーザグループは、第２のセル内のいずれかのユーザグループが、第１のセル内のいずれかのユーザグループに隣り合っているか、または第２のセル内のいずれかのユーザグループにおけるユーザ機器と、第１のセル内のいずれかのユーザグループにおける少なくとも１つのユーザ機器との間に干渉が存在し得るということを示し得る。
【００９９】
Ｓ１０２２Ｂ．  第５のユーザグループが、第２のセル内にあって第１のセルに干渉するユーザグループであり、第５のユーザグループのアップリンク周波数帯域が、第１のセル内にあって第２のセルに干渉するユーザグループのうちの第６のユーザグループのダウンリンク周波数帯域と同じである場合には、第６のユーザグループのダウンリンク周波数帯域が第５のユーザグループのアップリンク周波数帯域とは異なるように第６のユーザグループのダウンリンク周波数帯域を調整する。
【０１００】
たとえば、図１０Ａにおいて示されているように、第２のセル内の第５のユーザグループにおけるユーザ機器ＵＥ２は、アップリンク送信のためにアップリンク周波数帯域ｆ４を使用し、第１のセル内の第６のユーザグループにおけるユーザ機器ＵＥ１は、ダウンリンク受信のためにダウンリンク周波数帯域ｆ４を使用する。互いに隣り合っている２つのセルの間における干渉を低減するために、第１のセル内の第６のユーザグループにおけるユーザ機器ＵＥ１のものであってアップリンク送信のために使用されるアップリンク周波数帯域が、図１０Ｂにおいて示されているように、ｆ３へ調整され得る。
【０１０１】
Ｓ１０２２Ｃ．  第７のユーザグループが、第２のセル内にあって第１のセルに干渉するユーザグループであり、第７のユーザグループのダウンリンク周波数帯域が、第１のセル内にあって第２のセルに干渉するユーザグループのうちの第８のユーザグループのアップリンク周波数帯域と同じである場合には、第８のユーザグループのアップリンク周波数帯域が第７のユーザグループのダウンリンク周波数帯域とは異なるように第８のユーザグループのアップリンク周波数帯域を調整する。
【０１０２】
たとえば、図１０Ｃにおいて示されているように、第２のセル内の第７のユーザグループにおけるユーザ機器ＵＥ２は、ダウンリンク受信のためにダウンリンク周波数帯域ｆ１を使用し、第１のセル内の第８のユーザグループにおけるユーザ機器ＵＥ１は、アップリンク送信のためにアップリンク周波数帯域ｆ１を使用する。互いに隣り合っている２つのセルの間における干渉を低減するために、第１のセル内の第８のユーザグループにおけるユーザ機器ＵＥ１のものであってアップリンク送信のために使用されるアップリンク周波数帯域ｆ１が、図１０Ｄにおいて示されているように、ｆ２へ調整され得る。
【０１０３】
加えて、第１３のユーザグループが、第２のセル内にあって第１のセルに干渉するユーザグループであり、第１３のユーザグループのダウンリンク周波数帯域が、第１のセル内にあって第２のセルに干渉するユーザグループのうちの第１４のユーザグループのアップリンク周波数帯域と同じであり、第１３のユーザグループにおけるユーザ機器のダウンリンク周波数帯域が、第１４のユーザグループにおけるユーザ機器のアップリンク周波数帯域と同じである場合には、第１４のユーザグループのアップリンク周波数帯域が第１３のユーザグループのダウンリンク周波数帯域とは異なるように、および第１４のユーザグループのダウンリンク周波数帯域が第１３のユーザグループのアップリンク周波数帯域とは異なるように第１４のユーザグループのアップリンク周波数帯域およびダウンリンク周波数帯域が調整される。具体的な調整様式に関しては、前述の様式を参照されたい。詳細が本発明のこの実施形態において再び記述されることはない。
【０１０４】
たとえば、第２のセル内の第１３のユーザグループにおけるユーザ機器は、ダウンリンク受信のためにダウンリンク周波数帯域ｆ１を使用し、第１のセル内の第１４のユーザグループにおけるユーザ機器は、アップリンク送信のためにアップリンク周波数帯域ｆ１を使用し、第２のセル内の第１３のユーザグループにおけるユーザ機器は、アップリンク送信のためにアップリンク周波数帯域ｆ３を使用し、第１のセル内の第１４のユーザグループにおけるユーザ機器は、ダウンリンク受信のためにダウンリンク周波数帯域ｆ３を使用する。互いに隣り合っている２つのセルの間における干渉を低減するために、第１のセル内の第１４のユーザグループにおけるユーザ機器のものであってアップリンク送信のために使用されるアップリンク周波数帯域ｆ１が、ｆ２へ調整され得、第１のセル内の第１４のユーザグループにおけるユーザ機器のものであってダウンリンク受信のために使用されるダウンリンク周波数帯域ｆ３が、ｆ４へ調整され得る。
【０１０５】
実際の適用プロセスにおいては、第２のセルのアップリンク周波数帯域およびダウンリンク周波数帯域は、第１のセルの構成情報に従って調整され得るということに留意されたい。したがって、第１のセルおよび第２のセル内にあって互いに干渉するユーザグループに関しては、ユーザグループのアップリンク周波数帯域は、別のユーザグループのダウンリンク周波数帯域とは異なり、そのユーザグループのダウンリンク周波数帯域は、その別のユーザグループのアップリンク周波数帯域とは異なる。具体的な調整様式および原理は、第２のセルに従って第１のセルを調整する様式および原理と同じである。詳細が本発明のこの実施形態において再び記述されることはない。
【０１０６】
たとえば、図１１において示されているように、図１１は、図１０Ａおよび図１０Ｄにおいて入手された第１のセルおよび第２のセル内のユーザ機器の地理的ロケーション情報に従ってユーザグループを入手することの概略図である。第１のセル内のユーザグループＡ８と、第２のセル内のユーザグループＢ６との間における距離がプリセット距離未満であるということが図１１から知られ得る。第１のセル内のユーザグループＡ８のアップリンク周波数帯域が、第２のセル内のユーザグループＢ６のダウンリンク周波数帯域と同じであり、または第１のセル内のユーザグループＡ８のダウンリンク周波数帯域が、第２のセル内のユーザグループＢ６のアップリンク周波数帯域と同じであり、または第１のセル内のユーザグループＡ８のアップリンク周波数帯域が、第２のセル内のユーザグループＢ６のダウンリンク周波数帯域と同じであり、第１のセル内のユーザグループＡ８のダウンリンク周波数帯域が、第２のセル内のユーザグループＢ６のアップリンク周波数帯域と同じである場合には、第１のセル内のユーザグループＡ８におけるユーザ機器は、第２のセル内のユーザグループＢ６におけるユーザ機器に干渉し得る。干渉を回避するために、第１のセル内のそれぞれのユーザグループのアップリンク周波数帯域およびダウンリンク周波数帯域が、第２のセル内にあって第１のセルに干渉するユーザグループのダウンリンク周波数帯域およびアップリンク周波数帯域に従って調整されて、互いに隣り合っているセル内にあって、プリセット距離未満である距離が間にあるユーザグループ間における干渉を回避し得る。たとえば、第２のセルの周波数帯域割り当てが表２において示されている場合に、第１のセル内のすべてのユーザグループの周波数帯域が、表３において示されている周波数帯域へ調整され得る。
【０１０７】
【表２】
2019503128.tif 000029
【０１０８】
【表３】
2019503128.tif 000030
【０１０９】
表２および表３を参照すると、第２のセル内のユーザグループＢ６のアップリンク周波数帯域およびダウンリンク周波数帯域が、それぞれｆ６およびｆ１である場合には、第１のセル内のユーザグループＡ８のアップリンク周波数帯域が、ｆ１からｆ５またはｆ７およびｆ８のうちのいずれか１つへ調整され得、第１のセル内のユーザグループＡ８のダウンリンク周波数帯域が、ｆ２からｆ８のうちのいずれか１つへ調整され得るということが知られ得る。たとえば、本発明のこの実施形態においては、アップリンク周波数帯域がｆ７であってダウンリンク周波数帯域がｆ６である例を使用することによって説明が提供されている。ユーザグループＡ８の周波数帯域構成が入手されている場合には、第１のセル内の別のユーザグループのアップリンク周波数帯域およびダウンリンク周波数帯域が、ユーザグループＡ８のアップリンク周波数帯域およびダウンリンク周波数帯域とは異なるその他の周波数帯域として構成され得る。具体的な構成様式に関しては、第１のセル内のユーザグループの前述の構成様式を参照されたい。詳細が本発明のこの実施形態において再び記述されることはない。
【０１１０】
別の可能なシナリオにおいては、図１２において示されているように、同じ干渉がセルエッジユーザ上でも生じる。すべてのセルが、同じ周波数帯域を使用する。互いに比較的近い２つのセル内にいる２人のエッジユーザに関して、たとえば、第１のセルおよび第２のセルは、互いに隣り合っていて別々の基地局によって別々にカバーされているセルであり、第１のセル内の第１のユーザグループと第２のセル内の第２のユーザグループとの間に干渉が存在する。第１のセル内の第１のユーザグループと第２のセル内の第２のユーザグループとの間における干渉を低減するために、第１のセルの基地局ｅＮＢ１は、第２のセル内にあって第１のセルに干渉するユーザグループのアップリンク周波数帯域およびダウンリンク周波数帯域を第２のセルの基地局ｅＮＢ２から入手するか、または第２のセル内のそれぞれのユーザグループのアップリンク周波数帯域およびダウンリンク周波数帯域を入手し得る。第２のセルのアップリンク周波数帯域およびダウンリンク周波数帯域が入手された後に、第１のセル内のそれぞれのユーザグループのアップリンク周波数帯域およびダウンリンク周波数帯域が調整される。この方法においては、第１のセル内にあって第２のセルに干渉するユーザグループのアップリンク周波数帯域が、第２のセル内にあって第１のセルに干渉するユーザグループのダウンリンク周波数帯域とは異なり、第１のセル内にあって第２のセルに干渉するユーザグループのダウンリンク周波数帯域が、第２のセル内にあって第１のセルに干渉するユーザグループのアップリンク周波数帯域とは異なる。具体的な調整様式に関しては、前述のシナリオにおける調整様式を参照されたい。詳細が本発明のこの実施形態において再び記述されることはない。
【０１１１】
第１のセルの基地局ｅＮＢ１が第２のセルの基地局ｅＮＢ２から第２のセルのアップリンク周波数帯域およびダウンリンク周波数帯域を入手する様式は、本発明のこの実施形態においては限定されない。
【０１１２】
たとえば、第１の可能な実施態様は、下記のとおりである。
【０１１３】
ａ１．  第１のセルの基地局は、ネットワークインターフェースシグナリングを使用することによって第１の要求メッセージを第２のセルの基地局ｅＮＢ２へ送信し、第１の要求メッセージは、第２のセル内のそれぞれのユーザグループのアップリンク周波数帯域およびダウンリンク周波数帯域を基地局ｅＮＢ１へ送信するよう基地局ｅＮＢ２に指示し、または第２のセル内にあって第１のセルに干渉するそれぞれのユーザグループのアップリンク周波数帯域およびダウンリンク周波数帯域を基地局ｅＮＢ１へ送信するよう基地局ｅＮＢ２に指示する。
【０１１４】
ａ２．  第１のセルの基地局ｅＮＢ１は、第１の要求メッセージのものであって第２のセルの基地局ｅＮＢ２によって送信されるフィードバックメッセージを受信し、そのフィードバックメッセージは、第２のセル内のそれぞれのユーザグループのアップリンク周波数帯域およびダウンリンク周波数帯域、または第２のセル内にあって第１のセルに干渉するユーザグループのアップリンク周波数帯域およびダウンリンク周波数帯域を搬送する。
【０１１５】
たとえば、第２の可能な実施態様は、下記のとおりである。
【０１１６】
基地局ｅＮＢ１は、基地局ｅＮＢ２によって送信された第２の要求メッセージを受信し、その第２の要求メッセージは、第２のセル内のそれぞれのユーザグループのアップリンク周波数帯域およびダウンリンク周波数帯域、または第２のセル内にあって第１のセルに干渉するユーザグループのアップリンク周波数帯域およびダウンリンク周波数帯域を搬送する。
【０１１７】
第２の可能な実施態様は、それらの基地局によってデフォルトで知られている。基地局が、その基地局によってカバーされるそれぞれのセルの構成を完了した後に、その基地局は、別の近隣の基地局との間でデータを直接やり取りする。
【０１１８】
図１３において示されているように、図１３は、本発明のこの実施形態による第３の可能なシナリオである。第１のセルおよび第３のセルは、互いに隣り合っていて別々の基地局によってカバーされているセルである。第１のセル内の第１のユーザグループにおけるＵＥ１のアップリンク周波数帯域は、第３のセル内の第２のユーザグループにおけるＵＥ２のダウンリンク周波数帯域と同じである。加えて、第１のセル内の第１のユーザグループにおけるＵＥ１のダウンリンク周波数帯域は、第３のセル内の第２のユーザグループにおけるＵＥ２のアップリンク周波数帯域と同じである。
【０１１９】
第１のセルおよび第３のセルの両方によってカバーされているエリア内の第１のユーザグループにおけるＵＥ１のアップリンク周波数帯域によって第３のセル内の第２のユーザグループにおけるＵＥ２のダウンリンク周波数帯域に対してもたらされる干渉を低減するために、
たとえば、下記のステップｂ１およびｂ２を使用することによって、可能な実施態様が示されている。
【０１２０】
ｂ１．  基地局は、第３のセルの構成情報を入手し、第３のセルの構成情報は、第３のセル内にあって第１のセルに干渉するユーザグループの少なくともアップリンク周波数帯域、ダウンリンク周波数帯域、および時間スケジューリング情報を含み、第３のセルは、第１のセルに隣り合っているセルである。
【０１２１】
基地局が、第３のセルによって送信される構成情報を入手する様式は、本発明のこの実施形態においては限定されない。第３のセルおよび第１のセルが、別々の基地局によってカバーされているセル、たとえば、図１３において示されているｅＮＢ１およびｅＮＢ２である場合には、
たとえば、可能な実施態様は、下記のとおりである。
【０１２２】
この実施態様が基地局によってデフォルトで知られているケースにおいては、基地局は、近隣の基地局のセルＩＤを入手し得る。第３のセルの基地局ｅＮＢ２が、第３のセル内のそれぞれのユーザグループ上での構成を完了した後に、第３のセルの基地局ｅＮＢ２は、第３のセル内のそれぞれのユーザグループのアップリンク周波数帯域、ダウンリンク周波数帯域、および時間スケジューリング情報を第１のセルの基地局ｅＮＢ１へ直接送信するか、または第３のセル内にあって第１のセルに干渉するユーザグループのアップリンク周波数帯域、ダウンリンク周波数帯域、および時間スケジューリング情報を第１のセルの基地局ｅＮＢ１へ送信する。
【０１２３】
たとえば、別の可能な実施態様は、下記のとおりである。
【０１２４】
基地局ｅＮＢ１は、第３の要求メッセージを第３のセルの基地局ｅＮＢ２へ送信する。第３の要求メッセージは、第３のセル内のそれぞれのユーザグループのアップリンク周波数帯域、ダウンリンク周波数帯域、および時間スケジューリング情報を第１のセルの基地局ｅＮＢ１へ送信するよう、または第３のセル内にあって第１のセルに干渉するユーザグループのアップリンク周波数帯域、ダウンリンク周波数帯域、および時間スケジューリング情報を第１のセルの基地局ｅＮＢ１へ送信するよう第３のセルの基地局ｅＮＢ２に指示する。次いで、第１のセルの基地局ｅＮＢ１は、第３の要求メッセージのものであって第３のセルの基地局ｅＮＢ２によって送信されるフィードバックメッセージを受信する。第３の要求メッセージのフィードバックメッセージは、第３のセル内のそれぞれのユーザグループのアップリンク周波数帯域、ダウンリンク周波数帯域、および時間スケジューリング情報、または第３のセル内にあって第１のセルに干渉するユーザグループのアップリンク周波数帯域、ダウンリンク周波数帯域、および時間スケジューリング情報を搬送する。
【０１２５】
ｂ２．  第９のユーザグループが、第３のセル内にあって第１のセルに干渉するユーザグループであり、第９のユーザグループのアップリンク周波数帯域が、第１のセル内の第１０のユーザグループのダウンリンク周波数帯域と同じである場合には、第１０のユーザグループのスケジューリング時間を、第９のユーザグループのスケジューリング時間とは異なるスケジューリング時間へ調整し、第９のユーザグループは、第３のセルに属しており、第１０のユーザグループは、第１のセルに属している。
【０１２６】
たとえば、第３のセル内の第９のユーザグループのスケジューリング時間がＴ１である場合には、第１のセル内の第１０のユーザグループのスケジューリング時間は、Ｔ２へ調整され得、Ｔ１およびＴ２は、別々の瞬間である。
【０１２７】
ｂ３．  第１１のユーザグループが、第３のセル内にあって第１のセルに干渉するユーザグループであり、第１１のユーザグループのダウンリンク周波数帯域が、第１のセル内の第１２のユーザグループのアップリンク周波数帯域と同じである場合には、第１２のユーザグループのスケジューリング時間を、第１１のユーザグループのスケジューリング時間とは異なるスケジューリング時間へ調整し、第１２のユーザグループは、第１のセルに属しており、第１１のユーザグループは、第３のセルに属している。
【０１２８】
たとえば、第３のセル内の第１１のユーザグループのスケジューリング時間がＴ３である場合には、第１のセル内の第１２のユーザグループのスケジューリング時間は、Ｔ４へ調整され得、Ｔ３およびＴ４は、別々の瞬間である。
【０１２９】
ｂ４．  第１５のユーザグループが、第３のセル内にあって第１のセルに干渉するユーザグループであり、第１５のユーザグループのダウンリンク周波数帯域が、第１のセル内の第１６のユーザグループのアップリンク周波数帯域と同じであり、第１５のユーザグループのアップリンク周波数帯域が、第１のセル内の第１６のユーザグループのダウンリンク周波数帯域と同じである場合には、第１６のユーザグループのスケジューリング時間を、第１５のユーザグループのスケジューリング時間とは異なるスケジューリング時間へ調整し、第１６のユーザグループは、第１のセルに属しており、第１５のユーザグループは、第３のセルに属している。
【０１３０】
たとえば、第３のセル内の第１５のユーザグループのスケジューリング時間がＴ５である場合には、第１のセル内の第１６のユーザグループのスケジューリング時間は、Ｔ６へ調整され得、Ｔ５およびＴ６は、別々の瞬間である。
【０１３１】
この実施形態における前述の様式は、第９のユーザグループ、第１１のユーザグループ、または第１５のユーザグループと、第１のセル内の任意のユーザグループとの間に干渉が存在するかどうかを決定するために使用され得る。詳細が本発明のこの実施形態において再び記述されることはない。
【０１３２】
図１３において示されている本発明のこの実施形態における第３の可能なシナリオがさらに、下記の様式で実施され得る。
【０１３３】
ｃ１．  基地局は、第１のセルの構成情報を第４のセルの基地局へ送信し、第１のセルの構成情報は、第１のセル内にあって第４のセルに干渉するユーザグループの少なくともアップリンク周波数帯域、ダウンリンク周波数帯域、および時間スケジューリング情報を含む。
【０１３４】
第１のセルの構成情報を受信しているときに、第４のセルの基地局は、第１のセルの構成情報に従って構成を実行し得る。第１７のユーザグループが、第４のセル内にあって第１のセルに干渉するユーザグループであり、第１７のユーザグループのアップリンク周波数帯域が、第１のセル内の第１８のユーザグループのダウンリンク周波数帯域と同じである場合には、第４のセルの基地局は、第１７のユーザグループのスケジューリング時間を、第１８のユーザグループのスケジューリング時間とは異なるスケジューリング時間へ調整する、または
【０１３５】
第１９のユーザグループが、第４のセル内にあって第１のセルに干渉するユーザグループであり、第１９のユーザグループのダウンリンク周波数帯域が、第１のセル内の第２０のユーザグループのアップリンク周波数帯域と同じである場合には、第４のセルの基地局は、第１９のユーザグループのスケジューリング時間を、第２０のユーザグループのスケジューリング時間とは異なるスケジューリング時間へ調整する、または
【０１３６】
第２１のユーザグループが、第４のセル内にあって第１のセルに干渉するユーザグループであり、第２１のユーザグループのダウンリンク周波数帯域が、第１のセル内の第２２のユーザグループのアップリンク周波数帯域と同じであるならば、第２１のユーザグループのアップリンク周波数帯域が、第１のセル内の第２２のユーザグループのダウンリンク周波数帯域と同じである場合に、第４のセルの基地局は、第２１のユーザグループのスケジューリング時間を、第２２のユーザグループのスケジューリング時間とは異なるスケジューリング時間へ調整する。
【０１３７】
第１のセルの構成情報は、第１のセル内のそれぞれのユーザグループのアップリンク周波数帯域、ダウンリンク周波数帯域、および時間スケジューリング情報を含み得、または第１のセル内にあって第４のセルに干渉するユーザグループのアップリンク周波数帯域、ダウンリンク周波数帯域、および時間スケジューリング情報のみを含み得る。これは、本発明のこの実施形態においては限定されない。
【０１３８】
第４のセルは、第１のセルに隣り合っているセルであって、かつ第１のセルをカバーしている基地局とは異なる基地局によってカバーされているセルである。
【０１３９】
第１のセルの構成情報が第４のセルへ送信されるということは、次のとおりであり得る。すなわち、第４のセルの基地局によって送信された第４の要求メッセージを受信した後に、第１のセルの基地局は、第１のセルの構成情報を第４のセルへ送信する。第４の要求メッセージは、第１のセル内にあって第４のセルに干渉するユーザグループの少なくともアップリンク周波数帯域、ダウンリンク周波数帯域、および時間スケジューリング情報を第４のセルの基地局へ送信するよう第１のセルの基地局に指示する。あるいは、第４の要求メッセージは、第１のセル内のそれぞれのユーザグループのアップリンク周波数帯域、ダウンリンク周波数帯域、および時間スケジューリング情報を第４のセルの基地局へ送信するよう第１のセルの基地局に指示する。
【０１４０】
あるいは、第１のセル内のそれぞれのユーザグループのアップリンク周波数帯域、ダウンリンク周波数帯域、および時間スケジューリング情報は、第１のセル内のそれぞれのユーザグループのアップリンク周波数帯域、ダウンリンク周波数帯域、および時間スケジューリング情報の構成を第１のセルが完了した後に、第４のセルの基地局へ直接送信され得、または第１のセル内にあって第４のセルに干渉するユーザグループのアップリンク周波数帯域、ダウンリンク周波数帯域、および時間スケジューリング情報のみが、第４のセルへ送信される。これは、本発明のこの実施形態においては限定されない。
【０１４１】
本発明の実施形態はさらに、構成装置を提供する。この構成装置におけるそれぞれの機能ユニットは、本発明の前述の実施形態における構成方法に対応している。詳細に関しては、本発明の前述の実施形態における説明を参照されたい。詳細が本発明のこの実施形態において再び記述されることはない。図１４において示されているように、構成装置２０は、全二重システムに適用され、
第１のセル内のユーザ機器をＮ個のユーザグループへと分割するステップであって、Ｎは２以上の正の整数であり、Ｎ個のユーザグループのそれぞれにおけるユーザ機器間に干渉が存在し、干渉の存在は、ユーザ機器がアップリンク送信を実行するときに、別のユーザ機器によって同時および同周波数の様式で実行されるダウンリンク受信が干渉されるということを示す、ステップを行うように構成されているグループ化ユニット２０１と、
Ｎ個のユーザグループのそれぞれにおけるユーザ機器に関して、アップリンク送信のために使用されるアップリンク周波数帯域、およびダウンリンク受信のために使用されるダウンリンク周波数帯域を構成するステップであって、アップリンク周波数帯域は、同じユーザグループにおけるダウンリンク周波数帯域とは異なり、アップリンク周波数帯域およびダウンリンク周波数帯域は、全二重システムの動作周波数帯域の周波数サブ帯域である、ステップを行うように構成されている構成ユニット２０２とを含む。
【０１４２】
本発明のこの実施形態において提供されている構成装置によれば、グループ化ユニットは、第１のセル内のユーザ機器をＮ個のユーザグループへと分割し、それぞれのユーザグループにおけるユーザ機器に関して、アップリンク送信のために使用されるアップリンク周波数帯域、およびダウンリンク受信のために使用されるダウンリンク周波数帯域を別々に構成する。それぞれのユーザグループにおけるユーザ機器間に干渉が存在するので、同じユーザグループにおけるユーザ機器に関して別々の周波数帯域におけるアップリンク周波数帯域およびダウンリンク周波数帯域が構成されている場合には、そのユーザグループにおけるユーザ機器のアップリンク送信によってそのユーザグループにおける別のユーザ機器のダウンリンク受信に対してもたらされる干渉が回避されることが可能である。加えて、アップリンク周波数帯域およびダウンリンク周波数帯域は、全二重システムの動作周波数帯域の周波数サブ帯域であり、それによって基地局は、同じ動作周波数帯域の別々の周波数サブ帯域上で全二重システムにおける第１のセル内の別々のユーザ機器にアップリンク送信サービスおよびダウンリンク受信サービスを提供することができる。
【０１４３】
さらに、Ｎ個のユーザグループは第１のユーザグループおよび第２のユーザグループを含み、第１のユーザグループにおけるユーザ機器と第２のユーザグループにおけるユーザ機器との間に干渉が存在する。
構成ユニット２０２は、
第１のユーザグループのアップリンク周波数帯域、および第２のユーザグループのダウンリンク周波数帯域を別々の周波数帯域として構成し、第１のユーザグループのダウンリンク周波数帯域、および第２のユーザグループのアップリンク周波数帯域を別々の周波数帯域として構成するステップを行うように特に構成されている。
【０１４４】
さらに、Ｎ個のユーザグループは第３のユーザグループおよび第４のユーザグループを含み、第３のユーザグループにおけるユーザ機器と第４のユーザグループにおけるユーザ機器との間に干渉が存在しない。
【０１４５】
構成ユニット２０２は、
第３のユーザグループのアップリンク周波数帯域、および第４のユーザグループのダウンリンク周波数帯域を同じ周波数帯域として構成し、第３のユーザグループのダウンリンク周波数帯域、および第４のユーザグループのアップリンク周波数帯域を同じ周波数帯域として構成するステップを行うようにさらに構成されている。
【０１４６】
図１５において示されているように、グループ化ユニット２０１は、
第１のセル内のユーザ機器の地理的ロケーション情報を入手するステップを行うように構成されている第１の入手モジュール２０１１と、
ユーザ機器の地理的ロケーション情報に従って第１のセル内のユーザ機器をＮ個のユーザグループへと分割するステップを行うように構成されている第１の分割モジュール２０１２とを含む。
【０１４７】
さらに、この装置は、
第１のユーザグループが第２のユーザグループに隣り合っているかどうかを決定するように構成されている第１の判断ユニットと、
第１のユーザグループが第２のユーザグループに隣り合っているということを第１の判断ユニットが決定した場合には、第１のユーザグループにおけるユーザ機器と第２のユーザグループにおけるユーザ機器との間に干渉が存在するということを基地局によって決定するように構成されている第１の決定ユニットと、
第３のユーザグループが第４のユーザグループに隣り合っていないということを第１の判断ユニットが決定した場合には、第３のユーザグループと第４のユーザグループとの間に干渉が存在しないということを基地局によって決定するように構成されている第２の決定ユニットとをさらに含む。
【０１４８】
本発明のこの実施形態における第１の決定ユニットおよび第２の決定ユニットは、２つの独立したユニットであり得、または統合されて決定ユニットになり得る。判断ユニットは、第１の決定ユニットおよび第２の決定ユニットの機能を有する。これは、本発明のこの実施形態においては限定されない。
【０１４９】
さらに、図１５において示されているように、分割ユニット２０１は、
第１のセル内のユーザ機器間における干渉情報に従ってユーザ機器をＮ個のユーザグループへと分割するステップであって、ユーザグループにおけるユーザ機器のうちのいずれか１つと、同じユーザグループにおける少なくとも１つのユーザ機器との間に干渉が存在する、ステップを行うように構成されている第２の分割モジュール２０１３をさらに含む。
【０１５０】
さらに、この装置は、
第２のユーザグループにおける少なくとも１つのユーザ機器に干渉する少なくとも１つのユーザ機器を第１のユーザグループが含んでいるかどうかを決定するように構成されている第２の判断ユニットと、
第１のユーザグループにおける少なくとも１つのユーザ機器と第２のユーザグループにおける少なくとも１つのユーザ機器との間に干渉が存在するということを第２の判断ユニットが決定した場合には、第１のユーザグループにおけるユーザ機器と第２のユーザグループにおけるユーザ機器との間に干渉が存在するということを基地局によって決定するように構成されている第３の決定ユニットと、
第３のユーザグループにおけるいずれかのユーザ機器と第４のユーザグループにおけるいずれかのユーザ機器との間に干渉が存在しないかどうかを決定するように構成されている第３の判断ユニットと、
第３のユーザグループにおけるいずれかのユーザ機器と第４のユーザグループにおけるいずれかのユーザ機器との間に干渉が存在しないということを第３の判断ユニットが決定した場合には、第３のユーザグループにおけるユーザ機器と第４のユーザグループにおけるユーザ機器との間に干渉が存在しないということを基地局によって決定するように構成されている第４の決定ユニットとをさらに含む。
【０１５１】
本発明のこの実施形態における第２の判断ユニットおよび第３の判断ユニットは、２つの独立したユニットであり得、または統合されて判断ユニットになり得るということに留意されたい。その判断ユニットは、第２の判断ユニットおよび第３の判断ユニットの機能を有する。
【０１５２】
本発明のこの実施形態における第３の決定ユニットおよび第４の決定ユニットは、２つの独立したユニットであり得、または統合されて決定ユニットになり得る。判断ユニットは、第３の決定ユニットおよび第４の決定ユニットの機能を有する。
【０１５３】
さらに、この装置は、
第２のセルの構成情報を入手するステップであって、第２のセルの構成情報は、第２のセル内にあって第１のセルに干渉するユーザグループの少なくともアップリンク周波数帯域およびダウンリンク周波数帯域を含み、第２のセルは、第１のセルに隣り合っているセルである、ステップを行うように構成されている第１の入手ユニットと、
第５のユーザグループが、第２のセル内にあって第１のセルに干渉するユーザグループであり、第５のユーザグループのアップリンク周波数帯域が、第１のセル内にあって第２のセルに干渉するユーザグループのうちの第６のユーザグループのダウンリンク周波数帯域と同じである場合には、第６のユーザグループのダウンリンク周波数帯域が第５のユーザグループのアップリンク周波数帯域とは異なるように第６のユーザグループのダウンリンク周波数帯域を調整するステップ、または
第７のユーザグループが、第２のセル内にあって第１のセルに干渉するユーザグループであり、第７のユーザグループのダウンリンク周波数帯域が、第１のセル内にあって第２のセルに干渉するユーザグループのうちの第８のユーザグループのアップリンク周波数帯域と同じである場合には、第８のユーザグループのアップリンク周波数帯域が第７のユーザグループのダウンリンク周波数帯域とは異なるように第８のユーザグループのアップリンク周波数帯域を調整するステップ、または
第１３のユーザグループが、第２のセル内にあって第１のセルに干渉するユーザグループであり、第１３のユーザグループのダウンリンク周波数帯域が、第１のセル内にあって第２のセルに干渉するユーザグループのうちの第１４のユーザグループのアップリンク周波数帯域と同じであり、第１３のユーザグループにおけるユーザ機器のダウンリンク周波数帯域が、第１４のユーザグループにおけるユーザ機器のアップリンク周波数帯域と同じである場合には、第１４のユーザグループのアップリンク周波数帯域が第１３のユーザグループのダウンリンク周波数帯域とは異なるように、および第１４のユーザグループのダウンリンク周波数帯域が第１３のユーザグループのアップリンク周波数帯域とは異なるように第１４のユーザグループのアップリンク周波数帯域およびダウンリンク周波数帯域を調整するステップ
を行うように構成されている第１の調整ユニットとをさらに含む。具体的な調整様式に関しては、前述の様式を参照されたい。詳細が本発明のこの実施形態において再び記述されることはない。
【０１５４】
さらに、この装置は、
第３のセルの構成情報を入手するステップであって、第３のセルの構成情報は、第３のセル内にあって第１のセルに干渉するユーザグループの少なくともアップリンク周波数帯域、ダウンリンク周波数帯域、および時間スケジューリング情報を含み、第３のセルは、第１のセルに隣り合っているセルである、ステップを行うように構成されている第２の入手ユニットと、
第９のユーザグループが、第３のセル内にあって第１のセルに干渉するユーザグループであり、第９のユーザグループのアップリンク周波数帯域が、第１のセル内の第１０のユーザグループのダウンリンク周波数帯域と同じである場合には、第１０のユーザグループのスケジューリング時間を、第９のユーザグループのスケジューリング時間とは異なるスケジューリング時間へ調整するステップであって、第９のユーザグループは、第３のセルに属しており、第１０のユーザグループは、第１のセルに属している、ステップ、または
第１１のユーザグループが、第３のセル内にあって第１のセルに干渉するユーザグループであり、第１１のユーザグループのダウンリンク周波数帯域が、第１のセル内の第１２のユーザグループのアップリンク周波数帯域と同じである場合には、第１２のユーザグループのスケジューリング時間を、第１１のユーザグループのスケジューリング時間とは異なるスケジューリング時間へ調整するステップであって、第１２のユーザグループは、第１のセルに属しており、第１１のユーザグループは、第３のセルに属している、ステップ、または
第１５のユーザグループが、第３のセル内にあって第１のセルに干渉するユーザグループであり、第１５のユーザグループのダウンリンク周波数帯域が、第１のセル内の第１６のユーザグループのアップリンク周波数帯域と同じであり、第１５のユーザグループのアップリンク周波数帯域が、第１のセル内の第１６のユーザグループのダウンリンク周波数帯域と同じである場合には、第１６のユーザグループのスケジューリング時間を、第１５のユーザグループのスケジューリング時間とは異なるスケジューリング時間へ調整するステップであって、第１６のユーザグループは、第１のセルに属しており、第１５のユーザグループは、第３のセルに属している、ステップ
を行うように構成されている第２の調整ユニットとをさらに含む。
【０１５５】
さらに、この装置は、
基地局によって、第１のセルの構成情報を第４のセルの基地局へ送信するステップであって、第１のセルの構成情報は、第１のセル内にあって第４のセルに干渉するユーザグループの少なくともアップリンク周波数帯域、ダウンリンク周波数帯域、および時間スケジューリング情報を含む、ステップを行うように構成されている送信ユニットをさらに含む。
【０１５６】
図１６において示されているように、本発明の実施形態はさらに、基地局を提供する。この基地局は、前述の方法において基地局によって実行されるステップを実行するように構成されている。この基地局は、対応するステップに対応するモジュールを含み得る。たとえば、この基地局は、
第１のセル内のユーザ機器をＮ個のユーザグループへと分割するステップであって、Ｎは２以上の正の整数であり、Ｎ個のユーザグループのそれぞれにおけるユーザ機器間に干渉が存在し、干渉の存在は、ユーザ機器がアップリンク送信を実行するときに、別のユーザ機器によって同時および同周波数の様式で実行されるダウンリンク受信が干渉されるということを示す、ステップを行うように構成されているグループ化ユニット３０１と、
Ｎ個のユーザグループのそれぞれにおけるユーザ機器に関して、アップリンク送信のために使用されるアップリンク周波数帯域、およびダウンリンク受信のために使用されるダウンリンク周波数帯域を構成するステップであって、アップリンク周波数帯域は、同じユーザグループにおけるダウンリンク周波数帯域とは異なり、アップリンク周波数帯域およびダウンリンク周波数帯域は、全二重システムの動作周波数帯域の周波数サブ帯域である、ステップを行うように構成されている構成ユニット３０２とを含む。
【０１５７】
本発明のこの実施形態において提供されている基地局によれば、この基地局は、グループ化ユニットを使用することによって、第１のセル内のユーザ機器をＮ個のユーザグループへと分割し、それぞれのユーザグループにおけるユーザ機器に関して、アップリンク送信のために使用されるアップリンク周波数帯域、およびダウンリンク受信のために使用されるダウンリンク周波数帯域を別々に構成する。それぞれのユーザグループにおけるユーザ機器間に干渉が存在するので、同じユーザグループにおけるユーザ機器に関して別々の周波数帯域におけるアップリンク周波数帯域およびダウンリンク周波数帯域が構成されている場合には、そのユーザグループにおけるユーザ機器のアップリンク送信によってそのユーザグループにおける別のユーザ機器のダウンリンク受信に対してもたらされる干渉が回避されることが可能である。加えて、アップリンク周波数帯域およびダウンリンク周波数帯域は、全二重システムの動作周波数帯域の周波数サブ帯域であり、それによって基地局は、同じ動作周波数帯域の別々の周波数サブ帯域上で全二重システムにおける第１のセル内の別々のユーザ機器にアップリンク送信サービスおよびダウンリンク受信サービスを提供することができる。
【０１５８】
図１７において示されているように、本発明の実施形態は、基地局を提供する。この基地局は、プロセッサ４０、メモリ４１、システムバス４２、および通信インターフェース４３を含む。
【０１５９】
メモリ４１は、コンピュータ実行可能命令を格納するように構成されている。プロセッサ４０は、システムバス４２を使用することによって、メモリ４１へ接続されている。基地局が稼働するときに、プロセッサ４０は、メモリ４１内に格納されているコンピュータ実行可能命令を実行し、それによって基地局は、図３から図１３のうちのいずれか１つにおける構成方法を実行する。具体的な構成方法に関しては、図３から図１３のうちのいずれか１つにおいて示されている実施形態における関連した説明を参照されたい。詳細がここで再び記述されることはない。
【０１６０】
本発明のこの実施形態において提供されている基地局によれば、この基地局は、グループ化ユニットを使用することによって、第１のセル内のユーザ機器をＮ個のユーザグループへと分割し、それぞれのユーザグループにおけるユーザ機器に関して、アップリンク送信のために使用されるアップリンク周波数帯域、およびダウンリンク受信のために使用されるダウンリンク周波数帯域を別々に構成する。それぞれのユーザグループにおけるユーザ機器間に干渉が存在するので、同じユーザグループにおけるユーザ機器に関して別々の周波数帯域におけるアップリンク周波数帯域およびダウンリンク周波数帯域が構成されている場合には、そのユーザグループにおけるユーザ機器のアップリンク送信によってそのユーザグループにおける別のユーザ機器のダウンリンク受信に対してもたらされる干渉が回避されることが可能である。加えて、アップリンク周波数帯域およびダウンリンク周波数帯域は、全二重システムの動作周波数帯域の周波数サブ帯域であり、それによって基地局は、同じ動作周波数帯域の別々の周波数サブ帯域上で全二重システムにおける第１のセル内の別々のユーザ機器にアップリンク送信サービスおよびダウンリンク受信サービスを提供することができる。
【０１６１】
この実施形態はさらに、ストレージメディアを提供する。このストレージメディアは、メモリ４１を含み得る。
【０１６２】
プロセッサ４０は、ＣＰＵであり得る。プロセッサ４０はさらに、別の汎用プロセッサ、ＤＳＰ、ＡＳＩＣ、ＦＰＧＡ、別のプログラマブルロジックデバイス、ディスクリートゲート、またはトランジスタロジックデバイス、ディスクリートハードウェアコンポーネントなどであり得る。汎用プロセッサは、マイクロプロセッサであり得、またはそのプロセッサは、任意の普通のプロセッサなどであり得る。
【０１６３】
プロセッサ４０は、専用プロセッサであり得る。専用プロセッサは、ベースバンド処理チップ、無線周波数処理チップなどのうちの少なくとも１つを含み得る。さらに専用プロセッサは、基地局の別の専用処理機能を伴うチップをさらに含み得る。
【０１６４】
メモリ４１は、揮発性メモリ、たとえば、ランダムアクセスメモリＲＡＭを含み得る。メモリ４１は、不揮発性メモリ、たとえば、読み取り専用メモリＲＯＭ、フラッシュメモリ、ＨＤＤ、またはＳＳＤをさらに含み得る。メモリ４１は、前述のメモリの組合せをさらに含み得る。
【０１６５】
システムバス４２は、データバス、電力バス、コントロールバス、信号ステータスバスなどを含み得る。この実施形態における説明を明確にするために、さまざまなバスは、図１７におけるシステムバス４２として示されている。
【０１６６】
通信バス４３は、具体的には基地局内のトランシーバであり得る。そのトランシーバは、ワイヤレストランシーバであり得る。たとえば、そのワイヤレストランシーバは、基地局のアンテナなどであり得る。プロセッサ４０は、通信バス４３を使用することによって、別のデバイス、たとえば端末との間でのデータ送信および受信を実行する。
【０１６７】
特定の実施プロセスにおいては、図３から図１３のうちのいずれか１つにおいて示されている方法手順におけるそれぞれのステップは、ソフトウェアの形態のメモリ４１内に格納されているコンピュータ実行可能命令をハードウェアの形態のプロセッサ４０によって実行することによって実施され得る。繰り返しを回避するために、詳細がここで再び記述されることはない。
【０１６８】
便利で簡潔な説明の目的から、前述の機能モジュールの区分は、例示のための例として採用されているということが、当業者によって明確に理解され得る。実際の適用においては、前述の機能は、別々の機能モジュールに割り当てられて要件に従って実施されることが可能であり、すなわち、上述の機能のうちのすべてまたはいくつかを実施するために装置の内部構造が別々の機能モジュールへと区分される。前述のシステム、装置、およびユニットの詳細な機能プロセスに関しては、前述の方法実施形態における対応するプロセスに対して参照が行われ得、詳細がここで再び記述されることはない。
【０１６９】
本出願において提供されているいくつかの実施形態においては、開示されているシステム、装置、および方法は、その他の様式で実施され得るということを理解されたい。たとえば、記述されている装置実施形態は、例にすぎない。たとえば、モジュールまたはユニットの区分は、論理的な機能区分にすぎず、実際の実施においては、その他の区分であってもよい。たとえば、複数のユニットもしくはコンポーネントが組み合わされてもしくは統合されて別のシステムになってもよく、またはいくつかの機能が無視されてもよく、もしくは実行されなくてもよい。加えて、表示されているまたは論じられている相互の結合または直接の結合または通信接続は、いくつかのインターフェースを通じて実施され得る。装置またはユニット間における間接的な結合または通信接続は、電子的な形態またはその他の形態で実施され得る。
【０１７０】
別々の部分として記述されているユニットは、物理的に別々であってもよく、または物理的に別々でなくてもよく、ユニットとして表示されている部分は、物理的なユニットであってもよく、または物理的なユニットでなくてもよく、１つの位置に配置されてもよく、または複数のネットワークユニット上に分散されてもよい。ユニットのうちのいくつかまたはすべては、実施形態のソリューションの目的を達成するために実際の要件に従って選択され得る。
【０１７１】
加えて、本発明の実施形態における機能ユニットが統合されて１つの処理ユニットになってもよく、またはそれらのユニットのそれぞれが物理的に単独で存在してもよく、または複数のユニットが統合されて１つのユニットになる。その統合されたユニットは、ソフトウェア機能ユニットの形態で実装され得る。
【０１７２】
統合されたユニットがソフトウェア機能ユニットの形態で実装されて、独立した製品として販売または使用される場合には、その統合されたユニットは、コンピュータ可読ストレージメディア内に格納され得る。そのような理解に基づいて、技術的なソリューションのうちのすべてまたは部分は、ソフトウェア製品の形態で実装され得る。そのコンピュータソフトウェア製品は、ストレージメディア内に格納され、本発明の実施形態において記述されている方法のステップのうちのすべてまたはいくつかを実行するようコンピュータデバイス（パーソナルコンピュータ、サーバ、もしくはネットワークデバイスであり得る）またはプロセッサに指示するためのいくつかの命令を含む。そのストレージメディアは、非一時的（英語：  ｎｏｎ−ｔｒａｎｓｉｔｏｒｙ）メディアであり、フラッシュメモリ、取り外し可能なハードディスク、読み取り専用メモリ、ランダムアクセスメモリ、磁気ディスク、または光ディスクなど、プログラムコードを格納することができる任意のメディアを含む。
【０１７３】
便利で簡潔な説明の目的から、前述の機能モジュールの区分は、例示のための例として採用されているということが、当業者によって明確に理解され得る。実際の適用においては、前述の機能は、別々の機能モジュールに割り当てられて要件に従って実施されることが可能であり、すなわち、上述の機能のうちのすべてまたはいくつかを実施するために装置の内部構造が別々の機能モジュールへと区分される。前述のシステム、装置、およびユニットの詳細な機能プロセスに関しては、前述の方法実施形態における対応するプロセスに対して参照が行われ得、詳細がここで再び記述されることはない。
【０１７４】
最後に、前述の実施形態は、本発明の技術的なソリューションについて記述することを意図されているにすぎず、本発明を限定することを意図されているものではないということに留意されたい。前述の実施形態を参照しながら本発明が詳細に記述されているが、当技術分野における標準的な技術者なら、彼らが、それでもなお、本発明の実施形態の技術的なソリューションの趣旨および範囲から逸脱することなく、前述の実施形態において記述されている技術的なソリューションに対する修正形態を作成し得る、またはそれらのいくつかの技術的な特徴に対する均等な代替形態を作成し得るということを理解するはずである。
【国際調査報告】
2019503128.tif 000031
2019503128.tif 000032
2019503128.tif 000033
2019503128.tif 000034